(57)【要約】【課題】  冷凍装置に取り付けられる過冷却ユニットにおいて、取り付け対象の冷凍装置との間で信号の授受を行うことなく運転制御を可能とし、過冷却装置の設置作業を簡素化すると共に、設置作業時の人的ミスによるトラブルを未然に防止する。【解決手段】  過冷却ユニット（200）は、その冷媒通路（205）が冷凍装置（10）の液側連絡配管（21,22）に接続される。過冷却用圧縮機（221）を運転すると過冷却用冷媒回路（220）内で過冷却用冷媒が循環し、冷凍サイクルが行われて冷媒通路（205）を流れる冷凍装置（10）の冷媒が冷却される。過冷却ユニット（200）のコントローラ（240）には、吸入圧力センサ（234）や冷媒温度センサ（236）の検出値が入力される。コントローラ（240）は、これらセンサ（234,236）からの入力信号を利用し、過冷却ユニット（200）内で得られた情報に基づいて過冷却用圧縮機（221）の運転制御を行う。【選択図】  図１
2006023071.tif 000002
【特許請求の範囲】
【請求項１】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
冷却用流体が流通する冷却用流体回路（220）と、
上記冷媒通路（205）内の熱源側冷媒を上記冷却用流体と熱交換させて冷却するための過冷却用熱交換器（210）と、
上記冷却用流体回路（220）での冷却用流体の流通状態を上記冷媒通路（205）内での熱源側冷媒の流通状態に応じて制御する制御手段（240）と
を備えていることを特徴とする過冷却装置。
【請求項２】
請求項１において、
上記冷却用流体回路は、過冷却用冷媒回路（220）により構成されており、
上記過冷却用冷媒回路（220）は、過冷却用圧縮機（221）を備え、冷却用流体としての過冷却用冷媒を循環させて冷凍サイクルを行う
ことを特徴とする過冷却装置。
【請求項３】
請求項２において、
上記制御手段（240）は、上記過冷却用圧縮機（221）の運転を制御することによって、上記過冷却用冷媒回路（220）における過冷却用冷媒の循環状態を制御するように構成されている
ことを特徴とする過冷却装置。
【請求項４】
請求項３において、
上記制御手段（240）は、過冷却用圧縮機（221）の運転中における冷媒通路（205）内での熱源側冷媒の流通方向と該冷媒通路（205）内での熱源側冷媒の流通の有無とを熱源側冷媒の流通状態として検出し、冷媒通路（205）内を熱源ユニット（11）から利用ユニット（12,13,14）へ向けて熱源側冷媒が流れる状態では過冷却用圧縮機（221）の運転を継続し、上記冷媒通路（205）内を利用ユニット（12,13,14）から熱源ユニット（11）へ向けて熱源側冷媒が流れる状態および上記冷媒通路（205）内を熱源側冷媒が流れていない状態では過冷却用圧縮機（221）を停止させるように構成されている
ことを特徴とする過冷却装置。
【請求項５】
請求項４において、
上記制御手段（240）は、過冷却用圧縮機（221）を停止させた時点から所定時間が経過すると該過冷却用圧縮機（221）を起動するように構成されている
ことを特徴とする過冷却装置。
【請求項６】
請求項３，４又は５において、
上記冷媒通路（205）のうち過冷却用熱交換器（210）よりも利用ユニット（12,13,14）寄りの部分における熱源側冷媒の温度を検出する冷媒温度検出手段（236）を備える一方、
上記制御手段（240）は、過冷却用圧縮機（221）を起動させた時点からの上記冷媒温度検出手段（236）の検出値の変化に基づいて熱源側冷媒の流通状態を判断するように構成されている
ことを特徴とする過冷却装置。
【請求項７】
請求項３，４又は５において、
上記冷媒通路（205）のうち過冷却用熱交換器（210）よりも利用ユニット（12,13,14）寄りの部分における熱源側冷媒の温度を検出する冷媒温度検出手段（236）と、
上記過冷却用熱交換器（210）における過冷却用冷媒の蒸発温度を検出する蒸発温度検出手段（234）とを備える一方、
上記制御手段（240）は、上記冷媒温度検出手段（236）の検出値と上記蒸発温度検出手段（234）の検出値とに基づいて熱源側冷媒の流通状態を判断するように構成されている
ことを特徴とする過冷却装置。
【請求項８】
請求項３，４又は５において、
上記冷媒通路（205）のうち過冷却用熱交換器（210）よりも利用ユニット（12,13,14）寄りの部分における熱源側冷媒の温度を検出する第１冷媒温度検出手段（237）と、
上記冷媒通路（205）のうち過冷却用熱交換器（210）よりも熱源ユニット（11）寄りの部分における熱源側冷媒の温度を検出する第２冷媒温度検出手段（238）とを備える一方、
上記制御手段（240）は、上記第１冷媒温度検出手段（237）の検出値と上記第２冷媒温度検出手段（238）の検出値とに基づいて熱源側冷媒の流通状態を判断するように構成されている
ことを特徴とする過冷却装置。
【請求項９】
請求項１，２又は３において、
上記冷媒通路（205）には熱源側冷媒の流量を検出する流量計（251）が設けられる一方、
上記制御手段（240）は、上記流量計（251）の検出値を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されている
ことを特徴とする過冷却装置。
【請求項１０】
請求項１，２又は３において、
上記冷媒通路（205）のうち過冷却用熱交換器（210）よりも利用ユニット（12,13,14）寄りの部分における熱源側冷媒の温度を検出する第１冷媒温度検出手段（237）と、
上記冷媒通路（205）のうち過冷却用熱交換器（210）よりも熱源ユニット（11）寄りの部分における熱源側冷媒の温度を検出する第２冷媒温度検出手段（238）とを備える一方、
上記制御手段（240）は、上記第１冷媒温度検出手段（237）の検出値と上記第２冷媒温度検出手段（238）の検出値との差を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されている
ことを特徴とする過冷却装置。
【請求項１１】
請求項１，２又は３において、
上記冷媒通路（205）のうち過冷却用熱交換器（210）よりも利用ユニット（12,13,14）寄りの部分における熱源側冷媒の温度を検出する冷媒温度検出手段（236）を備える一方、
上記制御手段（240）は、上記冷媒温度検出手段（236）の検出値の変化を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されている
ことを特徴とする過冷却装置。
【請求項１２】
請求項１，２又は３において、
上記冷却用流体回路（220）には、過冷却用熱交換器（210）の入口における冷却用流体の温度を検出する入口側流体温度検出手段（252）と、該過冷却用熱交換器（210）の出口における冷却用流体の温度を検出する出口側流体温度検出手段（253）とが設けられる一方、
上記制御手段（240）は、上記入口側流体温度検出手段（252）の検出値と上記出口側流体温度検出手段（253）の検出値との差を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されている
ことを特徴とする過冷却装置。
【請求項１３】
請求項２又は３において、
上記過冷却用冷媒回路（220）には、過冷却用熱交換器（210）での過冷却用冷媒の蒸発圧力を検出する蒸発圧力検出手段（234）が設けられる一方、
上記制御手段（240）は、上記蒸発圧力検出手段（234）の検出値を熱源側冷媒の流通状態を示す流通状態表示値として用い、上記過冷却用冷媒回路（220）で過冷却用冷媒が循環している状態において、該過冷却用冷媒の循環を継続させるか停止させるかを上記流通状態表示値に基づいて決定するように構成されている
ことを特徴とする過冷却装置。
【請求項１４】
請求項２又は３において、
上記冷媒通路（205）のうち過冷却用熱交換器（210）よりも利用ユニット（12,13,14）寄りの部分における熱源側冷媒の温度を検出する冷媒温度検出手段（236）と、
上記過冷却用熱交換器（210）における過冷却用冷媒の蒸発温度を検出する蒸発温度検出手段（234）とを備える一方、
上記制御手段（240）は、上記冷媒温度検出手段（236）の検出値と上記蒸発温度検出手段（234）の検出値との差を熱源側冷媒の流通状態を示す流通状態表示値として用い、上記過冷却用冷媒回路（220）で過冷却用冷媒が循環している状態において、該過冷却用冷媒の循環を継続させるか停止させるかを上記流通状態表示値に基づいて決定するように構成されている
ことを特徴とする過冷却装置。
【請求項１５】
請求項１，２又は３において、
上記冷媒通路（205）のうち過冷却用熱交換器（210）よりも利用ユニット（12,13,14）寄りの部分における熱源側冷媒の温度を検出する冷媒温度検出手段（236）を備える一方、
上記制御手段（240）は、上記冷媒温度検出手段（236）の検出値を熱源側冷媒の流通状態を示す流通状態表示値として用い、上記冷却用流体回路（220）での冷却用流体の流通が停止している状態において、該冷却用流体の流通を開始させるか停止させ続けるかを上記流通状態表示値に基づいて決定するように構成されている
ことを特徴とする過冷却装置。
【請求項１６】
請求項１，２又は３において、
上記冷媒通路（205）のうち過冷却用熱交換器（210）よりも利用ユニット（12,13,14）寄りの部分における熱源側冷媒の温度を検出する冷媒温度検出手段（236）を備える一方、
上記制御手段（240）は、上記冷媒温度検出手段（236）の検出値の変化を熱源側冷媒の流通状態を示す流通状態表示値として用い、上記冷却用流体回路（220）での冷却用流体の流通が停止している状態において、該冷却用流体の流通を開始させるか停止させ続けるかを上記流通状態表示値に基づいて決定するように構成されている
ことを特徴とする過冷却装置。
【請求項１７】
請求項２又は３において、
室外空気の温度を検出する室外温度検出手段（231）と、
上記冷媒通路（205）のうち過冷却用熱交換器（210）よりも利用ユニット（12,13,14）寄りの部分における熱源側冷媒の温度を検出する冷媒温度検出手段（236）とを備える一方、
上記制御手段（240）は、上記冷媒温度検出手段（236）の検出値と上記室外温度検出手段（231）の検出値との差を熱源側冷媒の流通状態を示す流通状態表示値として用い、上記過冷却用冷媒回路（220）での過冷却用冷媒の流通が停止している状態において、該過冷却用冷媒の流通を開始させるか停止させ続けるかを上記流通状態表示値に基づいて決定するように構成されている
ことを特徴とする過冷却装置。
【請求項１８】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の熱源ユニット（11）が熱源側冷媒を室外空気と熱交換させるように構成される一方、
上記冷凍装置（10）の液側の連絡配管（21,22）に接続される冷媒通路（205）と、
冷却用流体が流通する冷却用流体回路（220）と、
上記冷媒通路（205）内の熱源側冷媒を上記冷却用流体と熱交換させて冷却するための過冷却用熱交換器（210）と、
室外空気の温度を検出する室外温度検出手段（231）と、
上記冷却用流体回路（220）での冷却用流体の流通状態を上記室外温度検出手段（231）の検出値に応じて制御する制御手段（240）と
を備えていることを特徴とする過冷却装置。
【請求項１９】
請求項１８において、
上記冷却用流体回路は、過冷却用冷媒回路（220）により構成されており、
上記過冷却用冷媒回路（220）は、過冷却用圧縮機（221）を備え、冷却用流体としての過冷却用冷媒を循環させて冷凍サイクルを行う
ことを特徴とする過冷却装置。
【請求項２０】
請求項１８又は１９において、
上記制御手段（240）は、 上記冷却用流体回路（220）で冷却用流体が流通している状態において、該冷却用流体の流通を継続させるか停止させるかを上記室外温度検出手段（231）の検出値に基づいて決定するように構成されている
ことを特徴とする過冷却装置。
【請求項２１】
請求項１８又は１９において、
上記制御手段（240）は、 上記冷却用流体回路（220）での冷却用流体の流通が停止している状態において、該冷却用流体の流通を開始させるか停止させ続けるかを上記室外温度検出手段（231）の検出値に基づいて決定するように構成されている
ことを特徴とする過冷却装置。
【請求項２２】
請求項２又は１９において、
上記過冷却用冷媒回路（220）に接続されて過冷却用冷媒を室外空気と熱交換させる放熱用熱交換器（222）と、
上記放熱用熱交換器（222）へ室外空気を供給する室外ファン（230）とを備え、
上記過冷却用冷媒回路（220）は、上記過冷却用圧縮機（221）の停止中に上記室外ファン（230）を運転させることによって過冷却用冷媒を自然循環させる自然循環動作が可能となっており、
上記制御手段（240）は、過冷却用冷媒の循環を開始させる際には上記室外ファン（230）を起動して上記過冷却用冷媒回路（220）に自然循環動作を行わせ、該自然循環動作中における上記冷媒通路（205）内での熱源側冷媒の流通状態に応じて過冷却用圧縮機（221）を起動するか停止させ続けるかを決定するように構成されている
ことを特徴とする過冷却装置。
【発明の詳細な説明】
【技術分野】
【０００１】
熱源ユニットと利用ユニットとを備える冷凍装置に取り付けられ、液側の連絡配管を通じて熱源ユニットから利用ユニットへ送られる冷媒を冷却する過冷却装置に関する。
【背景技術】
【０００２】
従来より、冷却能力の増大を目的として冷凍装置に取り付けられ、熱源ユニットから利用ユニットへ送られる冷凍装置の冷媒を冷却する過冷却装置が知られている。
【０００３】
例えば、特許文献１に開示された過冷却装置は、室外ユニットと室内ユニットとを備えた空気調和機に取り付けられている。具体的に、この過冷却装置は、室外ユニットと室内ユニットを接続する液側の連絡配管の途中に設けられると共に、過冷却用冷媒回路を備えている。この過冷却装置は、過冷却用冷媒回路で冷媒を循環させて冷凍サイクルを行い、液側の連絡配管から送り込まれた空調機の冷媒を過冷却用冷媒回路の蒸発器で冷却する。そして、この過冷却装置は、空調機の室外ユニットから室内ユニットへ送られる液冷媒を冷却し、室内ユニットへ送られる液冷媒のエンタルピを低下させることによって冷房能力を向上させている。
【０００４】
上述のように、上記過冷却装置は、空気調和機等の冷凍装置を補助してその冷却能力を増大させるためのものである。このため、冷凍装置の停止中に過冷却装置だけを運転しても無意味である。また、空気調和機の暖房運転のように冷凍装置がヒートポンプとして動作する状態で過冷却装置を運転することも無意味である。このように、過冷却装置を運転すべきか否かを決めるには、過冷却装置が取り付けられた冷凍装置の運転状態を知る必要がある。
【０００５】
そこで、特許文献１に開示された従来の過冷却装置では、過冷却装置の制御部を空気調和機の制御部と接続して１つの制御システムを構成している。この過冷却装置の制御部へは、空気調和機の運転状態を示す信号が空気調和機の制御部から入力される。そして、この過冷却装置では、空気調和機の制御部から入力された信号に基づいて、その運転制御が行われる。
【特許文献１】特開平１０−１８５３３３号公報
【発明の開示】
【発明が解決しようとする課題】
【０００６】
上述のように、従来の過冷却装置は、それが取り付けられる冷凍装置との間で信号の授受を行っている。このため、過冷却装置を冷凍装置に取り付ける際には、両者間で送受信される信号を伝送するための配線工事が必要となり、過冷却装置の設置作業が繁雑であるという問題があった。また、過冷却装置を設置する際に誤配線が生じる可能性もあり、このような設置作業のミスに起因するトラブルを招くおそれもあった。
【０００７】
本発明は、かかる点に鑑みてなされたものであり、その目的とするところは、取り付け対象の冷凍装置との間で信号の授受を行うことなく過冷却装置の運転制御を可能とし、過冷却装置の設置作業を簡素化すると共に、設置作業時の人的ミスによるトラブルを未然に防止することにある。
【課題を解決するための手段】
【０００８】
第１の発明は、連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置を対象としている。そして、上記冷凍装置（10）の液側の連絡配管（21,22）に接続される冷媒通路（205）と、冷却用流体が流通する冷却用流体回路（220）と、上記冷媒通路（205）内の熱源側冷媒を上記冷却用流体と熱交換させて冷却するための過冷却用熱交換器（210）と、上記冷却用流体回路（220）での冷却用流体の流通状態を上記冷媒通路（205）内での熱源側冷媒の流通状態に応じて制御する制御手段（240）とを備えるものである。
【０００９】
上記第１の発明において、過冷却装置（200）が取り付けられる冷凍装置（10）では、連絡配管を通って熱源ユニット（11）と利用ユニット（12,13,14）の間で冷媒が行き来する。過冷却装置（200）の冷媒通路（205）は、冷凍装置（10）の液側の連絡配管（21,22）に接続され、その内部を冷凍装置（10）の熱源側冷媒が流通する。過冷却装置（200）の冷却用流体回路（220）では、冷却用流体が流通する。過冷却用熱交換器（210）において、冷媒通路（205）内を流れる熱源側冷媒は、冷却用流体と熱交換することによって冷却される。
【００１０】
この発明の過冷却装置（200）は、冷凍装置（10）の運転を補助するためのものである。このため、過冷却装置（200）の運転は冷凍装置（10）の運転中にだけ必要とされ、冷凍装置（10）の停止中に過冷却装置（200）だけを運転しても無意味である。また、この発明の過冷却装置（200）は、利用ユニット（12,13,14）での冷却能力を増大させるためのものである。このため、例えば冷凍装置（10）がヒートポンプとして機能するような状態では、過冷却装置（200）を運転しても実益は殆ど見込めない。このように、過冷却装置（200）については、冷凍装置（10）の運転状態によって運転すべき場合と運転すべきでない場合とがある。
【００１１】
これに対し、この発明の過冷却装置（200）では、制御手段（240）が冷却用流体回路（220）における冷却用流体の流通状態を制御する。その際、制御手段（240）は、冷却用流体の流通状態の制御を、冷媒通路（205）内における熱源側冷媒の流通状態に応じて行う。冷媒通路（205）内では、液側の連絡配管（21,22）を通って熱源ユニット（11）と利用ユニット（12,13,14）の間を行き来する熱源側冷媒が流通している。このため、冷媒通路（205）内における冷媒の流通状態に基づいて冷凍装置（10）の運転状態を判断することが可能である。そこで、過冷却装置（200）の制御手段（240）は、冷凍装置（10）の運転状態に関する信号を冷凍装置（10）から受けることなく、冷媒通路（205）内における熱源側冷媒の流通状態に応じて、冷却用流体回路（220）における冷却用流体の流通状態を制御している。
【００１２】
第２の発明は、上記第１の発明において、上記冷却用流体回路は、過冷却用冷媒回路（220）により構成されており、上記過冷却用冷媒回路（220）は、過冷却用圧縮機（221）を備え、冷却用流体としての過冷却用冷媒を循環させて冷凍サイクルを行うものである。
【００１３】
上記第２の発明において、過冷却装置（200）の過冷却用冷媒回路（220）では、過冷却用冷媒を循環させることによって冷凍サイクルが行われる。過冷却用熱交換器（210）では、冷媒通路（205）内を流れる熱源側冷媒が過冷却用冷媒と熱交換する。この過冷却用熱交換器（210）では、過冷却用冷媒が熱源側冷媒から吸熱して蒸発し、熱源側冷媒が冷却される。
【００１４】
第３の発明は、上記第２の発明において、上記制御手段（240）は、上記過冷却用圧縮機（221）の運転を制御することによって、上記過冷却用冷媒回路（220）における過冷却用冷媒の循環状態を制御するように構成されるものである。
【００１５】
上記第３の発明において、上記制御手段（240）が過冷却用圧縮機（221）の運転容量を調節すると、過冷却用冷媒回路（220）における過冷却用冷媒の循環量が変化する。従って、上記過冷却用圧縮機（221）の運転を制御すれば、それによって過冷却用冷媒回路（220）における過冷却用冷媒の循環状態が制御される。
【００１６】
第４の発明は、上記第３の発明において、上記制御手段（240）は、過冷却用圧縮機（221）の運転中における冷媒通路（205）内での熱源側冷媒の流通方向と該冷媒通路（205）内での熱源側冷媒の流通の有無とを熱源側冷媒の流通状態として検出し、冷媒通路（205）内を熱源ユニット（11）から利用ユニット（12,13,14）へ向けて熱源側冷媒が流れる状態では過冷却用圧縮機（221）の運転を継続し、上記冷媒通路（205）内を利用ユニット（12,13,14）から熱源ユニット（11）へ向けて熱源側冷媒が流れる状態および上記冷媒通路（205）内を熱源側冷媒が流れていない状態では過冷却用圧縮機（221）を停止させるように構成されるものである。
【００１７】
上記第４の発明において、制御手段（240）は、過冷却用圧縮機（221）の運転中における冷媒の流通状態を検出する。具体的に、制御手段（240）は、冷媒通路（205）内での冷媒の流通方向と該冷媒通路（205）内での冷媒流通の有無とを、冷媒の流通状態として検出する。
【００１８】
この発明の制御手段（240）は、検出した冷媒の流通状態に基づいて過冷却用圧縮機（221）の運転制御を行う。冷媒通路（205）内を熱源ユニット（11）から利用ユニット（12,13,14）へ向けて冷媒が流れている状態では、冷凍装置（10）が利用ユニット（12,13,14）で対象物を冷却する動作を行っていると判断できる。そこで、この状態では、制御手段（240）が過冷却用圧縮機（221）の運転を継続させ、過冷却装置（200）が熱源ユニット（11）から利用ユニット（12,13,14）へ向かう冷媒を冷却する。一方、冷媒通路（205）内を利用ユニット（12,13,14）から熱源ユニット（11）へ向けて冷媒が流れる状態や、冷媒通路（205）内を冷媒が流通していない状態では、冷凍装置（10）が利用ユニット（12,13,14）で対象物を冷却する動作を行っていないと判断できる。そこで、この状態では、制御手段（240）が過冷却用圧縮機（221）の運転を停止させ、過冷却装置（200）の無駄な運転を回避する。
【００１９】
第５の発明は、上記第４の発明において、上記制御手段（240）は、過冷却用圧縮機（221）を停止させた時点から所定時間が経過すると該過冷却用圧縮機（221）を起動するように構成されるものである。
【００２０】
上記第５の発明において、制御手段（240）は、過冷却用圧縮機（221）を停止させた時点からの経過時間を計時する。そして、制御手段（240）は、過冷却用圧縮機（221）の停止時点から所定時間が経過すると該過冷却用圧縮機（221）を起動する。この制御手段（240）は、過冷却用圧縮機（221）の起動後に冷媒通路（205）内での冷媒の流通状態を検出し、それに応じて過冷却用圧縮機（221）の運転を継続させるか、過冷却用圧縮機（221）を停止させるかの判断を行う。
【００２１】
第６の発明は、上記第３，第４又は第５の発明において、上記冷媒通路（205）のうち過冷却用熱交換器（210）よりも利用ユニット（12,13,14）寄りの部分における熱源側冷媒の温度を検出する冷媒温度検出手段（236）を備える一方、上記制御手段（240）は、過冷却用圧縮機（221）を起動させた時点からの上記冷媒温度検出手段（236）の検出値の変化に基づいて熱源側冷媒の流通状態を判断するように構成されるものである。
【００２２】
上記第６の発明では、過冷却装置（200）に冷媒温度検出手段（236）が設けられる。冷媒温度検出手段（236）は、冷媒通路（205）のうち過冷却用熱交換器（210）よりも利用ユニット（12,13,14）寄りの部分において冷媒温度を検出する。
【００２３】
この発明の制御手段（240）は、過冷却用圧縮機（221）を起動させた時点からの上記冷媒温度検出手段（236）の検出値の変化に基づき、冷媒通路（205）における冷媒の流通状態を判断する。例えば、過冷却用圧縮機（221）の起動から時間が経過するにつれて冷媒温度検出手段（236）の検出値が低下してゆく状態では、過冷却用熱交換器（210）で冷却された冷媒の温度が冷媒温度検出手段（236）によって検出されていると判断でき、その結果、冷媒通路（205）では熱源ユニット（11）から利用ユニット（12,13,14）へ向けて冷媒が流れていると判断できる。また、過冷却用圧縮機（221）の起動から時間が経過しても冷媒温度検出手段（236）の検出値が変化しない状態では、過冷却用熱交換器（210）へ流入する前の冷媒の温度が冷媒温度検出手段（236）によって検出されているか、あるいは冷媒通路（205）内で冷媒が流通していないと判断できる。
【００２４】
第７の発明は、上記第３，第４又は第５の発明において、上記冷媒通路（205）のうち過冷却用熱交換器（210）よりも利用ユニット（12,13,14）寄りの部分における熱源側冷媒の温度を検出する冷媒温度検出手段（236）と、上記過冷却用熱交換器（210）における過冷却用冷媒の蒸発温度を検出する蒸発温度検出手段（234）とを備える一方、上記制御手段（240）は、上記冷媒温度検出手段（236）の検出値と上記蒸発温度検出手段（234）の検出値とに基づいて熱源側冷媒の流通状態を判断するように構成されるものである。
【００２５】
上記第７の発明では、過冷却装置（200）に冷媒温度検出手段（236）と蒸発温度検出手段（234）とが設けられる。冷媒温度検出手段（236）は、冷媒通路（205）のうち過冷却用熱交換器（210）よりも利用ユニット（12,13,14）寄りの部分において冷媒温度を検出する。蒸発温度検出手段（234）は、過冷却用熱交換器（210）における過冷却用冷媒の蒸発温度を検出する。
【００２６】
この発明の制御手段（240）は、上記冷媒温度検出手段（236）の検出値と上記蒸発温度検出手段（234）の検出値とに基づき、冷媒通路（205）における冷媒の流通状態を判断する。例えば、冷媒温度検出手段（236）の検出値が蒸発温度検出手段（234）の検出値よりもやや高い程度であれば、過冷却用熱交換器（210）で冷却された冷媒の温度が冷媒温度検出手段（236）によって検出されていると判断でき、その結果、冷媒通路（205）では熱源ユニット（11）から利用ユニット（12,13,14）へ向けて冷媒が流れていると判断できる。また、冷媒温度検出手段（236）の検出値が蒸発温度検出手段（234）の検出値よりも大幅に高い状態であれば、過冷却用熱交換器（210）へ流入する前の冷媒の温度が冷媒温度検出手段（236）によって検出されているか、あるいは冷媒通路（205）内で冷媒が流通していないと判断できる。
【００２７】
第８の発明は、上記第３，第４又は第５の発明において、上記冷媒通路（205）のうち過冷却用熱交換器（210）よりも利用ユニット（12,13,14）寄りの部分における熱源側冷媒の温度を検出する第１冷媒温度検出手段（237）と、上記冷媒通路（205）のうち過冷却用熱交換器（210）よりも熱源ユニット（11）寄りの部分における熱源側冷媒の温度を検出する第２冷媒温度検出手段（238）とを備える一方、上記制御手段（240）は、上記第１冷媒温度検出手段（237）の検出値と上記第２冷媒温度検出手段（238）の検出値とに基づいて熱源側冷媒の流通状態を判断するように構成されるものである。
【００２８】
上記第８の発明では、過冷却装置（200）に第１冷媒温度検出手段（237）と第２冷媒温度検出手段（238）とが設けられる。第１冷媒温度検出手段（237）は、冷媒通路（205）のうち過冷却用熱交換器（210）よりも利用ユニット（12,13,14）寄りの部分において冷媒温度を検出する。第２冷媒温度検出手段（238）は、冷媒通路（205）のうち過冷却用熱交換器（210）よりも熱源ユニット（11）寄りの部分において冷媒温度を検出する。
【００２９】
この発明の制御手段（240）は、上記第１冷媒温度検出手段（237）の検出値と上記第２冷媒温度検出手段（238）の検出値とに基づき、冷媒通路（205）における冷媒の流通状態を判断する。例えば、第１冷媒温度検出手段（237）の検出値が第２冷媒温度検出手段（238）の検出値よりも充分に低い状態では、熱源ユニット（11）から利用ユニット（12,13,14）へ向かう冷媒が過冷却用熱交換器（210）で冷却されていると判断できる。逆に、第１冷媒温度検出手段（237）の検出値が第２冷媒温度検出手段（238）の検出値よりも高い状態では、利用ユニット（12,13,14）から熱源ユニット（11）へ向かう冷媒が過冷却用熱交換器（210）で冷却されていると判断できる。また、第１冷媒温度検出手段（237）の検出値と第２冷媒温度検出手段（238）の検出値とが殆ど同じ状態では、冷媒通路（205）内で冷媒が流通していないと判断できる。
【００３０】
第９の発明は、上記第１，第２又は第３の発明において、上記冷媒通路（205）には熱源側冷媒の流量を検出する流量計（251）が設けられる一方、上記制御手段（240）は、上記流量計（251）の検出値を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されるものである。
【００３１】
上記第９の発明では、流量計（251）の検出値が制御手段（240）へ入力される。冷媒通路（205）における熱源側冷媒の流通状態は、流量計（251）の検出値から判断することができる。そこで、制御手段（240）は、上記流量計（251）の検出値を流通状態表示値として用い、この流通状態表示値に基づいて冷却用流体回路（220）での冷却用流体の流通状態を制御する。
【００３２】
第１０の発明は、上記第１，第２又は第３の発明において、上記冷媒通路（205）のうち過冷却用熱交換器（210）よりも利用ユニット（12,13,14）寄りの部分における熱源側冷媒の温度を検出する第１冷媒温度検出手段（237）と、上記冷媒通路（205）のうち過冷却用熱交換器（210）よりも熱源ユニット（11）寄りの部分における熱源側冷媒の温度を検出する第２冷媒温度検出手段（238）とを備える一方、上記制御手段（240）は、上記第１冷媒温度検出手段（237）の検出値と上記第２冷媒温度検出手段（238）の検出値との差を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されるものである。
【００３３】
上記第１０の発明では、第１冷媒温度検出手段（237）と第２冷媒温度検出手段（238）の検出値が制御手段（240）へ入力される。第１冷媒温度検出手段（237）の検出値と第２冷媒温度検出手段（238）の検出値とを比較すると、冷媒通路（205）における熱源側冷媒の流通状態を判断することができる。例えば、第１冷媒温度検出手段（237）の検出値が第２冷媒温度検出手段（238）の検出値よりも低ければ、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、第１冷媒温度検出手段（237）の検出値と第２冷媒温度検出手段（238）の検出値との差を流通状態表示値として用い、この流通状態表示値に基づいて冷却用流体回路（220）での冷却用流体の流通状態を制御する。
【００３４】
第１１の発明は、上記第１，第２又は第３の発明において、上記冷媒通路（205）のうち過冷却用熱交換器（210）よりも利用ユニット（12,13,14）寄りの部分における熱源側冷媒の温度を検出する冷媒温度検出手段（236）を備える一方、上記制御手段（240）は、上記冷媒温度検出手段（236）の検出値の変化を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されるものである。
【００３５】
上記第１１の発明では、冷媒温度検出手段（236）の検出値が制御手段（240）へ入力される。冷媒温度検出手段（236）の検出値の変化を監視すると、冷媒通路（205）における熱源側冷媒の流通状態を判断することができる。例えば、冷却用流体が流通している状態で冷媒温度検出手段（236）の検出値が低下してゆけば、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、冷媒温度検出手段（236）の検出値を流通状態表示値として用い、この流通状態表示値に基づいて冷却用流体回路（220）での冷却用流体の流通状態を制御する。
【００３６】
第１２の発明は、上記第１，第２又は第３の発明において、上記冷却用流体回路（220）には、過冷却用熱交換器（210）の入口における冷却用流体の温度を検出する入口側流体温度検出手段（252）と、該過冷却用熱交換器（210）の出口における冷却用流体の温度を検出する出口側流体温度検出手段（253）とが設けられる一方、上記制御手段（240）は、上記入口側流体温度検出手段（252）の検出値と上記出口側流体温度検出手段（253）の検出値との差を熱源側冷媒の流通状態を示す流通状態表示値として用い、上記冷却用流体回路（220）で冷却用流体が流通している状態において、該冷却用流体の流通を継続させるか停止させるかを上記流通状態表示値に基づいて決定するように構成されるものである。
【００３７】
上記第１２の発明では、入口側流体温度検出手段（252）と出口側流体温度検出手段（253）の検出値が制御手段（240）へ入力される。入口側流体温度検出手段（252）の検出値と入口側流体温度検出手段（252）の検出値とを比較すると、冷媒通路（205）における熱源側冷媒の流通状態を判断することができる。例えば、入口側流体温度検出手段（252）の検出値が入口側流体温度検出手段（252）の検出値よりも高ければ、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、入口側流体温度検出手段（252）の検出値と出口側流体温度検出手段（253）の検出値との差を流通状態表示値として用い、この流通状態表示値に基づいて冷却用流体回路（220）での冷却用流体の流通状態を制御する。
【００３８】
第１３の発明は、上記第２又は第３の発明において、上記過冷却用冷媒回路（220）には、過冷却用熱交換器（210）での過冷却用冷媒の蒸発圧力を検出する蒸発圧力検出手段（234）が設けられる一方、上記制御手段（240）は、上記蒸発圧力検出手段（234）の検出値を熱源側冷媒の流通状態を示す流通状態表示値として用い、上記過冷却用冷媒回路（220）で過冷却用冷媒が循環している状態において、該過冷却用冷媒の循環を継続させるか停止させるかを上記流通状態表示値に基づいて決定するように構成されるものである。
【００３９】
上記第１３の発明では、蒸発圧力検出手段（234）の検出値が制御手段（240）へ入力される。蒸発圧力検出手段（234）の検出値の変化を監視すると、冷媒通路（205）における熱源側冷媒の流通状態を判断することができる。例えば、過冷却用冷媒が循環している状態で蒸発圧力検出手段（234）の検出値がある程度以上になっていれば、冷媒通路（205）内を熱源側冷媒が流通していると判断できる。また、そうでなければ、冷媒通路（205）内を熱願側冷媒が流れていないと判断できる。そこで、制御手段（240）は、蒸発圧力検出手段（234）の検出値を流通状態表示値として用い、この流通状態表示値に基づいて過冷却用冷媒回路（220）での過冷却用冷媒の流通状態を制御する。
【００４０】
第１４の発明は、上記第２又は第３の発明において、上記冷媒通路（205）のうち過冷却用熱交換器（210）よりも利用ユニット（12,13,14）寄りの部分における熱源側冷媒の温度を検出する冷媒温度検出手段（236）と、上記過冷却用熱交換器（210）における過冷却用冷媒の蒸発温度を検出する蒸発温度検出手段（234）とを備える一方、上記制御手段（240）は、上記冷媒温度検出手段（236）の検出値と上記蒸発温度検出手段（234）の検出値との差を熱源側冷媒の流通状態を示す流通状態表示値として用い、上記過冷却用冷媒回路（220）で過冷却用冷媒が循環している状態において、該過冷却用冷媒の循環を継続させるか停止させるかを上記流通状態表示値に基づいて決定するように構成されるものである。
【００４１】
第１４の発明では、冷媒温度検出手段（236）と蒸発温度検出手段（234）の検出値が制御手段（240）へ入力される。冷媒温度検出手段（236）の検出値と蒸発温度検出手段（234）の検出値とを比較すると、冷媒通路（205）における熱源側冷媒の流通状態を判断することができる。例えば、冷媒温度検出手段（236）の検出値と蒸発温度検出手段（234）の検出値の差が所定値（例えば１０℃程度）以内であれば、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、冷媒温度検出手段（236）の検出値と蒸発温度検出手段（234）の検出値との差を流通状態表示値として用い、この流通状態表示値に基づいて過冷却用冷媒回路（220）での過冷却用冷媒の流通状態を制御する。
【００４２】
第１５の発明は、上記第１，第２又は第３の発明において、上記冷媒通路（205）のうち過冷却用熱交換器（210）よりも利用ユニット（12,13,14）寄りの部分における熱源側冷媒の温度を検出する冷媒温度検出手段（236）を備える一方、上記制御手段（240）は、上記冷媒温度検出手段（236）の検出値を熱源側冷媒の流通状態を示す流通状態表示値として用い、上記冷却用流体回路（220）での冷却用流体の流通が停止している状態において、該冷却用流体の流通を開始させるか停止させ続けるかを上記流通状態表示値に基づいて決定するように構成されるものである。
【００４３】
上記第１５の発明では、冷媒温度検出手段（236）の検出値が制御手段（240）へ入力される。冷媒温度検出手段（236）の検出値を監視すると、冷媒通路（205）における熱源側冷媒の流通状態を判断することができる。例えば、冷却用流体の流通が停止している状態で冷媒温度検出手段（236）の検出値がある程度以上の値になっていれば、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、冷媒温度検出手段（236）の検出値を流通状態表示値として用いこの流通状態表示値に基づいて冷却用流体回路（220）での冷却用流体の流通状態を制御する。
【００４４】
第１６の発明は、上記第１，第２又は第３の発明において、上記冷媒通路（205）のうち過冷却用熱交換器（210）よりも利用ユニット（12,13,14）寄りの部分における熱源側冷媒の温度を検出する冷媒温度検出手段（236）を備える一方、上記制御手段（240）は、上記冷媒温度検出手段（236）の検出値の変化を熱源側冷媒の流通状態を示す流通状態表示値として用い、上記冷却用流体回路（220）での冷却用流体の流通が停止している状態において、該冷却用流体の流通を開始させるか停止させ続けるかを上記流通状態表示値に基づいて決定するように構成されるものである。
【００４５】
上記第１６の発明では、冷媒温度検出手段（236）の検出値が制御手段（240）へ入力される。冷媒温度検出手段（236）の検出値の変化を監視すると、冷媒通路（205）における熱源側冷媒の流通状態を判断することができる。例えば、冷却用流体の流通が停止している状態で冷媒温度検出手段（236）の検出値が上昇下してゆけば、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、冷媒温度検出手段（236）の検出値の変化を流通状態表示値として用い、この流通状態表示値に基づいて冷却用流体回路（220）での冷却用流体の流通状態を制御する。
【００４６】
第１７の発明は、上記第２又は第３の発明において、室外空気の温度を検出する室外温度検出手段（231）と、上記冷媒通路（205）のうち過冷却用熱交換器（210）よりも利用ユニット（12,13,14）寄りの部分における熱源側冷媒の温度を検出する冷媒温度検出手段（236）とを備える一方、上記制御手段（240）は、上記冷媒温度検出手段（236）の検出値と上記室外温度検出手段（231）の検出値との差を熱源側冷媒の流通状態を示す流通状態表示値として用い、上記過冷却用冷媒回路（220）での過冷却用冷媒の流通が停止している状態において、該過冷却用冷媒の流通を開始させるか停止させ続けるかを上記流通状態表示値に基づいて決定するように構成されるものである。
【００４７】
上記第１７の発明では、室外温度検出手段（231）と冷媒温度検出手段（236）の検出値が制御手段（240）へ入力される。冷媒温度検出手段（236）の検出値と室外温度検出手段（231）の検出値とを比較すると、冷媒通路（205）における熱源側冷媒の流通状態を判断することができる。例えば、冷却用流体の流通が停止している状態で冷媒温度検出手段（236）の検出値と室外温度検出手段（231）の検出値の差が所定値以上であれば、冷媒通路（205）内を熱源側冷媒が流通していると判断できる。また、そうでなければ、冷媒通路（205）内を熱願側冷媒が流れていないと判断できる。そこで、制御手段（240）は、冷媒温度検出手段（236）の検出値と室外温度検出手段（231）の検出値の差を流通状態表示値として用い、この流通状態表示値に基づいて過冷却用冷媒回路（220）での過冷却用冷媒の流通状態を制御する。
【００４８】
第１８の発明は、連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置を対象とする。そして、上記冷凍装置（10）の熱源ユニット（11）が熱源側冷媒を室外空気と熱交換させるように構成される一方、上記冷凍装置（10）の液側の連絡配管（21,22）に接続される冷媒通路（205）と、冷却用流体が流通する冷却用流体回路（220）と、上記冷媒通路（205）内の熱源側冷媒を上記冷却用流体と熱交換させて冷却するための過冷却用熱交換器（210）と、室外空気の温度を検出する室外温度検出手段（231）と、上記冷却用流体回路（220）での冷却用流体の流通状態を上記室外温度検出手段（231）の検出値に応じて制御する制御手段（240）とを備えるものである。
【００４９】
上記第１８の発明では、上記第１の発明と同様に、冷媒通路（205）内の熱源側冷媒が冷却用流体によって冷却される。この発明の制御手段（240）へは、室外温度検出手段（231）の検出値が入力される。室外温度検出手段（231）の検出値を監視すれば、利用ユニット（12,13,14）での冷却負荷の大きさを推測でき、冷媒通路（205）内の熱源側冷媒を冷却すべきかどうかを判断できる。そこで、制御手段（240）は、室外温度検出手段（231）の検出値に基づき、冷却用流体回路（220）での冷却用流体の流通状態を制御する。
【００５０】
第１９の発明は、上記第１８の発明において、上記冷却用流体回路は、過冷却用冷媒回路（220）により構成されており、上記過冷却用冷媒回路（220）は、過冷却用圧縮機（221）を備え、冷却用流体としての過冷却用冷媒を循環させて冷凍サイクルを行うものである。
【００５１】
第１９の発明において、過冷却装置（200）の過冷却用冷媒回路（220）では、過冷却用冷媒を循環させることによって冷凍サイクルが行われる。過冷却用熱交換器（210）では、冷媒通路（205）内を流れる熱源側冷媒が過冷却用冷媒と熱交換する。この過冷却用熱交換器（210）では、過冷却用冷媒が熱源側冷媒から吸熱して蒸発し、熱源側冷媒が冷却される。
【００５２】
第２０の発明は、上記第１８又は第１９の発明において、上記制御手段（240）は、 上記冷却用流体回路（220）で冷却用流体が流通している状態において、該冷却用流体の流通を継続させるか停止させるかを上記室外温度検出手段（231）の検出値に基づいて決定するように構成されるものである。
【００５３】
第２１の発明は、上記第１８又は第１９の発明において、上記制御手段（240）は、 上記冷却用流体回路（220）での冷却用流体の流通が停止している状態において、該冷却用流体の流通を開始させるか停止させ続けるかを上記室外温度検出手段（231）の検出値に基づいて決定するように構成されるものである。
【００５４】
上記第２０，第２１の発明では、制御手段（240）が室外温度検出手段（231）の検出値を監視する。室外温度検出手段（231）の検出値が所定の基準値（例えば２５℃）を超えていれば、利用ユニット（12,13,14）での冷却負荷が増していて冷媒通路（205）内の熱源側冷媒を冷却するべき状況にあると推測できる。また、そうでなければ、利用ユニット（12,13,14）での冷却負荷がさほど大きくなくて冷媒通路（205）内の熱源側冷媒を冷却する必要性が低い状況にあると推測できる。そこで、これら発明の制御手段（240）は、室外温度検出手段（231）の検出値に基づき、冷却用流体回路（220）で冷却用流体を流通させるか否かを判断する。
【００５５】
第２２の発明は、上記第２又は第１９の発明において、上記過冷却用冷媒回路（220）に接続されて過冷却用冷媒を室外空気と熱交換させる放熱用熱交換器（222）と、上記放熱用熱交換器（222）へ室外空気を供給する室外ファン（230）とを備え、上記過冷却用冷媒回路（220）は、上記過冷却用圧縮機（221）の停止中に上記室外ファン（230）を運転させることによって過冷却用冷媒を自然循環させる自然循環動作が可能となっており、上記制御手段（240）は、過冷却用冷媒の循環を開始させる際には上記室外ファン（230）を起動して上記過冷却用冷媒回路（220）に自然循環動作を行わせ、該自然循環動作中における上記冷媒通路（205）内での熱源側冷媒の流通状態に応じて過冷却用圧縮機（221）を起動するか停止させ続けるかを決定するように構成されるものである。
【００５６】
第２２の発明において、過冷却用冷媒回路（220）では、室外ファン（230）を運転することによって過冷却用圧縮機（221）の停止中であっても過冷却用冷媒が循環する。つまり、この過冷却用冷媒回路（220）では、室外ファン（230）を運転するだけでも、過冷却用熱交換器（210）において熱源側冷媒を冷却することができる。過冷却用冷媒の循環を開始させる場合、この発明の制御手段（240）は、先ず室外ファン（230）だけを運転して過冷却用冷媒回路（220）内で過冷却用冷媒を自然循環させ、自然循環する過冷却用冷媒によって熱源側冷媒を冷却する。そして、制御手段（240）は、この状態で熱源側冷媒の冷却が充分かどうかを判断し、その判断に応じて過冷却用圧縮機（221）を起動させるか否かを決定する。つまり、制御手段（240）は、熱源側冷媒の冷却が充分であれば過冷却用圧縮機（221）を停止させたままとし、熱源側冷媒の冷却が不充分であれば過冷却用圧縮機（221）を起動して過冷却用冷媒回路（220）での冷凍サイクルを開始させる。
【発明の効果】
【００５７】
本発明の過冷却装置（200）において、制御手段（240）は、冷媒通路（205）の内部における冷媒の流通状態に応じて過冷却用圧縮機（221）の運転を制御している。つまり、この過冷却装置（200）では、冷凍装置（10）との間で信号の授受などを行わなくても、冷凍装置（10）の運転状態に応じて過冷却用圧縮機（221）の運転を制御することが可能となる。このため、本発明の過冷却装置（200）を冷凍装置（10）に取り付ける際には、冷凍装置（10）の液側の連絡配管（21,22）に過冷却装置（200）の冷媒通路（205）を接続するだけでよく、冷凍装置（10）と過冷却装置（200）の間で信号を授受するための通信用配線を敷設する必要が無くなる。
【００５８】
従って、本発明によれば、過冷却装置（200）を冷凍装置（10）に取り付ける際の作業工数を削減することができ、更には誤配線等の設置作業時の人的ミスに起因するトラブルを未然に防止することができる。
【発明を実施するための最良の形態】
【００５９】
以下、本発明の実施形態を図面に基づいて詳細に説明する。
【００６０】
本実施形態の冷凍システムは、コンビニエンスストア等に設置されて、店内の空気調和とショーケース内の冷却とを行うものである。この冷凍システムは、本発明に係る過冷却装置としての過冷却ユニット（200）と、この過冷却ユニット（200）が取り付けられた冷凍装置（10）とによって構成されている。
【００６１】
図１に示すように、上記冷凍システムには、室外ユニット（11）と、空調ユニット（12）と、冷蔵ショーケース（13）と、冷凍ショーケース（14）と、ブースタユニット（15）と、過冷却ユニット（200）とが設けられている。そして、室外ユニット（11）と、空調ユニット（12）と、冷蔵ショーケース（13）と、冷凍ショーケース（14）と、ブースタユニット（15）とが冷凍装置（10）を構成している。この冷凍システムでは、室外ユニット（11）と過冷却ユニット（200）とが屋外に設置され、残りの空調ユニット（12）等がコンビニエンスストア等の店内に設置される。
【００６２】
室外ユニット（11）には室外回路（40）が、空調ユニット（12）には空調回路（100）が、冷蔵ショーケース（13）には冷蔵回路（110）が、冷凍ショーケース（14）には冷凍回路（130）が、ブースタユニット（15）にはブースタ回路（140）がそれぞれ設けられている。また、過冷却ユニット（200）には、冷媒通路（205）が設けられている。冷凍システムでは、これらの回路（40,100,…）や過冷却ユニット（200）の冷媒通路（205）を配管で接続することによって冷媒回路（20）が構成されている。この冷媒回路（20）には、熱源側冷媒が充填されている。
【００６３】
上記冷媒回路（20）には、第１液側連絡配管（21）と、第２液側連絡配管（22）と、第１ガス側連絡配管（23）と、第２ガス側連絡配管（24）とが設けられている。
【００６４】
第１液側連絡配管（21）は、過冷却ユニット（200）の冷媒通路（205）の一端を室外回路（40）に接続している。第２液側連絡配管（22）の一端は、冷媒通路（205）の他端に接続している。第２液側連絡配管（22）の他端は、３つに分岐して空調回路（100）と冷蔵回路（110）と冷凍回路（130）とに接続している。第２液側連絡配管（22）のうち冷凍回路（130）に接続する分岐管には、液側閉鎖弁（25）が設けられている。
【００６５】
第１ガス側連絡配管（23）の一端は、２つに分岐して冷蔵回路（110）とブースタ回路（140）とに接続している。第１ガス側連絡配管（23）のうちブースタ回路（140）に接続する分岐管には、ガス側閉鎖弁（26）が設けられている。第１ガス側連絡配管（23）の他端は、室外回路（40）に接続している。第２ガス側連絡配管（24）は、空調回路（100）を室外回路（40）に接続している。
【００６６】
〈室外ユニット〉
室外ユニット（11）は、冷凍装置（10）の熱源ユニットを構成している。この室外ユニット（11）は、室外回路（40）を備えている。
【００６７】
室外回路（40）には、可変容量圧縮機（41）と、第１固定容量圧縮機（42）と、第２固定容量圧縮機（43）と、室外熱交換器（44）と、レシーバ（45）と、室外膨張弁（46）とが設けられている。また、室外回路（40）には、３つの吸入管（61,62,63）と、２つの吐出管（64,65）と、４つの液管（81,82,83,84）と、１つの高圧ガス管（66）とが設けられている。更に、室外回路（40）には、３つの四路切換弁（51,52,53）と、１つの液側閉鎖弁（54）と、２つのガス側閉鎖弁（55,56）とが設けられている。
【００６８】
この室外回路（40）において、液側閉鎖弁（54）には第１液側連絡配管（21）が、第１ガス側閉鎖弁（55）には第１ガス側連絡配管（23）が、第２ガス側閉鎖弁（56）には第２ガス側連絡配管（24）がそれぞれ接続されている。
【００６９】
可変容量圧縮機（41）、第１固定容量圧縮機（42）、及び第２固定容量圧縮機（43）は、何れも全密閉型で高圧ドーム型のスクロール圧縮機である。可変容量圧縮機（41）には、インバータを介して電力が供給される。この可変容量圧縮機（41）は、インバータの出力周波数を変化させて圧縮機モータの回転速度を変更することによって、その容量が変更可能となっている。一方、第１，第２固定容量圧縮機（42,43）は、圧縮機モータが常に一定の回転速度で運転されるものであって、その容量が変更不能となっている。
【００７０】
第１吸入管（61）は、その一端が第１ガス側閉鎖弁（55）に接続されている。この第１吸入管（61）は、他端側で第１分岐管（61a）と第２分岐管（61b）とに分岐されており、第１分岐管（61a）が可変容量圧縮機（41）の吸入側に、第２分岐管（61b）が第３四路切換弁（53）にそれぞれ接続されている。第１吸入管（61）の第２分岐管（61b）には、第１ガス側閉鎖弁（55）から第３四路切換弁（53）へ向かう冷媒の流通だけを許容する逆止弁（CV-1）が設けられている。
【００７１】
第２吸入管（62）は、その一端が第３四路切換弁（53）に、他端が第１固定容量圧縮機（42）の吸入側にそれぞれ接続されている。
【００７２】
第３吸入管（63）は、その一端が第２四路切換弁（52）に接続されている。この第３吸入管（63）は、他端側で第１分岐管（63a）と第２分岐管（63b）とに分岐されており、第１分岐管（63a）が第２固定容量圧縮機（43）の吸入側に、第２分岐管（63b）が第３四路切換弁（53）にそれぞれ接続されている。第３吸入管（63）の第２分岐管（63b）には、第２四路切換弁（52）から第３四路切換弁（53）へ向かう冷媒の流通だけを許容する逆止弁（CV-2）が設けられている。
【００７３】
第１吐出管（64）は、一端側で第１分岐管（64a）と第２分岐管（64b）とに分岐されており、第１分岐管（64a）が可変容量圧縮機（41）の吐出側に、第２分岐管（64b）が第１固定容量圧縮機（42）の吐出側にそれぞれ接続されている。第１吐出管（64）の他端は、第１四路切換弁（51）に接続されている。第１吐出管（64）の第２分岐管（64b）には、第１固定容量圧縮機（42）から第１四路切換弁（51）へ向かう冷媒の流通だけを許容する逆止弁（CV-3）が設けられている。
【００７４】
第２吐出管（65）は、その一端が第２固定容量圧縮機（43）の吸入側に、他端が第１吐出管（64）における第１四路切換弁（51）の直前にそれぞれ接続されている。第２吐出管（65）には、第２固定容量圧縮機（43）から第１四路切換弁（51）へ向かう冷媒の流通だけを許容する逆止弁（CV-4）が設けられている。
【００７５】
室外熱交換器（44）は、クロスフィン式のフィン・アンド・チューブ型熱交換器である。この室外熱交換器（44）では、冷媒と室外空気の間で熱交換が行われる。室外熱交換器（44）の一端は、閉鎖弁（57）を介して第１四路切換弁（51）に接続されている。一方、室外熱交換器（44）の他端は、第１液管（81）を介してレシーバ（45）の頂部に接続されている。この第１液管（81）には、室外熱交換器（44）からレシーバ（45）へ向かう冷媒の流通だけを許容する逆止弁（CV-5）が設けられている。
【００７６】
レシーバ（45）の底部には、閉鎖弁（58）を介して第２液管（82）の一端が接続されている。第２液管（82）の他端は、液側閉鎖弁（54）に接続されている。この第２液管（82）には、レシーバ（45）から液側閉鎖弁（54）へ向かう冷媒の流通だけを許容する逆止弁（CV-6）が設けられている。
【００７７】
第２液管（82）における逆止弁（CV-6）と液側閉鎖弁（54）の間には、第３液管（83）の一端が接続されている。第３液管（83）の他端は、第１液管（81）を介してレシーバ（45）の頂部に接続されている。また、第３液管（83）には、その一端から他端へ向かう冷媒の流通だけを許容する逆止弁（CV-7）が設けられている。
【００７８】
第２液管（82）における閉鎖弁（58）と逆止弁（CV-6）の間には、第４液管（84）の一端が接続されている。第４液管（84）の他端は、第１液管（81）における室外熱交換器（44）と逆止弁（CV-5）の間に接続されている。また、第４液管（84）には、その一端から他端へ向かって順に、逆止弁（CV-8）と室外膨張弁（46）とが設けられている。この逆止弁（CV-8）は、第４液管（84）の一端から他端へ向かう冷媒の流通だけを許容する。また、室外膨張弁（46）は、電子膨張弁により構成されている。
【００７９】
高圧ガス管（66）は、その一端が第１吐出管（64）における第１四路切換弁（51）の直前に接続されている。高圧ガス管（66）は、他端側で第１分岐管（66a）と第２分岐管（66b）とに分岐されており、第１分岐管（66a）が第１液管（81）における逆止弁（CV-5）の下流側に、第２分岐管（66b）が第３四路切換弁（53）にそれぞれ接続されている。高圧ガス管（66）の第１分岐管（66a）には、電磁弁（SV-7）と逆止弁（CV-9）とが設けられている。この逆止弁（CV-9）は、電磁弁（SV-7）の下流側に配置され、電磁弁（SV-7）から第１液管（81）へ向かう冷媒の流通だけを許容する。
【００８０】
第１四路切換弁（51）は、第１のポートが第１吐出管（64）の終端に、第２のポートが第２四路切換弁（52）に、第３のポートが室外熱交換器（44）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００８１】
第２四路切換弁（52）は、第１のポートが第２吐出管（65）における逆止弁（CV-4）の下流側に、第２のポートが第２吸入管（62）の始端に、第４のポートが第１四路切換弁（51）の第２のポートにそれぞれ接続されている。また、第２四路切換弁（52）は、その第３のポートが封止されている。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００８２】
第３四路切換弁（53）は、第１のポートが高圧ガス管（66）の第２分岐管（66b）の終端に、第２のポートが第２吸入管（62）の始端に、第３のポートが第１吸入管（61）の第２分岐管（61b）の終端に、第４のポートが第３吸入管（63）の第２分岐管（63b）の終端にそれぞれ接続されている。この第３四路切換弁（53）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００８３】
室外回路（40）には、インジェクション管（85）、連通管（87）、油分離器（75）、及び油戻し管（76）が更に設けられている。また、室外回路（40）には、４つの均油管（71,72,73,74）も設けられている。
【００８４】
インジェクション管（85）は、いわゆる液インジェクションを行うためのものである。インジェクション管（85）は、その一端が第４液管（84）における逆止弁（CV-8）と室外膨張弁（46）の間に、他端が第１吸入管（61）にそれぞれ接続されている。このインジェクション管（85）には、その一端から他端へ向かって順に、閉鎖弁（59）と流量調節弁（86）とが設けられている。流量調節弁（86）は、電子膨張弁により構成されている。
【００８５】
連通管（87）は、その一端がインジェクション管（85）における閉鎖弁（59）と流量調節弁（86）の間に、他端が高圧ガス管（66）の第１分岐管（66a）における電磁弁（SV-7）の上流側にそれぞれ接続されている。この連通管（87）には、その一端から他端へ向かう冷媒の流通だけを許容する逆止弁（CV-10）が設けられている。
【００８６】
油分離器（75）は、第１吐出管（64）のうち第２吐出管（65）及び高圧ガス管（66）の接続位置よりも上流側に設けられている。この油分離器（75）は、圧縮機（41,42）の吐出ガスから冷凍機油を分離するためのものである。
【００８７】
油戻し管（76）は、その一端が油分離器（75）に接続されている。油戻し管（76）は、他端側で第１分岐管（76a）と第２分岐管（76b）とに分岐されており、第１分岐管（76a）がインジェクション管（85）における流量調節弁（86）の下流側に、第２分岐管（76b）が第２吸入管（62）にそれぞれ接続されている。また、油戻し管（76）の第１分岐管（76a）と第２分岐管（76b）とには、電磁弁（SV-5,SV-6）が１つずつ設けられている。第１分岐管（76a）の電磁弁（SV-5）を開くと、油分離器（75）で分離された冷凍機油がインジェクション管（85）を通じて第１吸入管（61）へ送り返される。一方、第２分岐管（76b）の電磁弁（SV-6）を開くと、油分離器（75）で分離された冷凍機油が第２吸入管（62）へ送り返される。
【００８８】
第１均油管（71）は、その一端が可変容量圧縮機（41）に接続され、他端が第２吸入管（62）に接続されている。この第１均油管（71）には、電磁弁（SV-1）が設けられている。第２均油管（72）は、その一端が第１固定容量圧縮機（42）に接続され、他端が第３吸入管（63）の第１分岐管（63a）に接続されている。この第２均油管（72）には、電磁弁（SV-2）が設けられている。第３均油管（73）は、その一端が第２固定容量圧縮機（43）に接続され、他端が第１吸入管（61）の第１分岐管（61a）に接続されている。この第３均油管（73）には、電磁弁（SV-3）が設けられている。第４均油管（74）は、その一端が第２均油管（72）における電磁弁（SV-2）の上流側に接続され、他端が第１吸入管（61）の第１分岐管（61a）に接続されている。この第４均油管（74）には、電磁弁（SV-4）が設けられている。各均油管（71〜74）の電磁弁（SV-1〜SV-4）を適宜開閉することにより、各圧縮機（41,42,43）における冷凍機油の貯留量が平均化される。
【００８９】
室外回路（40）には、各種のセンサや圧力スイッチも設けられている。具体的に、第１吸入管（61）には、第１吸入温度センサ（91）と第１吸入圧力センサ（92）とが設けられている。第２吸入管（62）には、第２吸入圧力センサ（93）が設けられている。第３吸入管（63）には、第３吸入温度センサ（94）と第３吸入圧力センサ（95）とが設けられている。第１吐出管（64）には、第１吐出温度センサ（97）と第１吐出圧力センサ（98）とが設けられている。第１吐出管（64）の各分岐管（64a,64b）には、高圧圧力スイッチ（96）が１つずつ設けられている。第２吐出管（65）には、第２吐出温度センサ（99）と高圧圧力スイッチ（96）とが設けられている。
【００９０】
また、室外ユニット（11）には、外気温センサ（90）と室外ファン（48）とが設けられている。室外熱交換器（44）へは、この室外ファン（48）によって室外空気が送られる。
【００９１】
〈空調ユニット〉
空調ユニット（12）は、利用ユニットを構成している。空調ユニット（12）は、空調回路（100）を備えている。この空調回路（100）は、その液側端が第２液側連絡配管（22）、ガス側端が第２ガス側連絡配管（24）にそれぞれ接続されている。
【００９２】
空調回路（100）では、その液側端からガス側端へ向かって順に、空調膨張弁（102）と空調熱交換器（101）とが設けられている。空調熱交換器（101）は、クロスフィン式のフィン・アンド・チューブ型熱交換器である。この空調熱交換器（101）では、冷媒と室内空気の間で熱交換が行われる。一方、空調膨張弁（102）は、電子膨張弁によって構成されている。
【００９３】
空調ユニット（12）には、熱交換器温度センサ（103）と冷媒温度センサ（104）とが設けられている。熱交換器温度センサ（103）は、空調熱交換器（101）の伝熱管に取り付けられている。冷媒温度センサ（104）は、空調回路（100）におけるガス側端の近傍に取り付けられている。また、空調ユニット（12）には、内気温センサ（106）と空調ファン（105）とが設けられている。空調熱交換器（101）へは、この空調ファン（105）によって店内の室内空気が送られる。
【００９４】
〈冷蔵ショーケース〉
冷蔵ショーケース（13）は、利用ユニットを構成している。冷蔵ショーケース（13）は、冷蔵回路（110）を備えている。この冷蔵回路（110）は、その液側端が第２液側連絡配管（22）に、ガス側端が第１ガス側連絡配管（23）にそれぞれ接続されている。
【００９５】
冷蔵回路（110）では、その液側端からガス側端へ向かって順に、冷蔵電磁弁（114）と冷蔵膨張弁（112）と冷蔵熱交換器（111）とが設けられている。冷蔵熱交換器（111）は、クロスフィン式のフィン・アンド・チューブ型熱交換器である。この冷蔵熱交換器（111）では、冷媒と庫内空気の間で熱交換が行われる。冷蔵膨張弁（112）は、温度自動膨張弁によって構成されている。冷蔵膨張弁（112）の感温筒（113）は、冷蔵熱交換器（111）の出口側の配管に取り付けられている。
【００９６】
冷蔵ショーケース（13）には、冷蔵庫内温度センサ（116）と冷蔵庫内ファン（115）とが設けられている。冷蔵熱交換器（111）へは、この冷蔵庫内ファン（115）によって冷蔵ショーケース（13）の庫内空気が送られる。
【００９７】
〈冷凍ショーケース〉
冷凍ショーケース（14）は、利用ユニットを構成している。冷凍ショーケース（14）は、冷凍回路（130）を備えている。この冷凍回路（130）は、その液側端が第２液側連絡配管（22）に接続されている。また、冷凍回路（130）のガス側端は、配管を介してブースタユニット（15）に接続されている。
【００９８】
冷凍回路（130）では、その液側端からガス側端へ向かって順に、冷凍電磁弁（134）と冷凍膨張弁（132）と冷凍熱交換器（131）とが設けられている。冷凍熱交換器（131）は、クロスフィン式のフィン・アンド・チューブ型熱交換器である。この冷凍熱交換器（131）では、冷媒と庫内空気の間で熱交換が行われる。冷凍膨張弁（132）は、温度自動膨張弁によって構成されている。冷凍膨張弁（132）の感温筒（133）は、冷凍熱交換器（131）の出口側の配管に取り付けられている。
【００９９】
冷凍ショーケース（14）には、冷凍庫内温度センサ（136）と冷凍庫内ファン（135）とが設けられている。冷凍熱交換器（131）へは、この冷凍庫内ファン（135）によって冷凍ショーケース（14）の庫内空気が送られる。
【０１００】
〈ブースタユニット〉
ブースタユニット（15）は、ブースタ回路（140）を備えている。このブースタ回路（140）には、ブースタ圧縮機（141）と、吸入管（143）と、吐出管（144）と、バイパス管（150）とが設けられている。
【０１０１】
ブースタ圧縮機（141）は、全密閉型で高圧ドーム型のスクロール圧縮機である。ブースタ圧縮機（141）には、インバータを介して電力が供給される。このブースタ圧縮機（141）は、インバータの出力周波数を変化させて圧縮機モータの回転速度を変更することによって、その容量が変更可能となっている。
【０１０２】
吸入管（143）は、その終端がブースタ圧縮機（141）の吸入側に接続されている。吸入管（143）の始端は、配管を介して冷凍回路（130）のガス側端に接続されている。
【０１０３】
吐出管（144）は、その始端がブースタ圧縮機（141）の吐出側に、終端が第１ガス側連絡配管（23）にそれぞれ接続されている。この吐出管（144）には、その始端から終端へ向かって順に、高圧圧力スイッチ（148）と、油分離器（145）と、吐出側逆止弁（149）とが設けられている。吐出側逆止弁（149）は、吐出管（144）の始端から終端へ向かう冷媒の流通だけを許容する。
【０１０４】
油分離器（145）は、ブースタ圧縮機（141）の吐出ガスから冷凍機油を分離するためのものである。油分離器（145）には、油戻し管（146）の一端が接続されている。油戻し管（146）の他端は、吸入管（143）に接続されている。油戻し管（146）には、キャピラリチューブ（147）が設けられている。油分離器（145）で分離された冷凍機油は、油戻し管（146）を通じてブースタ圧縮機（141）の吸入側へ送り返される。
【０１０５】
バイパス管（150）は、その始端が吸入管（143）に、終端が吐出管（64）における油分離器（145）と吐出側逆止弁（149）の間にそれぞれ接続されている。このバイパス管（150）には、その始端から終端へ向かう冷媒の流通だけを許容するバイパス逆止弁（151）が設けられている。
【０１０６】
〈過冷却ユニット〉
過冷却装置としての過冷却ユニット（200）は、冷媒通路（205）と過冷却用冷媒回路（220）と過冷却用熱交換器（210）とコントローラ（240）とを備えている。
【０１０７】
冷媒通路（205）は、その一端が第１液側連絡配管（21）に、他端が第２液側連絡配管（22）にそれぞれ接続されている。
【０１０８】
過冷却用冷媒回路（220）は、過冷却用圧縮機（221）と、過冷却用室外熱交換器（222）と、過冷却用膨張弁（223）と、過冷却用熱交換器（210）とを順に配管で接続して構成された閉回路である。この過冷却用冷媒回路（220）は、冷却用流体回路を構成している。過冷却用冷媒回路（220）には、冷却用流体としての過冷却用冷媒が充填されている。この過冷却用冷媒としては、Ｒ４０７Ｃ等のいわゆるフロン冷媒だけでなく、二酸化炭素（ＣＯ2）やアンモニア等の各種の冷媒を用いることができる。この過冷却用冷媒回路（220）では、充填された過冷却用冷媒を循環させることによって冷凍サイクルが行われる。
【０１０９】
過冷却用圧縮機（221）は、全密閉型で高圧ドーム型のスクロール圧縮機である。過冷却用圧縮機（221）には、インバータを介して電力が供給される。この過冷却用圧縮機（221）は、インバータの出力周波数を変化させて圧縮機モータの回転速度を変更することによって、その容量が変更可能となっている。過冷却用室外熱交換器（222）は、クロスフィン式のフィン・アンド・チューブ型熱交換器である。この過冷却用室外熱交換器（222）では、過冷却用冷媒と室外空気の間で熱交換が行われる。過冷却用膨張弁（223）は、電子膨張弁によって構成されている。
【０１１０】
過冷却用熱交換器（210）は、いわゆるプレート式熱交換器によって構成されている。過冷却用熱交換器（210）には、第１流路（211）と第２流路（212）とが複数ずつ形成されている。第１流路（211）には過冷却用冷媒回路（220）が、第２流路（212）には冷媒通路（205）がそれぞれ接続されている。そして、この過冷却用熱交換器（210）は、第１流路（211）を流れる過冷却用冷媒と、第２流路（212）を流れる冷凍装置（10）の冷媒とを熱交換させる。
【０１１１】
過冷却ユニット（200）には、各種のセンサや圧力スイッチも設けられている。具体的に、過冷却用冷媒回路（220）では、過冷却用圧縮機（221）の吸入側に吸入温度センサ（235）と吸入圧力センサ（234）とが設けられ、過冷却用圧縮機（221）の吐出側に吐出温度センサ（233）と高圧圧力スイッチ（232）とが設けられている。冷媒通路（205）では、過冷却用熱交換器（210）よりも他端寄りの部分、即ち第２液側連絡配管（22）に接続する端部寄りの部分に冷媒温度センサ（236）が設けられている。この冷媒温度センサ（236）は、冷媒温度検出手段を構成している。
【０１１２】
また、過冷却ユニット（200）には、外気温センサ（231）と室外ファン（230）とが設けられている。過冷却用室外熱交換器（222）へは、この室外ファン（230）によって室外空気が送られる。
【０１１３】
コントローラ（240）は、制御手段を構成している。コントローラ（240）には、冷媒温度センサ（236）の検出値と、吸入圧力センサ（234）の検出値と、外気温センサ（231）の検出値とが入力されている。そして、このコントローラ（240）は、入力されたセンサの検出値に基づき、過冷却用圧縮機（221）の起動と停止とを制御するように構成されている。このコントローラ（240）には、室外ユニット（11）や空調ユニット（12）などで構成された冷凍装置（10）からの信号は一切入力されていない。つまり、コントローラ（240）は、過冷却ユニット（200）に設けられたセンサの検出値など、過冷却ユニット（200）の内部で得られた情報だけに基づいて過冷却用圧縮機（221）の運転制御を行う。
【０１１４】
−冷凍システムの運転動作−
上記冷凍システムが行う運転動作のうち、主要なものについて説明する。
【０１１５】
〈冷房運転〉
冷房運転は、冷蔵ショーケース（13）及び冷凍ショーケース（14）において庫内空気の冷却を行い、空調ユニット（12）で室内空気の冷却を行って店内を冷房する運転である。
【０１１６】
図２に示すように、冷房運転中は、第１四路切換弁（51）、第２四路切換弁（52）、及び第３四路切換弁（53）がそれぞれ第１状態に設定される。また、室外膨張弁（46）が全閉される一方、空調膨張弁（102）、冷蔵膨張弁（112）、及び冷凍膨張弁（132）の開度がそれぞれ適宜調節される。この状態において、可変容量圧縮機（41）、第１固定容量圧縮機（42）、第２固定容量圧縮機（43）、及びブースタ圧縮機（141）が運転される。この冷房運転中には、過冷却ユニット（200）が運転状態となる。過冷却ユニット（200）の運転動作については後述する。
【０１１７】
可変容量圧縮機（41）、第１固定容量圧縮機（42）、及び第２固定容量圧縮機（43）から吐出された冷媒は、第１四路切換弁（51）を通過して室外熱交換器（44）へ送られる。室外熱交換器（44）では、冷媒が室外空気へ放熱して凝縮する。室外熱交換器（44）で凝縮した冷媒は、第１液管（81）とレシーバ（45）と第２液管（82）とを順に通過して第１液側連絡配管（21）へ流入する。
【０１１８】
第１液側連絡配管（21）へ流入した冷媒は、過冷却ユニット（200）の冷媒通路（205）へ流入する。冷媒通路（205）へ流入した冷媒は、過冷却用熱交換器（210）の第２流路（212）を通過する間に冷却される。過冷却用熱交換器（210）で冷却された過冷却状態の液冷媒は、第２液側連絡配管（22）を通って空調回路（100）と冷蔵回路（110）と冷凍回路（130）とに分配される。
【０１１９】
空調回路（100）へ流入した冷媒は、空調膨張弁（102）を通過する際に減圧されてから空調熱交換器（101）へ導入される。空調熱交換器（101）では、冷媒が室内空気から吸熱して蒸発する。その際、空調熱交換器（101）では、冷媒の蒸発温度が例えば５℃程度に設定される。空調ユニット（12）では、空調熱交換器（101）で冷却された室内空気が店内へ供給される。
【０１２０】
空調熱交換器（101）で蒸発した冷媒は、第２ガス側連絡配管（24）を通って室外回路（40）へ流入し、その後、第１四路切換弁（51）と第２四路切換弁（52）を順に通過して第３吸入管（63）へ流入する。第３吸入管（63）へ流入した冷媒は、その一部が第１分岐管（63a）を通って第２固定容量圧縮機（43）に吸入され、残りが第２分岐管（63b）と第３四路切換弁（53）と第２吸入管（62）とを順に通過して第１固定容量圧縮機（42）に吸入される。
【０１２１】
冷蔵回路（110）へ流入した冷媒は、冷蔵膨張弁（112）を通過する際に減圧されてから冷蔵熱交換器（111）へ導入される。冷蔵熱交換器（111）では、冷媒が庫内空気から吸熱して蒸発する。その際、冷蔵熱交換器（111）では、冷媒の蒸発温度が例えば−５℃程度に設定される。冷蔵熱交換器（111）で蒸発した冷媒は、第１ガス側連絡配管（23）へ流入する。冷蔵ショーケース（13）では、冷蔵熱交換器（111）で冷却された庫内空気が庫内へ供給され、庫内温度が例えば５℃程度に保たれる。
【０１２２】
冷凍回路（130）へ流入した冷媒は、冷凍膨張弁（132）を通過する際に減圧されてから冷凍熱交換器（131）へ導入される。冷凍熱交換器（131）では、冷媒が庫内空気から吸熱して蒸発する。その際、冷凍熱交換器（131）では、冷媒の蒸発温度が例えば−３０℃程度に設定される。冷凍ショーケース（14）では、冷凍熱交換器（131）で冷却された庫内空気が庫内へ供給され、庫内温度が例えば−２０℃程度に保たれる。
【０１２３】
冷凍熱交換器（131）で蒸発した冷媒は、ブースタ回路（140）へ流入してブースタ圧縮機（141）へ吸入される。ブースタ圧縮機（141）で圧縮された冷媒は、吐出管（144）を通って第１ガス側連絡配管（23）へ流入する。
【０１２４】
第１ガス側連絡配管（23）では、冷蔵回路（110）から送り込まれた冷媒と、ブースタ回路（140）から送り込まれた冷媒とが合流する。そして、これらの冷媒は、第１ガス側連絡配管（23）を通過して室外回路（40）の第１吸入管（61）へ流入する。第１吸入管（61）へ流入した冷媒は、その第１分岐管（61a）を通って可変容量圧縮機（41）に吸入される。
【０１２５】
〈第１暖房運転〉
第１暖房運転は、冷蔵ショーケース（13）及び冷凍ショーケース（14）において庫内空気の冷却を行い、空調ユニット（12）で室内空気の加熱を行って店内を暖房する運転である。
【０１２６】
図３に示すように、室外回路（40）では、第１四路切換弁（51）が第２状態に、第２四路切換弁（52）が第１状態に、第３四路切換弁（53）が第１状態にそれぞれ設定される。また、室外膨張弁（46）が全閉される一方、空調膨張弁（102）、冷蔵膨張弁（112）、及び冷凍膨張弁（132）の開度が適宜調節される。この状態において、可変容量圧縮機（41）及びブースタ圧縮機（141）が運転され、第１固定容量圧縮機（42）及び第２固定容量圧縮機（43）が休止する。また、室外熱交換器（44）は、冷媒が送り込まれずに休止状態となる。この第１暖房運転中には、過冷却ユニット（200）が停止状態となる。
【０１２７】
可変容量圧縮機（41）から吐出された冷媒は、第１四路切換弁（51）と第２ガス側連絡配管（24）と順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）を通って冷蔵回路（110）と冷凍回路（130）とに分配される。
【０１２８】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。第１ガス側連絡配管（23）へ流入した冷媒は、第１吸入管（61）を通過後に可変容量圧縮機（41）に吸入されて圧縮される。
【０１２９】
このように、第１暖房運転では、冷蔵熱交換器（111）及び冷凍熱交換器（131）において冷媒が吸熱し、空調熱交換器（101）において冷媒が放熱する。そして、冷蔵熱交換器（111）及び冷凍熱交換器（131）で冷媒が庫内空気から吸熱した熱を利用して、店内の暖房が行われる。
【０１３０】
尚、第１暖房運転中には、図４に示すように、第１固定容量圧縮機（42）を運転してもよい。第１固定容量圧縮機（42）を運転するか否かは、冷蔵ショーケース（13）及び冷凍ショーケース（14）における冷却負荷に応じて決定される。この場合には、第３四路切換弁（53）が第２状態に設定される。そして、第１吸入管（61）へ流入した冷媒は、その一部が第１分岐管（61a）を通って可変容量圧縮機（41）に吸入され、残りが第２分岐管（61b）と第３四路切換弁（53）と第２吸入管（62）とを順に通って第１固定容量圧縮機（42）へ吸入される。
【０１３１】
〈第２暖房運転〉
第２暖房運転は、上記第１暖房運転と同様に店内の暖房を行う運転である。この第２暖房運転は、上記第１暖房運転では暖房能力が不足する場合に行われる。
【０１３２】
図５に示すように、室外回路（40）では、第１四路切換弁（51）が第２状態に、第２四路切換弁（52）が第１状態に、第３四路切換弁（53）が第１状態にそれぞれ設定される。また、室外膨張弁（46）、空調膨張弁（102）、冷蔵膨張弁（112）、及び冷凍膨張弁（132）の開度が適宜調節される。この状態において、可変容量圧縮機（41）、第２固定容量圧縮機（43）、及びブースタ圧縮機（141）が運転され、第１固定容量圧縮機（42）が休止する。この第１暖房運転中には、過冷却ユニット（200）が停止状態となる。
【０１３３】
可変容量圧縮機（41）及び第２固定容量圧縮機（43）から吐出された冷媒は、第１四路切換弁と第２ガス側連絡配管（24）とを順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）へ流入する。第２液側連絡配管（22）へ流入した冷媒は、その一部が冷蔵回路（110）と冷凍回路（130）とに分配され、残りが過冷却ユニット（200）の冷媒通路（205）へ導入される。
【０１３４】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。そして、第１ガス側連絡配管（23）へ流入した冷媒は、第１吸入管（61）を通過後に可変容量圧縮機（41）に吸入されて圧縮される。
【０１３５】
過冷却ユニット（200）の冷媒通路（205）へ流入した冷媒は、第１液側連絡配管（21）と第３液管（83）とを順に通過してレシーバ（45）へ流入し、その後に第２液管（82）を通って第４液管（84）へ流入する。第４液管（84）へ流入した冷媒は、室外膨張弁（46）を通過する際に減圧されてから室外熱交換器（44）へ導入され、室外空気から吸熱して蒸発する。室外熱交換器（44）で蒸発した冷媒は、第１四路切換弁（51）と第２四路切換弁（52）とを順に通過して第２吸入管（62）へ流入し、第２固定容量圧縮機（43）へ吸入されて圧縮される。
【０１３６】
このように、第２暖房運転では、冷蔵熱交換器（111）、冷凍熱交換器（131）、及び室外熱交換器（44）において冷媒が吸熱し、空調熱交換器（101）において冷媒が放熱する。そして、冷蔵熱交換器（111）及び冷凍熱交換器（131）で冷媒が庫内空気から吸熱した熱と、室外熱交換器（44）で冷媒が室外空気から吸熱した熱とを利用して、店内の暖房が行われる。
【０１３７】
−過冷却ユニットの運転動作−
過冷却ユニット（200）の運転動作について説明する。過冷却ユニット（200）の運転状態では、過冷却用圧縮機（221）が運転されると共に、過冷却用膨張弁（223）の開度が適宜調節される。
【０１３８】
図１に示すように、過冷却用圧縮機（221）から吐出された過冷却用冷媒は、過冷却用室外熱交換器（222）で室外空気へ放熱して凝縮する。過冷却用室外熱交換器（222）で凝縮した過冷却用冷媒は、過冷却用膨張弁（223）を通過する際に減圧されてから過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、過冷却用圧縮機（221）へ吸入されて圧縮される。
【０１３９】
上述したように、コントローラ（240）は、入力されたセンサの検出値に基づき、過冷却用圧縮機（221）の起動と停止とを制御する。ここでは、コントローラ（240）の制御動作について、図６を参照しながら説明する。このコントローラ（240）の制御動作は、一定の時間間隔（例えば１０秒間隔）で繰り返し行われる。
【０１４０】
最初に、ステップST10では、過冷却用圧縮機（221）が運転中か停止中かの判断が行われる。
【０１４１】
ステップST10で過冷却用圧縮機（221）が運転中であると判断されると、ステップST11へ移る。ステップST11では、過冷却用圧縮機（221）が起動した時点から所定時間（例えば２分間）が経過しているか否かが判断される。そして、過冷却用圧縮機（221）の起動時点から所定時間が経過していればステップST12へ移る。一方、所定時間が経過していなければステップST14へ移って制御動作を一旦終了し、過冷却用圧縮機（221）の運転を継続させる。
【０１４２】
ステップST12では、過冷却用圧縮機（221）を停止させるかどうかの判断が行われる。このステップST12では、以下に示す４つの条件が満たされるか否かの判断が行われる。そして、これら４つの条件の何れか１つでも満たされていれば、ステップST13へ移って過冷却用圧縮機（221）を停止させる。一方、これら４つの条件が全て満たされていなければ、ステップST14へ移って制御動作を一旦終了し、過冷却用圧縮機（221）の運転を継続させる。
【０１４３】
ステップST12の第１条件について説明する。この第１条件は、過冷却用圧縮機（221）の起動後に冷媒温度センサ（236）の検出値が順調に低下してゆくかどうかを判断するための条件である。
【０１４４】
ステップST12の第１条件を満たすためには、次の６つの要件を充足する必要がある。第１の要件は、外気温センサ（231）の検出値Ｔaが２０℃未満である（Ｔa＜２０）というものである。第２の要件は、過冷却用圧縮機（221）の起動時点における冷媒温度センサ（236）の検出値Ｔout#0と過冷却用圧縮機（221）の起動から１分経過後における冷媒温度センサ（236）の検出値Ｔout#1との差が３℃以下である（Ｔout#0−Ｔout#1≦３）というものである。第３の要件は、過冷却用圧縮機（221）の起動時点における冷媒温度センサ（236）の検出値Ｔout#0と過冷却用圧縮機（221）の起動から２分経過後における冷媒温度センサ（236）の検出値Ｔout#2との差が５℃以下である（Ｔout#0−Ｔout#2≦５）いうものである。第４の要件は、過冷却用圧縮機（221）の起動時点における冷媒温度センサ（236）の検出値Ｔout#0と過冷却用圧縮機（221）の起動から３分経過後における冷媒温度センサ（236）の検出値Ｔout#3との差が７℃以下である（Ｔout#0−Ｔout#3≦７）というものである。第５の要件は、過冷却用圧縮機（221）の起動時点から既に３分経過しているというものである。第６の要件は、冷媒温度センサ（236）が正常に作動しているというものである。
【０１４５】
これら第１〜第６の要件が全て満たされる場合には、室外空気の温度がさほど高くなくて過冷却用熱交換器（210）での冷却能力が充分に得られているにも拘わらず、冷媒温度センサ（236）の検出値Ｔoutがさほど低下してゆかない状態となっている。このため、ステップST12の第１条件が満たされた場合には、第１暖房運転中のように冷媒通路（205）内を冷媒が流れていない状態か、第２暖房運転中のように冷媒通路（205）内を室外ユニット（11）へ向けて冷媒が流れる状態であると判断できる。そこで、この第１条件が満たされると、コントローラ（240）は、冷凍装置（10）が過冷却ユニット（200）の運転を必要としない運転状態にあると判断し、過冷却用圧縮機（221）を停止させる。
【０１４６】
ステップST12の第２条件について説明する。この第２条件は、過冷却用圧縮機（221）の運転中に冷媒温度センサ（236）の検出値が過冷却用冷媒の蒸発温度に対応した妥当な値になっているかどうかを判断するための条件である。
【０１４７】
ステップST12の第２条件を満たすためには、次の４つの要件を充足する必要がある。第１の要件は、過冷却用圧縮機（221）の起動時点から既に５分経過しているというものである。第２の要件は、冷媒温度センサ（236）の検出値Ｔoutが過冷却用熱交換器（210）における過冷却用冷媒の蒸発温度Ｔgに１５を加えた値よりも大きい（Ｔout＞Ｔg＋１５）というものである。第３の要件は、冷媒温度センサ（236）が正常に作動しているというものである。第４の要件は、吸入圧力センサ（234）が正常に作動しているというものである。
【０１４８】
尚、このコントローラ（240）では、吸入圧力センサ（234）の検出値ＬＰにおける過冷却用冷媒の飽和温度を、過冷却用冷媒の蒸発温度Ｔgとみなしている。つまり、本実施形態では、過冷却用冷媒の蒸発温度を検出する蒸発温度検出手段が、吸入圧力センサ（234）によって構成されている。
【０１４９】
これら第１〜第４の要件が全て満たされる場合には、過冷却用冷媒回路（220）で冷凍サイクルが行われているにも拘わらず、冷媒温度センサ（236）の検出値Ｔoutと過冷却用冷媒の蒸発温度Ｔgとの差が１５℃よりも大きい状態となっている。このため、ステップST12の第２条件が満たされた場合も、第１暖房運転中のように冷媒通路（205）内を冷媒が流れていない状態か、第２暖房運転中のように冷媒通路（205）内を室外ユニット（11）へ向けて冷媒が流れる状態であると判断できる。そこで、この第２条件が満たされると、コントローラ（240）は、冷凍装置（10）が過冷却ユニット（200）の運転を必要としない運転状態にあると判断し、過冷却用圧縮機（221）を停止させる。
【０１５０】
ステップST12の第３条件について説明する。この第３条件が満たされるのは、吸入圧力センサ（234）の検出値ＬＰが０.２MPa未満であり、且つ吸入圧力センサ（234）が異常となっている場合である。この場合には、吸入圧力センサ（234）の検出値が正常ではないため、それに基づいて過冷却用圧縮機（221）の運転を適切に制御することができない。そこで、第３条件が満たされると、コントローラ（240）は、過冷却用圧縮機（221）を停止させる。
【０１５１】
ステップST12の第４条件について説明する。この第４条件が満たされるのは、吸入圧力センサ（234）の検出値ＬＰが０.１５MPa未満となっている場合である。この場合には、吸入圧力センサ（234）の検出値が通常の運転状態では有り得ない程の低い値となっている。そこで、第４条件が満たされると、コントローラ（240）は、何らかのトラブルが発生していると判断し、過冷却用圧縮機（221）を停止させる。
【０１５２】
ステップST10で過冷却用圧縮機（221）が停止中であると判断されると、ステップST15へ移る。ステップST15では、過冷却用圧縮機（221）の停止時点から所定時間が経過したか否かが判断される。過冷却用圧縮機（221）の起動と停止が短時間の間に繰り返されるのを回避するため、過冷却用圧縮機（221）が一旦停止すると、その停止時点からある程度の時間が経過するまでは過冷却用圧縮機（221）の再起動を制限する。ステップST15において、過冷却用圧縮機（221）の停止時点から所定時間が経過していなければ、ステップST14へ移って制御動作を一旦終了し、過冷却用圧縮機（221）を停止状態に保持する。一方、過冷却用圧縮機（221）の停止時点から所定時間が経過していれば、ステップST16へ移る。
【０１５３】
ステップST16では、過冷却用圧縮機（221）を起動するかどうかの判断が行われる。このステップST16では、以下に示す３つの条件が満たされるか否かの判断が行われる。そして、これら３つの条件の何れか１つでも満たされていれば、ステップST17へ移って過冷却用圧縮機（221）を起動する。一方、これら３つの条件が全て満たされていなければ、ステップST14へ移って制御動作を一旦終了し、過冷却用圧縮機（221）を停止状態に保持する。
【０１５４】
ステップST16の第１条件について説明する。この第１条件が満たされるのは、外気温センサ（231）の検出値Ｔaが２５℃以上であり、且つ過冷却用圧縮機（221）の停止時点から既に１分経過している場合である。この場合には、室外空気がかなり高温であるにも拘わらず、１分以上に亘って過冷却用圧縮機（221）が停止した状態となっている。そこで、第１条件が満たされると、コントローラ（240）は、冷媒通路（205）内の冷媒を冷却するために過冷却用圧縮機（221）を起動する。
【０１５５】
ステップST16の第２条件について説明する。この第２条件が満たされるのは、外気温センサ（231）の検出値Ｔaが２０℃以上であり、且つ過冷却用圧縮機（221）の停止時点から既に３分経過している場合である。この場合には、室外空気が比較的高温であるにも拘わらず、３分以上に亘って過冷却用圧縮機（221）が停止した状態となっている。そこで、第２条件が満たされると、コントローラ（240）は、冷媒通路（205）内の冷媒を冷却するために過冷却用圧縮機（221）を起動する。
【０１５６】
ステップST16の第３条件について説明する。この第３条件が満たされるのは、過冷却用圧縮機（221）の停止時点から既に１０分経過している場合である。この場合には、比較的長時間に亘って過冷却用圧縮機（221）が停止した状態となっている。そこで、第３条件が満たされると、コントローラ（240）は、冷媒通路（205）内の冷媒を冷却するために過冷却用圧縮機（221）を起動する。このように、コントローラ（240）は、過冷却用圧縮機（221）の停止時間が１０分間以上に達すると、必ず過冷却用圧縮機（221）の起動を行う。
【０１５７】
−実施形態の効果−
上記過冷却ユニット（200）において、コントローラ（240）は、過冷却ユニット（200）に設けられたセンサの検出値など、過冷却ユニット（200）内で得られる情報だけに基づいて過冷却用圧縮機（221）の運転を制御している。つまり、この過冷却ユニット（200）では、冷凍装置（10）との間で信号の授受などを行わなくても、冷凍装置（10）の運転状態に応じて過冷却用圧縮機（221）の運転を制御することが可能となる。このため、上記過冷却ユニット（200）を冷凍装置（10）に取り付ける際には、冷凍装置（10）の第１，第２液側連絡配管（21,22）に過冷却ユニット（200）の冷媒通路（205）を接続するだけでよく、冷凍装置（10）と過冷却ユニット（200）の間で信号を授受するための通信用配線を敷設する必要が無くなる。
【０１５８】
従って、本実施形態によれば、過冷却ユニット（200）を冷凍装置（10）に取り付ける際の作業工数を削減することができ、更には誤配線等の設置作業時の人的ミスに起因するトラブルを未然に防止することができる。
【０１５９】
ここで、過冷却ユニット（200）と冷凍装置（10）の間で信号を授受するためには、過冷却ユニット（200）だけでなく冷凍装置（10）にも通信インターフェースが必要となる。このため、運転制御に冷凍装置（10）からの信号入力が必要な過冷却ユニット（200）については、適用可能な冷凍装置（10）の機種が制限されることとなり、過冷却ユニット（200）の使い勝手が良くないという問題もあった。
【０１６０】
これに対し、本実施形態の過冷却ユニット（200）は、冷凍装置（10）との間における信号の授受を全く必要とせず、取り付け対象となる冷凍装置（10）について制約を受けない。従って、本実施形態によれば、過冷却ユニット（200）の取り付け対象となる冷凍装置（10）の機種の制約をなくすことができ、過冷却ユニット（200）の使い勝手を大幅に向上させることができる。
【０１６１】
−実施形態の変形例１−
本実施形態の過冷却ユニット（200）では、冷媒通路（205）における過冷却用熱交換器（210）の両側に温度センサ（237,238）を設け、これら温度センサ（237,238）の検出値に基づいて過冷却用圧縮機（221）を運転制御するようにしてもよい。
【０１６２】
図７に示すように、冷媒通路（205）では、過冷却用熱交換器（210）よりも他端寄りの部分、即ち第２液側連絡配管（22）に接続する端部寄りの部分に第１冷媒温度センサ（237）が設けられる。また、この冷媒通路（205）では、過冷却用熱交換器（210）よりも一端寄りの部分、即ち第１液側連絡配管（21）に接続する端部寄りの部分に第２冷媒温度センサ（238）が設けられる。この過冷却ユニット（200）では、第１冷媒温度センサ（237）が第１冷媒温度検出手段を、第２冷媒温度センサ（238）が第２冷媒温度検出手段をそれぞれ構成している。
【０１６３】
本変形例のコントローラ（240）には、第１冷媒温度センサ（237）の検出値と第２冷媒温度センサ（238）の検出値とが入力される。このコントローラ（240）は、過冷却用圧縮機（221）の運転中における２つの冷媒温度センサ（237,238）の検出値を対比し、その結果に応じて過冷却用圧縮機（221）の運転を継続させるか停止させるかを決定するように構成されている。
【０１６４】
このコントローラ（240）の制御動作について説明する。
【０１６５】
先ず、過冷却用圧縮機（221）の運転中に第１冷媒温度センサ（237）の検出値が第２冷媒温度センサ（238）の検出値よりも低くなっていれば、過冷却用熱交換器（210）で冷却された冷媒の温度が第１冷媒温度センサ（237）によって検出されていることとなる。従って、この場合には、例えば冷房運転中のように冷媒通路（205）内を第１液側連絡配管（21）側から第２液側連絡配管（22）側へ向かって冷媒が流れていると判断でき、コントローラ（240）は過冷却用圧縮機（221）の運転を継続させる。
【０１６６】
一方、過冷却用圧縮機（221）の運転中に第２冷媒温度センサ（238）の検出値が第１冷媒温度センサ（237）の検出値よりも低くなっていれば、過冷却用熱交換器（210）で冷却された冷媒の温度が第２冷媒温度センサ（238）によって検出されていることとなる。従って、この場合には、例えば第２暖房運転中のように冷媒通路（205）内を第２液側連絡配管（22）側から第１液側連絡配管（21）側へ向かって冷媒が流れていると判断でき、コントローラ（240）は過冷却用圧縮機（221）の運転を停止させる。
【０１６７】
また、過冷却用圧縮機（221）の運転中に第１冷媒温度センサ（237）の検出値と第２冷媒温度センサ（238）の検出値とが殆ど同じになっていれば、例えば第１暖房運転中のように冷媒通路（205）内で冷媒が流通していないと判断でき、コントローラ（240）は過冷却用圧縮機（221）の運転を停止させる。
【０１６８】
なお、本変形例のコントローラ（240）では、第１冷媒温度センサ（237）の検出値が第２冷媒温度センサ（238）の検出値との差を、冷媒通路（205）における冷媒の流通状態を示す流通状態表示値として用いてもよい。つまり、第１冷媒温度センサ（237）の検出値から第２冷媒温度センサ（238）の検出値を差し引いた値が負であれば、第１冷媒温度センサ（237）の検出値が第２冷媒温度センサ（238）の検出値よりも低い状態であると判断できるため、コントローラ（240）は過冷却用圧縮機（221）の運転を継続させる。また、第１冷媒温度センサ（237）の検出値から第２冷媒温度センサ（238）の検出値を差し引いた値がゼロ以上であれば、第１冷媒温度センサ（237）の検出値が第２冷媒温度センサ（238）の検出値よりも高いか或いは両者が同じ状態であると判断できるため、コントローラ（240）は過冷却用圧縮機（221）を停止させる。
【０１６９】
−実施形態の変形例２−
本実施形態の過冷却ユニット（200）では、図８に示すように、冷媒通路（205）に流量計（251）を設け、この流量計（251）の検出値に基づいて過冷却用圧縮機（221）を運転制御するようにしてもよい。
【０１７０】
この過冷却ユニット（200）では、流量計（251）の検出値がコントローラ（240）に入力される。コントローラ（240）は、冷媒通路（205）内における冷媒の流通方向と、冷媒通路（205）内で冷媒が流通しているか否かとを、流量計（251）の検出値に基づいて判断する。つまり、このコントローラ（240）は、流量計（251）の検出値を、冷媒通路（205）における冷媒の流通状態を示す流通状態表示値として用いている。
【０１７１】
過冷却用圧縮機（221）の運転中に冷媒通路（205）内を第１液側連絡配管（21）側から第２液側連絡配管（22）側へ向かって冷媒が流れていると判断した場合、コントローラ（240）は、過冷却用圧縮機（221）の運転を継続させる。また、過冷却用圧縮機（221）の運転中に冷媒通路（205）内を第２液側連絡配管（22）側から第１液側連絡配管（21）側へ向かって冷媒が流れていると判断した場合、あるいは過冷却用圧縮機（221）の運転中に冷媒通路（205）内を冷媒が流通していないと判断した場合、コントローラ（240）は、過冷却用圧縮機（221）の運転を停止させる。
【０１７２】
−実施形態の変形例３−
本実施形態のコントローラ（240）では、外気温センサ（231）の検出値だけに基づいて、過冷却用圧縮機（221）の運転を制御してもよい。
【０１７３】
コントローラ（240）の動作を説明する。外気温センサ（231）の検出値が所定の上限値（例えば３０℃）を上回ると、冷蔵ショーケース（13）や冷凍ショーケース（14）での冷却負荷、あるいは空調ユニット（12）での冷房負荷が高くなっていると推測できる。そこで、このような場合、コントローラ（240）は、過冷却用圧縮機（221）が停止中であれば過冷却用圧縮機（221）を起動させ、過冷却用圧縮機（221）が運転中であれば過冷却用圧縮機（221）の運転を継続させる。冷媒通路（205）内を第１液側連絡配管（21）側から第２液側連絡配管（22）側へ向かって流れる冷媒は、過冷却用熱交換器（210）で冷却されてから冷蔵ショーケース（13）等へ供給される。
【０１７４】
一方、外気温センサ（231）の検出値が所定の下限値（例えば２０℃）を下回ると、冷蔵ショーケース（13）や冷凍ショーケース（14）での冷却負荷、あるいは空調ユニット（12）での冷房負荷が低くなっていると推測でき、過冷却用圧縮機（221）の運転が必要ないと判断できる。そこで、このような場合、コントローラ（240）は、過冷却用圧縮機（221）が停止中であれば過冷却用圧縮機（221）を停止したままとし、過冷却用圧縮機（221）が運転中であれば過冷却用圧縮機（221）を停止させる。
【０１７５】
−実施形態の変形例４−
本実施形態のコントローラ（240）では、冷媒温度検出手段（236）の検出値の変化だけに基づいて、過冷却用圧縮機（221）の運転を制御してもよい。本変形例のコントローラ（240）は、冷媒温度検出手段（236）の検出値の変化を、冷媒通路（205）における冷媒の流通状態を示す流通状態表示値として用いる。
【０１７６】
コントローラ（240）の動作を説明する。過冷却用圧縮機（221）を起動させた時点から冷媒温度検出手段（236）の検出値が次第に低下してくる場合は、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１７７】
一方、過冷却用圧縮機（221）の起動させても冷媒温度検出手段（236）の検出値が低下してこない場合は、冷媒通路（205）内を第２液側連絡配管（22）側から第１液側連絡配管（21）側へ向かって冷媒が流れている、あるいは冷媒通路（205）内を冷媒が流れていないと判断できる。そこで、このような場合、コントローラ（240）は、過冷却用圧縮機（221）を停止させる。
【０１７８】
また、過冷却用圧縮機（221）を停止させた時点から冷媒温度検出手段（236）の検出値が次第に上昇してくる場合は、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）を再起動させる。
【０１７９】
一方、過冷却用圧縮機（221）の停止中でも冷媒温度検出手段（236）の検出値が上昇してこない場合は、冷媒通路（205）内を第２液側連絡配管（22）側から第１液側連絡配管（21）側へ向かって冷媒が流れている、あるいは冷媒通路（205）内を冷媒が流れていないと判断できる。そこで、このような場合、コントローラ（240）は、過冷却用圧縮機（221）を停止させたままとする。
【０１８０】
−実施形態の変形例５−
本実施形態のコントローラ（240）では、過冷却用熱交換器（210）の第１流路（211）の入口と出口における過冷却用冷媒の温度差に基づいて、過冷却用圧縮機（221）の運転を制御してもよい。
【０１８１】
図９に示すように、本変形例の過冷却ユニット（200）には、第１過冷却用冷媒温度センサ（252）と第２過冷却用冷媒温度センサ（253）とが設けられる。過冷却用冷媒回路（220）において、第１過冷却用冷媒温度センサ（252）は、過冷却用熱交換器（210）の第１流路（211）の直前に設けられ、この第１流路（211）へ流入しようとする過冷却用冷媒の温度を検出する。一方、第２過冷却用冷媒温度センサ（253）は、過冷却用熱交換器（210）の第１流路（211）の直後に設けられ、この第１流路（211）から流出した直後の過冷却用冷媒の温度を検出する。そして、本変形例のコントローラ（240）は、第１過冷却用冷媒温度センサ（252）の検出値と第２過冷却用冷媒温度センサ（253）の検出値との差を、冷媒通路（205）における冷媒の流通状態を示す流通状態表示値として用いる。
【０１８２】
コントローラ（240）の動作を説明する。過冷却用圧縮機（221）の運転中において、第２過冷却用冷媒温度センサ（253）の検出値が第１過冷却用冷媒温度センサ（252）の検出値よりも高い場合（即ち、第２過冷却用冷媒温度センサ（253）の検出値から第１過冷却用冷媒温度センサ（252）の検出値を差し引いた値が正(＋)の場合）には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１８３】
一方、過冷却用圧縮機（221）の運転中において、第２過冷却用冷媒温度センサ（253）の検出値が第１過冷却用冷媒温度センサ（252）の検出値よりも低い場合あるいは両者に差がない場合（即ち、第２過冷却用冷媒温度センサ（253）の検出値から第１過冷却用冷媒温度センサ（252）の検出値を差し引いた値がゼロ以下の場合）には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止させる。
【０１８４】
−実施形態の変形例６−
本実施形態のコントローラ（240）では、吸入圧力センサ（234）の検出値だけに基づいて、過冷却用圧縮機（221）の運転を制御してもよい。吸入圧力センサ（234）の検出値は、過冷却用熱交換器（210）の第１流路（211）における冷媒圧力、即ち過冷却用冷媒の蒸発圧力とほぼ等しくなる。このため、本変形例では、吸入圧力センサ（234）が蒸発圧力検出手段を構成している。そして、本変形例のコントローラ（240）は、吸入圧力センサ（234）の検出値を、冷媒通路（205）における冷媒の流通状態を示す流通状態表示値として用いる。
【０１８５】
コントローラ（240）の動作を説明する。過冷却用圧縮機（221）の運転中に吸入圧力センサ（234）の検出値が所定の基準値（例えば０.２ＭＰａ）を上回っていれば、過冷却用熱交換器（210）の第１流路（211）で過冷却用冷媒が蒸発していることになり、冷媒通路（205）内を冷媒が流れていると判断できる。そこで、このような場合、コントローラ（240）は、過冷却用圧縮機（221）の運転を継続させる。
【０１８６】
一方、過冷却用圧縮機（221）の運転中に吸入圧力センサ（234）の検出値が上記基準値以下になっていれば、過冷却用熱交換器（210）の第１流路（211）で過冷却用冷媒が殆ど蒸発していないことになり、冷媒通路（205）内を冷媒が流れていないと判断できる。そこで、このような場合、コントローラ（240）は、過冷却用圧縮機（221）を停止させる。
【０１８７】
−実施形態の変形例７−
本実施形態のコントローラ（240）では、冷媒温度センサ（236）の検出値Ｔoutと過冷却用冷媒の蒸発温度Ｔgとの差だけに基づいて、過冷却用圧縮機（221）の運転を制御してもよい。本変形例のコントローラ（240）は、冷媒温度センサ（236）の検出値Ｔoutと過冷却用冷媒の蒸発温度Ｔgとの差を、冷媒通路（205）における冷媒の流通状態を示す流通状態表示値として用いる。
【０１８８】
コントローラ（240）の動作を説明する。過冷却用圧縮機（221）の運転中において、冷媒温度センサ（236）の検出値Ｔoutから過冷却用冷媒の蒸発温度Ｔgを差し引いた値が所定の基準値（例えば１５℃）以下となっている場合には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１８９】
一方、過冷却用圧縮機（221）の運転中において、冷媒温度センサ（236）の検出値Ｔoutから過冷却用冷媒の蒸発温度Ｔgを差し引いた値が上記基準値以下となっている場合には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止させる。
【０１９０】
−実施形態の変形例８−
本実施形態のコントローラ（240）では、冷媒温度検出手段（236）の検出値だけに基づいて、過冷却用圧縮機（221）の運転を制御してもよい。本変形例のコントローラ（240）は、冷媒温度検出手段（236）の検出値を、冷媒通路（205）における冷媒の流通状態を示す流通状態表示値として用いる。
【０１９１】
コントローラ（240）の動作を説明する。過冷却用圧縮機（221）の停止中に冷媒温度検出手段（236）の検出値が所定の基準値を上回っている場合は、室外ユニット（11）から冷蔵ショーケース（13）等の利用側へ送られる冷媒の温度が高くなっていて、冷蔵ショーケース（13）等での冷却能力が不足気味になっていると推測できる。そこで、このような場合、コントローラ（240）は、過冷却用圧縮機（221）を起動させる。
【０１９２】
一方、過冷却用圧縮機（221）の停止中に冷媒温度検出手段（236）の検出値が所定の基準値以下となっている場合は、室外ユニット（11）から冷蔵ショーケース（13）等の利用側へ送られる冷媒の温度がさほど高くなく、冷蔵ショーケース（13）等での冷却能力を充分に確保できていると推測できる。そこで、このような場合、コントローラ（240）は、過冷却用圧縮機（221）を停止させたままとする。
【０１９３】
−実施形態の変形例９−
本実施形態のコントローラ（240）では、冷媒温度検出手段（236）の検出値と外気温センサ（231）の検出値との差に基づいて、過冷却用圧縮機（221）の運転を制御してもよい。本変形例のコントローラ（240）は、冷媒温度検出手段（236）の検出値と外気温センサ（231）の検出値との差を、冷媒通路（205）における冷媒の流通状態を示す流通状態表示値として用いる。
【０１９４】
コントローラ（240）の動作を説明する。冷媒通路（205）内を第１液側連絡配管（21）側から第２液側連絡配管（22）側へ向かって冷媒が流れているときは、室外熱交換器（44）で室外空気へ放熱して凝縮した冷媒が冷媒通路（205）へ流入することになるが、この冷媒の温度が室外空気の温度を下回ることは有り得ない。このため、過冷却用圧縮機（221）の停止中において、冷媒温度検出手段（236）の検出値から外気温センサ（231）の検出値を差し引いた値が所定の基準値を上回っている場合には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）を起動させる。
【０１９５】
一方、過冷却用圧縮機（221）の停止中において、冷媒温度検出手段（236）の検出値から外気温センサ（231）の検出値を差し引いた値が所定の基準値以下となっている場合には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止したままにする。
【０１９６】
−実施形態の変形例１０−
本実施形態の過冷却ユニット（200）において、過冷却用冷媒回路（220）は、冷媒を自然循環させることができるように構成されていてもよい。
【０１９７】
図１０に示すように、本変形例の過冷却用冷媒回路（220）では、過冷却用室外熱交換器（222）が過冷却用熱交換器（210）よりも上方に配置されている。また、この過冷却用冷媒回路（220）には、バイパス配管（224）が設けられている。このバイパス配管（224）は、その一端が過冷却用圧縮機（221）の吸入側に、他端が過冷却用圧縮機（221）の吐出側にそれぞれ接続されている。また、バイパス配管（224）には、その一端から他端へ向かう冷媒の流通だけを許容する逆止弁（225）が設けられている。
【０１９８】
この過冷却用冷媒回路（220）では、過冷却用圧縮機（221）の停止中であっても、室外ファン（230）を運転することで過冷却用冷媒が循環する。具体的に、室外ファン（230）を運転すると、過冷却用室外熱交換器（222）では、冷媒が室外空気へ放熱して凝縮する。過冷却用室外熱交換器（222）で凝縮した過冷却用冷媒は、重力によって流れ落ち、全開状態に設定された過冷却用膨張弁（223）を通過して過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、バイパス配管（224）を通って過冷却用室外熱交換器（222）へ戻り、室外空気と熱交換して再び凝縮する。
【０１９９】
過冷却ユニット（200）の起動時において、本変形例のコントローラ（240）は、先ず室外ファン（230）を起動させ、室外ファン（230）を運転した状態で過冷却用圧縮機（221）を起動させるか否かを判断する。つまり、コントローラ（240）は、冷媒通路（205）内を流れる冷媒の冷却が必要な状態であると判断すると、過冷却用圧縮機（221）を停止させたままで室外ファン（230）だけを起動する。室外ファン（230）を起動すると、冷媒通路（205）では過冷却用冷媒が自然循環し、過冷却用熱交換器（210）では過冷却用冷媒によって第２流路（212）の冷媒が冷却される。コントローラ（240）は、この室外ファン（230）だけを運転する状態を所定の時間（例えば５分間）に亘って継続させ、その後に冷媒通路（205）内を流れる冷媒の冷却が不足しているか否かを判定する。そして、冷媒通路（205）内を流れる冷媒の冷却が不足していれば、コントローラ（240）が過冷却用圧縮機（221）を起動させる。
過冷却用圧縮機（221）が起動すると、過冷却用冷媒回路（220）において冷凍サイクルが行われる。一方、この冷媒の冷却が不足していなければ、コントローラ（240）は、過冷却用圧縮機（221）を停止させたままで室外ファン（230）の運転だけを継続させる。
【０２００】
本変形例では、室外ファン（230）の運転により過冷却用冷媒を自然循環させただけでは熱源側冷媒の冷却が不足する場合にだけ、過冷却用圧縮機（221）を起動するようにしている。このため、過冷却用圧縮機（221）の起動が不要であるにも拘わらず過冷却用圧縮機（221）を起動させてしまう事態を回避でき、過冷却用圧縮機（221）の起動回数を削減することができる。その結果、過冷却用圧縮機（221）が不安定な過渡状態で運転される時間を短縮でき、過冷却用圧縮機（221）の信頼性を向上させることができる。
【０２０１】
−実施形態の変形例１１−
本実施形態の過冷却ユニット（200）は、過冷却用冷媒回路（220）の代えて、冷水が流通する冷水回路を冷却用流体回路として設けてもよい。この冷水回路では、例えば５℃程度の比較的低温の水が流通している。本変形例の過冷却用熱交換器（210）では、その第１流路（211）に冷水回路が接続され、第１流路（211）内を流れる冷水が第２流路（212）内を流れる冷媒と熱交換する。
【０２０２】
なお、以上の実施形態は、本質的に好ましい例示であって、本発明、その適用物、あるいはその用途の範囲を制限することを意図するものではない。
【産業上の利用可能性】
【０２０３】
以上説明したように、本発明は、冷凍装置の熱源ユニットから利用ユニットへ送られる冷媒を冷却する過冷却装置について有用である。
【図面の簡単な説明】
【０２０４】
【図１】過冷却ユニットを備えた冷凍システムの構成を示す配管系統図である。
【図２】冷凍システムの冷房運転時の動作を示す配管系統図である。
【図３】冷凍システムの第１暖房運転時の動作を示す配管系統図である。
【図４】冷凍システムの第１暖房運転時の動作を示す配管系統図である。
【図５】冷凍システムの第２暖房運転時の動作を示す配管系統図である。
【図６】過冷却ユニットにおけるコントローラの制御動作を示すフロー図である。
【図７】実施形態の変形例１における冷凍システムの構成を示す配管系統図である。
【図８】実施形態の変形例２における冷凍システムの構成を示す配管系統図である。
【図９】実施形態の変形例５における冷凍システムの構成を示す配管系統図である。
【図１０】実施形態の変形例１０における過冷却ユニットの構成を示す配管系統図である。
【符号の説明】
【０２０５】
10    冷凍装置
11    室外ユニット（熱源ユニット）
12    空調ユニット（利用ユニット）
13    冷蔵ショーケース（利用ユニット）
14    冷凍ショーケース（利用ユニット）
21    第１液側連絡配管（液側の連絡配管）
22    第２液側連絡配管（液側の連絡配管）
205   冷媒通路
210   過冷却用熱交換器
220   過冷却用冷媒回路（冷却用流体回路）
221   過冷却用圧縮機
200   過冷却ユニット（過冷却装置）
230   室外ファン
234   吸入圧力センサ（蒸発温度検出手段、蒸発圧力検出手段）
236   冷媒温度センサ（冷媒温度検出手段）
237   第１冷媒温度センサ（第１冷媒温度検出手段）
238   第２冷媒温度センサ（第２冷媒温度検出手段）
240   コントローラ（制御手段）
251   流量計
252   第１過冷却用冷媒温度センサ（入口側流体温度検出手段）
253   第２過冷却用冷媒温度センサ（出口側流体温度検出手段）
【図１】
2006023071.tif 000003
【図２】
2006023071.tif 000004
【図３】
2006023071.tif 000005
【図４】
2006023071.tif 000006
【図５】
2006023071.tif 000007
【図６】
2006023071.tif 000008
【図７】
2006023071.tif 000009
【図８】
2006023071.tif 000010
【図９】
2006023071.tif 000011
【図１０】
2006023071.tif 000012
【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
上記冷媒通路（205）のうち過冷却用熱交換器（210）よりも利用ユニット（12,13,14）寄りの部分における熱源側冷媒の温度を検出する冷媒温度検出手段（236）と、
上記過冷却用圧縮機（221）を起動させてから所定時間の間における上記冷媒温度検出手段（236）の検出値の低下量が基準値以下となると上記過冷却用圧縮機（221）を停止させる動作を、上記冷凍装置（10）からの信号を受信することなく行う制御手段（240）と
を備えていることを特徴とする過冷却装置。
【請求項２】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
上記冷媒通路（205）のうち過冷却用熱交換器（210）よりも利用ユニット（12,13,14）寄りの部分における熱源側冷媒の温度を検出する冷媒温度検出手段（236）と、
上記過冷却用熱交換器（210）における過冷却用冷媒の蒸発温度を検出する蒸発温度検出手段（234）と、
上記過冷却用圧縮機（221）の運転中に上記冷媒温度検出手段（236）の検出値が上記蒸発温度検出手段（234）の検出値よりも所定値以上高くなると上記過冷却用圧縮機（221）を停止させる動作を、上記冷凍装置（10）からの信号を受信することなく行う制御手段（240）と
を備えていることを特徴とする過冷却装置。
【請求項３】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
上記冷媒通路（205）のうち過冷却用熱交換器（210）よりも利用ユニット（12,13,14）寄りの部分における熱源側冷媒の温度を検出する第１冷媒温度検出手段（237）と、
上記冷媒通路（205）のうち過冷却用熱交換器（210）よりも熱源ユニット（11）寄りの部分における熱源側冷媒の温度を検出する第２冷媒温度検出手段（238）と、
上記過冷却用圧縮機（221）の運転中に第２冷媒温度検出手段（238）の検出値が第１冷媒温度検出手段（237）の検出値以下になると上記過冷却用圧縮機（221）を停止させる動作を、上記冷凍装置（10）からの信号を受信することなく行う制御手段（240）と
を備えていることを特徴とする過冷却装置。
【請求項４】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
冷却用流体が流通する冷却用流体回路（220）と、
上記冷媒通路（205）内の熱源側冷媒を上記冷却用流体と熱交換させて冷却するための過冷却用熱交換器（210）と、
上記冷媒通路（205）に設けられて熱源側冷媒の流量を検出する流量計（251）と、
上記冷却用流体回路（220）で冷却用流体が流通している状態において該冷却用流体の流通を継続させるか停止させるかを、上記冷凍装置（10）からの信号を受信することなく上記流量計（251）の検出値に基づいて決定する制御手段（240）と
を備えていることを特徴とする過冷却装置。
【請求項５】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
上記過冷却用熱交換器（210）の入口における過冷却用冷媒の温度を検出する入口側流体温度検出手段（252）と、
上記過冷却用熱交換器（210）の出口における過冷却用冷媒の温度を検出する出口側流体温度検出手段（253）と、
上記過冷却用圧縮機（221）の運転中に出口側流体温度検出手段（253）の検出値が入口側流体温度検出手段（252）の検出値以下になると上記過冷却用圧縮機（221）を停止させる動作を、上記冷凍装置（10）からの信号を受信することなく行う制御手段（240）と
を備えていることを特徴とする過冷却装置。
【請求項６】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
上記過冷却用熱交換器（210）での過冷却用冷媒の蒸発圧力を検出する蒸発圧力検出手段（234）と、
上記過冷却用圧縮機（221）の運転中に蒸発圧力検出手段（234）の検出値が基準値以下になると上記過冷却用圧縮機（221）を停止させる動作を、上記冷凍装置（10）からの信号を受信することなく行う制御手段（240）と
を備えていることを特徴とする過冷却装置。
【請求項７】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の液側の連絡配管（21,22）に接続される冷媒通路（205）と、
過冷却用圧縮機（221）で過冷却用冷媒を循環させて冷凍サイクルを行う過冷却用冷媒回路（220）と、
上記冷媒通路（205）内の熱源側冷媒を上記過冷却用冷媒と熱交換させて冷却するための過冷却用熱交換器（210）と、
室外空気の温度を検出する室外温度検出手段（231）と、
上記冷媒通路（205）のうち過冷却用熱交換器（210）よりも利用ユニット（12,13,14）寄りの部分における熱源側冷媒の温度を検出する冷媒温度検出手段（236）と、
上記過冷却用冷媒回路（220）での過冷却用冷媒の流通が停止している状態において該過冷却用冷媒の流通を開始させるか停止させ続けるかを、上記冷凍装置（10）からの信号を受信することなく上記冷媒温度検出手段（236）の検出値と上記室外温度検出手段（231）の検出値との差に基づいて決定する制御手段（240）と
を備えていることを特徴とする過冷却装置。
【請求項８】
連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置であって、
上記冷凍装置（10）の熱源ユニット（11）が熱源側冷媒を室外空気と熱交換させるように構成される一方、
上記冷凍装置（10）の液側の連絡配管（21,22）に接続される冷媒通路（205）と、
冷却用流体が流通する冷却用流体回路（220）と、
上記冷媒通路（205）内の熱源側冷媒を上記冷却用流体と熱交換させて冷却するための過冷却用熱交換器（210）と、
室外空気の温度を検出する室外温度検出手段（231）と、
上記冷凍装置（10）からの信号を受信することなく、上記冷却用流体回路（220）での冷却用流体の流通状態を上記室外温度検出手段（231）の検出値に応じて制御する制御手段（240）と
を備えていることを特徴とする過冷却装置。
【請求項９】
請求項８において、
上記冷却用流体回路は、過冷却用冷媒回路（220）により構成されており、
上記過冷却用冷媒回路（220）は、過冷却用圧縮機（221）を備え、冷却用流体としての過冷却用冷媒を循環させて冷凍サイクルを行う
ことを特徴とする過冷却装置。
【請求項１０】
請求項８又は９において、
上記制御手段（240）は、 上記冷却用流体回路（220）で冷却用流体が流通している状態において、該冷却用流体の流通を継続させるか停止させるかを上記室外温度検出手段（231）の検出値に基づいて決定するように構成されている
ことを特徴とする過冷却装置。
【請求項１１】
請求項８又は９において、
上記制御手段（240）は、 上記冷却用流体回路（220）での冷却用流体の流通が停止している状態において、該冷却用流体の流通を開始させるか停止させ続けるかを上記室外温度検出手段（231）の検出値に基づいて決定するように構成されている
ことを特徴とする過冷却装置。
【請求項１２】
請求項１，２，３，５，６，７又は９において、
上記過冷却用冷媒回路（220）に接続されて過冷却用冷媒を室外空気と熱交換させる放熱用熱交換器（222）と、
上記放熱用熱交換器（222）へ室外空気を供給する室外ファン（230）とを備え、
上記過冷却用冷媒回路（220）は、上記過冷却用圧縮機（221）の停止中に上記室外ファン（230）を運転させることによって過冷却用冷媒を自然循環させる自然循環動作が可能となっており、
上記制御手段（240）は、過冷却用冷媒の循環を開始させる際には上記室外ファン（230）を起動して上記過冷却用冷媒回路（220）に自然循環動作を行わせ、該自然循環動作中における上記冷媒通路（205）内での熱源側冷媒の流通状態に応じて過冷却用圧縮機（221）を起動するか停止させ続けるかを決定するように構成されている
ことを特徴とする過冷却装置。
【請求項１３】
請求項１，２，３，５，６，７又は９において、
上記制御手段（240）は、過冷却用圧縮機（221）を停止させた時点から所定時間が経過すると該過冷却用圧縮機（221）を起動するように構成されている
ことを特徴とする過冷却装置。
【手続補正２】
【補正対象書類名】明細書
【補正対象項目名】全文
【補正方法】変更
【補正の内容】
【発明の詳細な説明】
【技術分野】
【０００１】
熱源ユニットと利用ユニットとを備える冷凍装置に取り付けられ、液側の連絡配管を通じて熱源ユニットから利用ユニットへ送られる冷媒を冷却する過冷却装置に関する。
【背景技術】
【０００２】
従来より、冷却能力の増大を目的として冷凍装置に取り付けられ、熱源ユニットから利用ユニットへ送られる冷凍装置の冷媒を冷却する過冷却装置が知られている。
【０００３】
例えば、特許文献１に開示された過冷却装置は、室外ユニットと室内ユニットとを備えた空気調和機に取り付けられている。具体的に、この過冷却装置は、室外ユニットと室内ユニットを接続する液側の連絡配管の途中に設けられると共に、過冷却用冷媒回路を備えている。この過冷却装置は、過冷却用冷媒回路で冷媒を循環させて冷凍サイクルを行い、液側の連絡配管から送り込まれた空調機の冷媒を過冷却用冷媒回路の蒸発器で冷却する。そして、この過冷却装置は、空調機の室外ユニットから室内ユニットへ送られる液冷媒を冷却し、室内ユニットへ送られる液冷媒のエンタルピを低下させることによって冷房能力を向上させている。
【０００４】
上述のように、上記過冷却装置は、空気調和機等の冷凍装置を補助してその冷却能力を増大させるためのものである。このため、冷凍装置の停止中に過冷却装置だけを運転しても無意味である。また、空気調和機の暖房運転のように冷凍装置がヒートポンプとして動作する状態で過冷却装置を運転することも無意味である。このように、過冷却装置を運転すべきか否かを決めるには、過冷却装置が取り付けられた冷凍装置の運転状態を知る必要がある。
【０００５】
そこで、特許文献１に開示された従来の過冷却装置では、過冷却装置の制御部を空気調和機の制御部と接続して１つの制御システムを構成している。この過冷却装置の制御部へは、空気調和機の運転状態を示す信号が空気調和機の制御部から入力される。そして、この過冷却装置では、空気調和機の制御部から入力された信号に基づいて、その運転制御が行われる。
【特許文献１】特開平１０−１８５３３３号公報
【発明の開示】
【発明が解決しようとする課題】
【０００６】
上述のように、従来の過冷却装置は、それが取り付けられる冷凍装置との間で信号の授受を行っている。このため、過冷却装置を冷凍装置に取り付ける際には、両者間で送受信される信号を伝送するための配線工事が必要となり、過冷却装置の設置作業が繁雑であるという問題があった。また、過冷却装置を設置する際に誤配線が生じる可能性もあり、このような設置作業のミスに起因するトラブルを招くおそれもあった。
【０００７】
本発明は、かかる点に鑑みてなされたものであり、その目的とするところは、取り付け対象の冷凍装置との間で信号の授受を行うことなく過冷却装置の運転制御を可能とし、過冷却装置の設置作業を簡素化すると共に、設置作業時の人的ミスによるトラブルを未然に防止することにある。
【課題を解決するための手段】
【０００８】
第１〜第８の各発明は、連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置を対象としている。
【０００９】
そのうち、第１〜第３，第５〜７の各発明は、上記冷凍装置（10）の液側の連絡配管（21,22）に接続される冷媒通路（205）と、過冷却用圧縮機（221）で過冷却用冷媒を循環させて冷凍サイクルを行う過冷却用冷媒回路（220）と、上記冷媒通路（205）内の熱源側冷媒を上記過冷却用冷媒と熱交換させて冷却するための過冷却用熱交換器（210）とを備えるものである。一方、第４，第８の各発明は、上記冷凍装置（10）の液側の連絡配管（21,22）に接続される冷媒通路（205）と、冷却用流体が流通する冷却用流体回路（220）と、上記冷媒通路（205）内の熱源側冷媒を上記冷却用流体と熱交換させて冷却するための過冷却用熱交換器（210）とを備えるものである。
【００１０】
これらの各発明において、過冷却装置（200）が取り付けられる冷凍装置（10）では、連絡配管を通って熱源ユニット（11）と利用ユニット（12,13,14）の間で冷媒が行き来する。過冷却装置（200）の冷媒通路（205）は、冷凍装置（10）の液側の連絡配管（21,22）に接続され、その内部を冷凍装置（10）の熱源側冷媒が流通する。過冷却装置（200）では、過冷却用冷媒回路（220）において過冷却用冷媒が、あるいは冷却用流体回路（220）において冷却用流体が流通する。過冷却用熱交換器（210）において、冷媒通路（205）内を流れる熱源側冷媒は、過冷却用冷媒または冷却用流体と熱交換することによって冷却される。
【００１１】
これら各発明の過冷却装置（200）は、冷凍装置（10）の運転を補助するためのものである。このため、過冷却装置（200）の運転は冷凍装置（10）の運転中にだけ必要とされ、冷凍装置（10）の停止中に過冷却装置（200）だけを運転しても無意味である。また、この発明の過冷却装置（200）は、利用ユニット（12,13,14）での冷却能力を増大させるためのものである。このため、例えば冷凍装置（10）がヒートポンプとして機能するような状態では、過冷却装置（200）を運転しても実益は殆ど見込めない。このように、過冷却装置（200）については、冷凍装置（10）の運転状態によって運転すべき場合と運転すべきでない場合とがある。
【００１２】
これに対し、これら各発明の過冷却装置（200）では、制御手段（240）が冷却用流体回路（220）における冷却用流体の流通状態を制御する。その際、制御手段（240）は、冷却用流体の流通状態の制御を、冷媒通路（205）内における熱源側冷媒の流通状態に応じて行う。冷媒通路（205）内では、液側の連絡配管（21,22）を通って熱源ユニット（11）と利用ユニット（12,13,14）の間を行き来する熱源側冷媒が流通している。このため、冷媒通路（205）内における冷媒の流通状態に基づいて冷凍装置（10）の運転状態を判断することが可能である。そこで、過冷却装置（200）の制御手段（240）は、冷凍装置（10）の運転状態に関する信号を冷凍装置（10）から受けることなく、冷媒通路（205）内における熱源側冷媒の流通状態に応じて、過冷却用冷媒回路（220）における過冷却用冷媒の流通状態、あるいは冷却用流体回路（220）における冷却用流体の流通状態を制御している。
【００１３】
上記第１〜第３，第５〜７の各発明において、過冷却装置（200）の過冷却用冷媒回路（220）では、過冷却用冷媒を循環させることによって冷凍サイクルが行われる。過冷却用熱交換器（210）では、冷媒通路（205）内を流れる熱源側冷媒が過冷却用冷媒と熱交換する。この過冷却用熱交換器（210）では、過冷却用冷媒が熱源側冷媒から吸熱して蒸発し、熱源側冷媒が冷却される。
【００１４】
上記第１の発明は、上記冷媒通路（205）のうち過冷却用熱交換器（210）よりも利用ユニット（12,13,14）寄りの部分における熱源側冷媒の温度を検出する冷媒温度検出手段（236）と、上記過冷却用圧縮機（221）を起動させてから所定時間の間における上記冷媒温度検出手段（236）の検出値の低下量が基準値以下となると上記過冷却用圧縮機（221）を停止させる動作を、上記冷凍装置（10）からの信号を受信することなく行う制御手段（240）とを更に備えるものである。
【００１５】
上記第１の発明では、過冷却装置（200）に冷媒温度検出手段（236）が設けられる。冷媒温度検出手段（236）は、冷媒通路（205）のうち過冷却用熱交換器（210）よりも利用ユニット（12,13,14）寄りの部分において冷媒温度を検出する。
【００１６】
この発明の制御手段（240）は、過冷却用圧縮機（221）を起動させた時点からの上記冷媒温度検出手段（236）の検出値の変化に基づき、冷媒通路（205）における冷媒の流通状態を判断する。例えば、過冷却用圧縮機（221）の起動から時間が経過するにつれて冷媒温度検出手段（236）の検出値が低下してゆく状態では、過冷却用熱交換器（210）で冷却された冷媒の温度が冷媒温度検出手段（236）によって検出されていると判断でき、その結果、冷媒通路（205）では熱源ユニット（11）から利用ユニット（12,13,14）へ向けて冷媒が流れていると判断できる。また、過冷却用圧縮機（221）の起動から時間が経過しても冷媒温度検出手段（236）の検出値が変化しない状態では、過冷却用熱交換器（210）へ流入する前の冷媒の温度が冷媒温度検出手段（236）によって検出されているか、あるいは冷媒通路（205）内で冷媒が流通していないと判断できる。
【００１７】
上記第２の発明は、上記冷媒通路（205）のうち過冷却用熱交換器（210）よりも利用ユニット（12,13,14）寄りの部分における熱源側冷媒の温度を検出する冷媒温度検出手段（236）と、上記過冷却用熱交換器（210）における過冷却用冷媒の蒸発温度を検出する蒸発温度検出手段（234）と、上記過冷却用圧縮機（221）の運転中に上記冷媒温度検出手段（236）の検出値が上記蒸発温度検出手段（234）の検出値よりも所定値以上高くなると上記過冷却用圧縮機（221）を停止させる動作を、上記冷凍装置（10）からの信号を受信することなく行う制御手段（240）とを更に備えるものである。
【００１８】
上記第２の発明では、過冷却装置（200）に冷媒温度検出手段（236）と蒸発温度検出手段（234）とが設けられる。冷媒温度検出手段（236）は、冷媒通路（205）のうち過冷却用熱交換器（210）よりも利用ユニット（12,13,14）寄りの部分において冷媒温度を検出する。蒸発温度検出手段（234）は、過冷却用熱交換器（210）における過冷却用冷媒の蒸発温度を検出する。
【００１９】
この発明の制御手段（240）は、上記冷媒温度検出手段（236）の検出値と上記蒸発温度検出手段（234）の検出値とに基づき、冷媒通路（205）における冷媒の流通状態を判断する。例えば、冷媒温度検出手段（236）の検出値が蒸発温度検出手段（234）の検出値よりもやや高い程度であれば、過冷却用熱交換器（210）で冷却された冷媒の温度が冷媒温度検出手段（236）によって検出されていると判断でき、その結果、冷媒通路（205）では熱源ユニット（11）から利用ユニット（12,13,14）へ向けて冷媒が流れていると判断できる。また、冷媒温度検出手段（236）の検出値が蒸発温度検出手段（234）の検出値よりも大幅に高い状態であれば、過冷却用熱交換器（210）へ流入する前の冷媒の温度が冷媒温度検出手段（236）によって検出されているか、あるいは冷媒通路（205）内で冷媒が流通していないと判断できる。
【００２０】
上記第３の発明は、上記冷媒通路（205）のうち過冷却用熱交換器（210）よりも利用ユニット（12,13,14）寄りの部分における熱源側冷媒の温度を検出する第１冷媒温度検出手段（237）と、上記冷媒通路（205）のうち過冷却用熱交換器（210）よりも熱源ユニット（11）寄りの部分における熱源側冷媒の温度を検出する第２冷媒温度検出手段（238）と、上記過冷却用圧縮機（221）の運転中に第２冷媒温度検出手段（238）の検出値が第１冷媒温度検出手段（237）の検出値以下になると上記過冷却用圧縮機（221）を停止させる動作を、上記冷凍装置（10）からの信号を受信することなく行う制御手段（240）とを更に備えるものである。
【００２１】
上記第３の発明では、過冷却装置（200）に第１冷媒温度検出手段（237）と第２冷媒温度検出手段（238）とが設けられる。第１冷媒温度検出手段（237）は、冷媒通路（205）のうち過冷却用熱交換器（210）よりも利用ユニット（12,13,14）寄りの部分において冷媒温度を検出する。第２冷媒温度検出手段（238）は、冷媒通路（205）のうち過冷却用熱交換器（210）よりも熱源ユニット（11）寄りの部分において冷媒温度を検出する。
【００２２】
この発明の制御手段（240）は、上記第１冷媒温度検出手段（237）の検出値と上記第２冷媒温度検出手段（238）の検出値とに基づき、冷媒通路（205）における冷媒の流通状態を判断する。例えば、第１冷媒温度検出手段（237）の検出値が第２冷媒温度検出手段（238）の検出値よりも充分に低い状態では、熱源ユニット（11）から利用ユニット（12,13,14）へ向かう冷媒が過冷却用熱交換器（210）で冷却されていると判断できる。逆に、第１冷媒温度検出手段（237）の検出値が第２冷媒温度検出手段（238）の検出値よりも高い状態では、利用ユニット（12,13,14）から熱源ユニット（11）へ向かう冷媒が過冷却用熱交換器（210）で冷却されていると判断できる。また、第１冷媒温度検出手段（237）の検出値と第２冷媒温度検出手段（238）の検出値とが殆ど同じ状態では、冷媒通路（205）内で冷媒が流通していないと判断できる。
【００２３】
上記第４の発明は、上記冷媒通路（205）に設けられて熱源側冷媒の流量を検出する流量計（251）と、上記冷却用流体回路（220）で冷却用流体が流通している状態において該冷却用流体の流通を継続させるか停止させるかを、上記冷凍装置（10）からの信号を受信することなく上記流量計（251）の検出値に基づいて決定する制御手段（240）とを更に備えるものである。
【００２４】
上記第４の発明では、流量計（251）の検出値が制御手段（240）へ入力される。冷媒通路（205）における熱源側冷媒の流通状態は、流量計（251）の検出値から判断することができる。そこで、制御手段（240）は、上記流量計（251）の検出値を流通状態表示値として用い、この流通状態表示値に基づいて冷却用流体回路（220）での冷却用流体の流通状態を制御する。
【００２５】
上記第５の発明は、上記過冷却用熱交換器（210）の入口における過冷却用冷媒の温度を検出する入口側流体温度検出手段（252）と、上記過冷却用熱交換器（210）の出口における過冷却用冷媒の温度を検出する出口側流体温度検出手段（253）と、上記過冷却用圧縮機（221）の運転中に出口側流体温度検出手段（253）の検出値が入口側流体温度検出手段（252）の検出値以下になると上記過冷却用圧縮機（221）を停止させる動作を、上記冷凍装置（10）からの信号を受信することなく行う制御手段（240）とを更に備えるものである。
【００２６】
上記第５の発明では、入口側流体温度検出手段（252）と出口側流体温度検出手段（253）の検出値が制御手段（240）へ入力される。入口側流体温度検出手段（252）の検出値と入口側流体温度検出手段（252）の検出値とを比較すると、冷媒通路（205）における熱源側冷媒の流通状態を判断することができる。例えば、入口側流体温度検出手段（252）の検出値が入口側流体温度検出手段（252）の検出値よりも高ければ、冷媒通路（205）内を熱源ユニット（11）から利用ユニット（12,13,14）へ向けて熱源側冷媒が流通していると判断できる。また、そうでなければ、冷媒通路（205）内を利用ユニット（12,13,14）から熱源ユニット（11）へ向けて熱願側冷媒が流れているか、あるいは熱願側冷媒が流れていないと判断できる。そこで、制御手段（240）は、入口側流体温度検出手段（252）の検出値と出口側流体温度検出手段（253）の検出値との差を流通状態表示値として用い、この流通状態表示値に基づいて冷却用流体回路（220）での冷却用流体の流通状態を制御する。
【００２７】
上記第６の発明は、上記過冷却用熱交換器（210）での過冷却用冷媒の蒸発圧力を検出する蒸発圧力検出手段（234）と、上記過冷却用圧縮機（221）の運転中に蒸発圧力検出手段（234）の検出値が基準値以下になると上記過冷却用圧縮機（221）を停止させる動作を、上記冷凍装置（10）からの信号を受信することなく行う制御手段（240）とを更に備えるものである。
【００２８】
上記第６の発明では、蒸発圧力検出手段（234）の検出値が制御手段（240）へ入力される。蒸発圧力検出手段（234）の検出値の変化を監視すると、冷媒通路（205）における熱源側冷媒の流通状態を判断することができる。例えば、過冷却用冷媒が循環している状態で蒸発圧力検出手段（234）の検出値がある程度以上になっていれば、冷媒通路（205）内を熱源側冷媒が流通していると判断できる。また、そうでなければ、冷媒通路（205）内を熱願側冷媒が流れていないと判断できる。そこで、制御手段（240）は、蒸発圧力検出手段（234）の検出値を流通状態表示値として用い、この流通状態表示値に基づいて過冷却用冷媒回路（220）での過冷却用冷媒の流通状態を制御する。
【００２９】
上記第７の発明は、室外空気の温度を検出する室外温度検出手段（231）と、上記冷媒通路（205）のうち過冷却用熱交換器（210）よりも利用ユニット（12,13,14）寄りの部分における熱源側冷媒の温度を検出する冷媒温度検出手段（236）と、上記過冷却用冷媒回路（220）での過冷却用冷媒の流通が停止している状態において該過冷却用冷媒の流通を開始させるか停止させ続けるかを、上記冷凍装置（10）からの信号を受信することなく上記冷媒温度検出手段（236）の検出値と上記室外温度検出手段（231）の検出値との差に基づいて決定する制御手段（240）とを更に備えるものである。
【００３０】
上記第７の発明では、室外温度検出手段（231）と冷媒温度検出手段（236）の検出値が制御手段（240）へ入力される。冷媒温度検出手段（236）の検出値と室外温度検出手段（231）の検出値とを比較すると、冷媒通路（205）における熱源側冷媒の流通状態を判断することができる。例えば、冷却用流体の流通が停止している状態で冷媒温度検出手段（236）の検出値と室外温度検出手段（231）の検出値の差が所定値以上であれば、冷媒通路（205）内を熱源側冷媒が流通していると判断できる。また、そうでなければ、冷媒通路（205）内を熱願側冷媒が流れていないと判断できる。そこで、制御手段（240）は、冷媒温度検出手段（236）の検出値と室外温度検出手段（231）の検出値の差を流通状態表示値として用い、この流通状態表示値に基づいて過冷却用冷媒回路（220）での過冷却用冷媒の流通状態を制御する。
【００３１】
第８の発明は、連絡配管により接続された熱源ユニット（11）と利用ユニット（12,13,14）の間で熱源側冷媒を循環させて冷凍サイクルを行う冷凍装置（10）に取り付けられ、熱源ユニット（11）から利用ユニット（12,13,14）へ送られる上記冷凍装置（10）の熱源側冷媒を冷却する過冷却装置を対象とする。そして、上記冷凍装置（10）の熱源ユニット（11）が熱源側冷媒を室外空気と熱交換させるように構成される一方、上記冷凍装置（10）の液側の連絡配管（21,22）に接続される冷媒通路（205）と、冷却用流体が流通する冷却用流体回路（220）と、上記冷媒通路（205）内の熱源側冷媒を上記冷却用流体と熱交換させて冷却するための過冷却用熱交換器（210）と、室外空気の温度を検出する室外温度検出手段（231）と、上記冷凍装置（10）からの信号を受信することなく、上記冷却用流体回路（220）での冷却用流体の流通状態を上記室外温度検出手段（231）の検出値に応じて制御する制御手段（240）とを備えるものである。
【００３２】
上記第８の発明では、冷媒通路（205）内の熱源側冷媒が冷却用流体によって冷却される。この発明の制御手段（240）へは、室外温度検出手段（231）の検出値が入力される。室外温度検出手段（231）の検出値を監視すれば、利用ユニット（12,13,14）での冷却負荷の大きさを推測でき、冷媒通路（205）内の熱源側冷媒を冷却すべきかどうかを判断できる。そこで、制御手段（240）は、室外温度検出手段（231）の検出値に基づき、冷却用流体回路（220）での冷却用流体の流通状態を制御する。
【００３３】
第９の発明は、上記第８の発明において、上記冷却用流体回路は、過冷却用冷媒回路（220）により構成されており、上記過冷却用冷媒回路（220）は、過冷却用圧縮機（221）を備え、冷却用流体としての過冷却用冷媒を循環させて冷凍サイクルを行うものである。
【００３４】
第９の発明において、過冷却装置（200）の過冷却用冷媒回路（220）では、過冷却用冷媒を循環させることによって冷凍サイクルが行われる。過冷却用熱交換器（210）では、冷媒通路（205）内を流れる熱源側冷媒が過冷却用冷媒と熱交換する。この過冷却用熱交換器（210）では、過冷却用冷媒が熱源側冷媒から吸熱して蒸発し、熱源側冷媒が冷却される。
【００３５】
第１０の発明は、上記第８又は第９の発明において、上記制御手段（240）は、 上記冷却用流体回路（220）で冷却用流体が流通している状態において、該冷却用流体の流通を継続させるか停止させるかを上記室外温度検出手段（231）の検出値に基づいて決定するように構成されるものである。
【００３６】
第１１の発明は、上記第８又は第９の発明において、上記制御手段（240）は、 上記冷却用流体回路（220）での冷却用流体の流通が停止している状態において、該冷却用流体の流通を開始させるか停止させ続けるかを上記室外温度検出手段（231）の検出値に基づいて決定するように構成されるものである。
【００３７】
上記第１０，第１１の発明では、制御手段（240）が室外温度検出手段（231）の検出値を監視する。室外温度検出手段（231）の検出値が所定の基準値（例えば２５℃）を超えていれば、利用ユニット（12,13,14）での冷却負荷が増していて冷媒通路（205）内の熱源側冷媒を冷却するべき状況にあると推測できる。また、そうでなければ、利用ユニット（12,13,14）での冷却負荷がさほど大きくなくて冷媒通路（205）内の熱源側冷媒を冷却する必要性が低い状況にあると推測できる。そこで、これら発明の制御手段（240）は、室外温度検出手段（231）の検出値に基づき、冷却用流体回路（220）で冷却用流体を流通させるか否かを判断する。
【００３８】
第１２の発明は、上記第１，第２，第３，第５，第６，第７又は第９の発明において、上記過冷却用冷媒回路（220）に接続されて過冷却用冷媒を室外空気と熱交換させる放熱用熱交換器（222）と、上記放熱用熱交換器（222）へ室外空気を供給する室外ファン（230）とを備え、上記過冷却用冷媒回路（220）は、上記過冷却用圧縮機（221）の停止中に上記室外ファン（230）を運転させることによって過冷却用冷媒を自然循環させる自然循環動作が可能となっており、上記制御手段（240）は、過冷却用冷媒の循環を開始させる際には上記室外ファン（230）を起動して上記過冷却用冷媒回路（220）に自然循環動作を行わせ、該自然循環動作中における上記冷媒通路（205）内での熱源側冷媒の流通状態に応じて過冷却用圧縮機（221）を起動するか停止させ続けるかを決定するように構成されるものである。
【００３９】
第１２の発明において、過冷却用冷媒回路（220）では、室外ファン（230）を運転することによって過冷却用圧縮機（221）の停止中であっても過冷却用冷媒が循環する。つまり、この過冷却用冷媒回路（220）では、室外ファン（230）を運転するだけでも、過冷却用熱交換器（210）において熱源側冷媒を冷却することができる。過冷却用冷媒の循環を開始させる場合、この発明の制御手段（240）は、先ず室外ファン（230）だけを運転して過冷却用冷媒回路（220）内で過冷却用冷媒を自然循環させ、自然循環する過冷却用冷媒によって熱源側冷媒を冷却する。そして、制御手段（240）は、この状態で熱源側冷媒の冷却が充分かどうかを判断し、その判断に応じて過冷却用圧縮機（221）を起動させるか否かを決定する。つまり、制御手段（240）は、熱源側冷媒の冷却が充分であれば過冷却用圧縮機（221）を停止させたままとし、熱源側冷媒の冷却が不充分であれば過冷却用圧縮機（221）を起動して過冷却用冷媒回路（220）での冷凍サイクルを開始させる。
【００４０】
第１３の発明は、上記第１，第２，第３，第５，第６，第７又は第９の発明において、上記制御手段（240）は、過冷却用圧縮機（221）を停止させた時点から所定時間が経過すると該過冷却用圧縮機（221）を起動するように構成されるものである。
【００４１】
上記第１３の発明において、制御手段（240）は、過冷却用圧縮機（221）を停止させた時点からの経過時間を計時する。そして、制御手段（240）は、過冷却用圧縮機（221）の停止時点から所定時間が経過すると該過冷却用圧縮機（221）を起動する。この制御手段（240）は、過冷却用圧縮機（221）の起動後に冷媒通路（205）内での冷媒の流通状態を検出し、それに応じて過冷却用圧縮機（221）の運転を継続させるか、過冷却用圧縮機（221）を停止させるかの判断を行う。
【発明の効果】
【００４２】
本発明の過冷却装置（200）において、制御手段（240）は、冷媒通路（205）の内部における冷媒の流通状態に応じて過冷却用圧縮機（221）の運転を制御している。つまり、この過冷却装置（200）では、冷凍装置（10）との間で信号の授受などを行わなくても、冷凍装置（10）の運転状態に応じて過冷却用圧縮機（221）の運転を制御することが可能となる。このため、本発明の過冷却装置（200）を冷凍装置（10）に取り付ける際には、冷凍装置（10）の液側の連絡配管（21,22）に過冷却装置（200）の冷媒通路（205）を接続するだけでよく、冷凍装置（10）と過冷却装置（200）の間で信号を授受するための通信用配線を敷設する必要が無くなる。
【００４３】
従って、本発明によれば、過冷却装置（200）を冷凍装置（10）に取り付ける際の作業工数を削減することができ、更には誤配線等の設置作業時の人的ミスに起因するトラブルを未然に防止することができる。
【発明を実施するための最良の形態】
【００４４】
以下、本発明の実施形態を図面に基づいて詳細に説明する。
【００４５】
本実施形態の冷凍システムは、コンビニエンスストア等に設置されて、店内の空気調和とショーケース内の冷却とを行うものである。この冷凍システムは、本発明に係る過冷却装置としての過冷却ユニット（200）と、この過冷却ユニット（200）が取り付けられた冷凍装置（10）とによって構成されている。
【００４６】
図１に示すように、上記冷凍システムには、室外ユニット（11）と、空調ユニット（12）と、冷蔵ショーケース（13）と、冷凍ショーケース（14）と、ブースタユニット（15）と、過冷却ユニット（200）とが設けられている。そして、室外ユニット（11）と、空調ユニット（12）と、冷蔵ショーケース（13）と、冷凍ショーケース（14）と、ブースタユニット（15）とが冷凍装置（10）を構成している。この冷凍システムでは、室外ユニット（11）と過冷却ユニット（200）とが屋外に設置され、残りの空調ユニット（12）等がコンビニエンスストア等の店内に設置される。
【００４７】
室外ユニット（11）には室外回路（40）が、空調ユニット（12）には空調回路（100）が、冷蔵ショーケース（13）には冷蔵回路（110）が、冷凍ショーケース（14）には冷凍回路（130）が、ブースタユニット（15）にはブースタ回路（140）がそれぞれ設けられている。また、過冷却ユニット（200）には、冷媒通路（205）が設けられている。冷凍システムでは、これらの回路（40,100,…）や過冷却ユニット（200）の冷媒通路（205）を配管で接続することによって冷媒回路（20）が構成されている。この冷媒回路（20）には、熱源側冷媒が充填されている。
【００４８】
上記冷媒回路（20）には、第１液側連絡配管（21）と、第２液側連絡配管（22）と、第１ガス側連絡配管（23）と、第２ガス側連絡配管（24）とが設けられている。
【００４９】
第１液側連絡配管（21）は、過冷却ユニット（200）の冷媒通路（205）の一端を室外回路（40）に接続している。第２液側連絡配管（22）の一端は、冷媒通路（205）の他端に接続している。第２液側連絡配管（22）の他端は、３つに分岐して空調回路（100）と冷蔵回路（110）と冷凍回路（130）とに接続している。第２液側連絡配管（22）のうち冷凍回路（130）に接続する分岐管には、液側閉鎖弁（25）が設けられている。
【００５０】
第１ガス側連絡配管（23）の一端は、２つに分岐して冷蔵回路（110）とブースタ回路（140）とに接続している。第１ガス側連絡配管（23）のうちブースタ回路（140）に接続する分岐管には、ガス側閉鎖弁（26）が設けられている。第１ガス側連絡配管（23）の他端は、室外回路（40）に接続している。第２ガス側連絡配管（24）は、空調回路（100）を室外回路（40）に接続している。
【００５１】
〈室外ユニット〉
室外ユニット（11）は、冷凍装置（10）の熱源ユニットを構成している。この室外ユニット（11）は、室外回路（40）を備えている。
【００５２】
室外回路（40）には、可変容量圧縮機（41）と、第１固定容量圧縮機（42）と、第２固定容量圧縮機（43）と、室外熱交換器（44）と、レシーバ（45）と、室外膨張弁（46）とが設けられている。また、室外回路（40）には、３つの吸入管（61,62,63）と、２つの吐出管（64,65）と、４つの液管（81,82,83,84）と、１つの高圧ガス管（66）とが設けられている。更に、室外回路（40）には、３つの四路切換弁（51,52,53）と、１つの液側閉鎖弁（54）と、２つのガス側閉鎖弁（55,56）とが設けられている。
【００５３】
この室外回路（40）において、液側閉鎖弁（54）には第１液側連絡配管（21）が、第１ガス側閉鎖弁（55）には第１ガス側連絡配管（23）が、第２ガス側閉鎖弁（56）には第２ガス側連絡配管（24）がそれぞれ接続されている。
【００５４】
可変容量圧縮機（41）、第１固定容量圧縮機（42）、及び第２固定容量圧縮機（43）は、何れも全密閉型で高圧ドーム型のスクロール圧縮機である。可変容量圧縮機（41）には、インバータを介して電力が供給される。この可変容量圧縮機（41）は、インバータの出力周波数を変化させて圧縮機モータの回転速度を変更することによって、その容量が変更可能となっている。一方、第１，第２固定容量圧縮機（42,43）は、圧縮機モータが常に一定の回転速度で運転されるものであって、その容量が変更不能となっている。
【００５５】
第１吸入管（61）は、その一端が第１ガス側閉鎖弁（55）に接続されている。この第１吸入管（61）は、他端側で第１分岐管（61a）と第２分岐管（61b）とに分岐されており、第１分岐管（61a）が可変容量圧縮機（41）の吸入側に、第２分岐管（61b）が第３四路切換弁（53）にそれぞれ接続されている。第１吸入管（61）の第２分岐管（61b）には、第１ガス側閉鎖弁（55）から第３四路切換弁（53）へ向かう冷媒の流通だけを許容する逆止弁（CV-1）が設けられている。
【００５６】
第２吸入管（62）は、その一端が第３四路切換弁（53）に、他端が第１固定容量圧縮機（42）の吸入側にそれぞれ接続されている。
【００５７】
第３吸入管（63）は、その一端が第２四路切換弁（52）に接続されている。この第３吸入管（63）は、他端側で第１分岐管（63a）と第２分岐管（63b）とに分岐されており、第１分岐管（63a）が第２固定容量圧縮機（43）の吸入側に、第２分岐管（63b）が第３四路切換弁（53）にそれぞれ接続されている。第３吸入管（63）の第２分岐管（63b）には、第２四路切換弁（52）から第３四路切換弁（53）へ向かう冷媒の流通だけを許容する逆止弁（CV-2）が設けられている。
【００５８】
第１吐出管（64）は、一端側で第１分岐管（64a）と第２分岐管（64b）とに分岐されており、第１分岐管（64a）が可変容量圧縮機（41）の吐出側に、第２分岐管（64b）が第１固定容量圧縮機（42）の吐出側にそれぞれ接続されている。第１吐出管（64）の他端は、第１四路切換弁（51）に接続されている。第１吐出管（64）の第２分岐管（64b）には、第１固定容量圧縮機（42）から第１四路切換弁（51）へ向かう冷媒の流通だけを許容する逆止弁（CV-3）が設けられている。
【００５９】
第２吐出管（65）は、その一端が第２固定容量圧縮機（43）の吸入側に、他端が第１吐出管（64）における第１四路切換弁（51）の直前にそれぞれ接続されている。第２吐出管（65）には、第２固定容量圧縮機（43）から第１四路切換弁（51）へ向かう冷媒の流通だけを許容する逆止弁（CV-4）が設けられている。
【００６０】
室外熱交換器（44）は、クロスフィン式のフィン・アンド・チューブ型熱交換器である。この室外熱交換器（44）では、冷媒と室外空気の間で熱交換が行われる。室外熱交換器（44）の一端は、閉鎖弁（57）を介して第１四路切換弁（51）に接続されている。一方、室外熱交換器（44）の他端は、第１液管（81）を介してレシーバ（45）の頂部に接続されている。この第１液管（81）には、室外熱交換器（44）からレシーバ（45）へ向かう冷媒の流通だけを許容する逆止弁（CV-5）が設けられている。
【００６１】
レシーバ（45）の底部には、閉鎖弁（58）を介して第２液管（82）の一端が接続されている。第２液管（82）の他端は、液側閉鎖弁（54）に接続されている。この第２液管（82）には、レシーバ（45）から液側閉鎖弁（54）へ向かう冷媒の流通だけを許容する逆止弁（CV-6）が設けられている。
【００６２】
第２液管（82）における逆止弁（CV-6）と液側閉鎖弁（54）の間には、第３液管（83）の一端が接続されている。第３液管（83）の他端は、第１液管（81）を介してレシーバ（45）の頂部に接続されている。また、第３液管（83）には、その一端から他端へ向かう冷媒の流通だけを許容する逆止弁（CV-7）が設けられている。
【００６３】
第２液管（82）における閉鎖弁（58）と逆止弁（CV-6）の間には、第４液管（84）の一端が接続されている。第４液管（84）の他端は、第１液管（81）における室外熱交換器（44）と逆止弁（CV-5）の間に接続されている。また、第４液管（84）には、その一端から他端へ向かって順に、逆止弁（CV-8）と室外膨張弁（46）とが設けられている。この逆止弁（CV-8）は、第４液管（84）の一端から他端へ向かう冷媒の流通だけを許容する。また、室外膨張弁（46）は、電子膨張弁により構成されている。
【００６４】
高圧ガス管（66）は、その一端が第１吐出管（64）における第１四路切換弁（51）の直前に接続されている。高圧ガス管（66）は、他端側で第１分岐管（66a）と第２分岐管（66b）とに分岐されており、第１分岐管（66a）が第１液管（81）における逆止弁（CV-5）の下流側に、第２分岐管（66b）が第３四路切換弁（53）にそれぞれ接続されている。高圧ガス管（66）の第１分岐管（66a）には、電磁弁（SV-7）と逆止弁（CV-9）とが設けられている。この逆止弁（CV-9）は、電磁弁（SV-7）の下流側に配置され、電磁弁（SV-7）から第１液管（81）へ向かう冷媒の流通だけを許容する。
【００６５】
第１四路切換弁（51）は、第１のポートが第１吐出管（64）の終端に、第２のポートが第２四路切換弁（52）に、第３のポートが室外熱交換器（44）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６６】
第２四路切換弁（52）は、第１のポートが第２吐出管（65）における逆止弁（CV-4）の下流側に、第２のポートが第２吸入管（62）の始端に、第４のポートが第１四路切換弁（51）の第２のポートにそれぞれ接続されている。また、第２四路切換弁（52）は、その第３のポートが封止されている。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６７】
第３四路切換弁（53）は、第１のポートが高圧ガス管（66）の第２分岐管（66b）の終端に、第２のポートが第２吸入管（62）の始端に、第３のポートが第１吸入管（61）の第２分岐管（61b）の終端に、第４のポートが第３吸入管（63）の第２分岐管（63b）の終端にそれぞれ接続されている。この第３四路切換弁（53）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６８】
室外回路（40）には、インジェクション管（85）、連通管（87）、油分離器（75）、及び油戻し管（76）が更に設けられている。また、室外回路（40）には、４つの均油管（71,72,73,74）も設けられている。
【００６９】
インジェクション管（85）は、いわゆる液インジェクションを行うためのものである。インジェクション管（85）は、その一端が第４液管（84）における逆止弁（CV-8）と室外膨張弁（46）の間に、他端が第１吸入管（61）にそれぞれ接続されている。このインジェクション管（85）には、その一端から他端へ向かって順に、閉鎖弁（59）と流量調節弁（86）とが設けられている。流量調節弁（86）は、電子膨張弁により構成されている。
【００７０】
連通管（87）は、その一端がインジェクション管（85）における閉鎖弁（59）と流量調節弁（86）の間に、他端が高圧ガス管（66）の第１分岐管（66a）における電磁弁（SV-7）の上流側にそれぞれ接続されている。この連通管（87）には、その一端から他端へ向かう冷媒の流通だけを許容する逆止弁（CV-10）が設けられている。
【００７１】
油分離器（75）は、第１吐出管（64）のうち第２吐出管（65）及び高圧ガス管（66）の接続位置よりも上流側に設けられている。この油分離器（75）は、圧縮機（41,42）の吐出ガスから冷凍機油を分離するためのものである。
【００７２】
油戻し管（76）は、その一端が油分離器（75）に接続されている。油戻し管（76）は、他端側で第１分岐管（76a）と第２分岐管（76b）とに分岐されており、第１分岐管（76a）がインジェクション管（85）における流量調節弁（86）の下流側に、第２分岐管（76b）が第２吸入管（62）にそれぞれ接続されている。また、油戻し管（76）の第１分岐管（76a）と第２分岐管（76b）とには、電磁弁（SV-5,SV-6）が１つずつ設けられている。第１分岐管（76a）の電磁弁（SV-5）を開くと、油分離器（75）で分離された冷凍機油がインジェクション管（85）を通じて第１吸入管（61）へ送り返される。一方、第２分岐管（76b）の電磁弁（SV-6）を開くと、油分離器（75）で分離された冷凍機油が第２吸入管（62）へ送り返される。
【００７３】
第１均油管（71）は、その一端が可変容量圧縮機（41）に接続され、他端が第２吸入管（62）に接続されている。この第１均油管（71）には、電磁弁（SV-1）が設けられている。第２均油管（72）は、その一端が第１固定容量圧縮機（42）に接続され、他端が第３吸入管（63）の第１分岐管（63a）に接続されている。この第２均油管（72）には、電磁弁（SV-2）が設けられている。第３均油管（73）は、その一端が第２固定容量圧縮機（43）に接続され、他端が第１吸入管（61）の第１分岐管（61a）に接続されている。この第３均油管（73）には、電磁弁（SV-3）が設けられている。第４均油管（74）は、その一端が第２均油管（72）における電磁弁（SV-2）の上流側に接続され、他端が第１吸入管（61）の第１分岐管（61a）に接続されている。この第４均油管（74）には、電磁弁（SV-4）が設けられている。各均油管（71〜74）の電磁弁（SV-1〜SV-4）を適宜開閉することにより、各圧縮機（41,42,43）における冷凍機油の貯留量が平均化される。
【００７４】
室外回路（40）には、各種のセンサや圧力スイッチも設けられている。具体的に、第１吸入管（61）には、第１吸入温度センサ（91）と第１吸入圧力センサ（92）とが設けられている。第２吸入管（62）には、第２吸入圧力センサ（93）が設けられている。第３吸入管（63）には、第３吸入温度センサ（94）と第３吸入圧力センサ（95）とが設けられている。第１吐出管（64）には、第１吐出温度センサ（97）と第１吐出圧力センサ（98）とが設けられている。第１吐出管（64）の各分岐管（64a,64b）には、高圧圧力スイッチ（96）が１つずつ設けられている。第２吐出管（65）には、第２吐出温度センサ（99）と高圧圧力スイッチ（96）とが設けられている。
【００７５】
また、室外ユニット（11）には、外気温センサ（90）と室外ファン（48）とが設けられている。室外熱交換器（44）へは、この室外ファン（48）によって室外空気が送られる。
【００７６】
〈空調ユニット〉
空調ユニット（12）は、利用ユニットを構成している。空調ユニット（12）は、空調回路（100）を備えている。この空調回路（100）は、その液側端が第２液側連絡配管（22）、ガス側端が第２ガス側連絡配管（24）にそれぞれ接続されている。
【００７７】
空調回路（100）では、その液側端からガス側端へ向かって順に、空調膨張弁（102）と空調熱交換器（101）とが設けられている。空調熱交換器（101）は、クロスフィン式のフィン・アンド・チューブ型熱交換器である。この空調熱交換器（101）では、冷媒と室内空気の間で熱交換が行われる。一方、空調膨張弁（102）は、電子膨張弁によって構成されている。
【００７８】
空調ユニット（12）には、熱交換器温度センサ（103）と冷媒温度センサ（104）とが設けられている。熱交換器温度センサ（103）は、空調熱交換器（101）の伝熱管に取り付けられている。冷媒温度センサ（104）は、空調回路（100）におけるガス側端の近傍に取り付けられている。また、空調ユニット（12）には、内気温センサ（106）と空調ファン（105）とが設けられている。空調熱交換器（101）へは、この空調ファン（105）によって店内の室内空気が送られる。
【００７９】
〈冷蔵ショーケース〉
冷蔵ショーケース（13）は、利用ユニットを構成している。冷蔵ショーケース（13）は、冷蔵回路（110）を備えている。この冷蔵回路（110）は、その液側端が第２液側連絡配管（22）に、ガス側端が第１ガス側連絡配管（23）にそれぞれ接続されている。
【００８０】
冷蔵回路（110）では、その液側端からガス側端へ向かって順に、冷蔵電磁弁（114）と冷蔵膨張弁（112）と冷蔵熱交換器（111）とが設けられている。冷蔵熱交換器（111）は、クロスフィン式のフィン・アンド・チューブ型熱交換器である。この冷蔵熱交換器（111）では、冷媒と庫内空気の間で熱交換が行われる。冷蔵膨張弁（112）は、温度自動膨張弁によって構成されている。冷蔵膨張弁（112）の感温筒（113）は、冷蔵熱交換器（111）の出口側の配管に取り付けられている。
【００８１】
冷蔵ショーケース（13）には、冷蔵庫内温度センサ（116）と冷蔵庫内ファン（115）とが設けられている。冷蔵熱交換器（111）へは、この冷蔵庫内ファン（115）によって冷蔵ショーケース（13）の庫内空気が送られる。
【００８２】
〈冷凍ショーケース〉
冷凍ショーケース（14）は、利用ユニットを構成している。冷凍ショーケース（14）は、冷凍回路（130）を備えている。この冷凍回路（130）は、その液側端が第２液側連絡配管（22）に接続されている。また、冷凍回路（130）のガス側端は、配管を介してブースタユニット（15）に接続されている。
【００８３】
冷凍回路（130）では、その液側端からガス側端へ向かって順に、冷凍電磁弁（134）と冷凍膨張弁（132）と冷凍熱交換器（131）とが設けられている。冷凍熱交換器（131）は、クロスフィン式のフィン・アンド・チューブ型熱交換器である。この冷凍熱交換器（131）では、冷媒と庫内空気の間で熱交換が行われる。冷凍膨張弁（132）は、温度自動膨張弁によって構成されている。冷凍膨張弁（132）の感温筒（133）は、冷凍熱交換器（131）の出口側の配管に取り付けられている。
【００８４】
冷凍ショーケース（14）には、冷凍庫内温度センサ（136）と冷凍庫内ファン（135）とが設けられている。冷凍熱交換器（131）へは、この冷凍庫内ファン（135）によって冷凍ショーケース（14）の庫内空気が送られる。
【００８５】
〈ブースタユニット〉
ブースタユニット（15）は、ブースタ回路（140）を備えている。このブースタ回路（140）には、ブースタ圧縮機（141）と、吸入管（143）と、吐出管（144）と、バイパス管（150）とが設けられている。
【００８６】
ブースタ圧縮機（141）は、全密閉型で高圧ドーム型のスクロール圧縮機である。ブースタ圧縮機（141）には、インバータを介して電力が供給される。このブースタ圧縮機（141）は、インバータの出力周波数を変化させて圧縮機モータの回転速度を変更することによって、その容量が変更可能となっている。
【００８７】
吸入管（143）は、その終端がブースタ圧縮機（141）の吸入側に接続されている。吸入管（143）の始端は、配管を介して冷凍回路（130）のガス側端に接続されている。
【００８８】
吐出管（144）は、その始端がブースタ圧縮機（141）の吐出側に、終端が第１ガス側連絡配管（23）にそれぞれ接続されている。この吐出管（144）には、その始端から終端へ向かって順に、高圧圧力スイッチ（148）と、油分離器（145）と、吐出側逆止弁（149）とが設けられている。吐出側逆止弁（149）は、吐出管（144）の始端から終端へ向かう冷媒の流通だけを許容する。
【００８９】
油分離器（145）は、ブースタ圧縮機（141）の吐出ガスから冷凍機油を分離するためのものである。油分離器（145）には、油戻し管（146）の一端が接続されている。油戻し管（146）の他端は、吸入管（143）に接続されている。油戻し管（146）には、キャピラリチューブ（147）が設けられている。油分離器（145）で分離された冷凍機油は、油戻し管（146）を通じてブースタ圧縮機（141）の吸入側へ送り返される。
【００９０】
バイパス管（150）は、その始端が吸入管（143）に、終端が吐出管（64）における油分離器（145）と吐出側逆止弁（149）の間にそれぞれ接続されている。このバイパス管（150）には、その始端から終端へ向かう冷媒の流通だけを許容するバイパス逆止弁（151）が設けられている。
【００９１】
〈過冷却ユニット〉
過冷却装置としての過冷却ユニット（200）は、冷媒通路（205）と過冷却用冷媒回路（220）と過冷却用熱交換器（210）とコントローラ（240）とを備えている。
【００９２】
冷媒通路（205）は、その一端が第１液側連絡配管（21）に、他端が第２液側連絡配管（22）にそれぞれ接続されている。
【００９３】
過冷却用冷媒回路（220）は、過冷却用圧縮機（221）と、過冷却用室外熱交換器（222）と、過冷却用膨張弁（223）と、過冷却用熱交換器（210）とを順に配管で接続して構成された閉回路である。この過冷却用冷媒回路（220）は、冷却用流体回路を構成している。過冷却用冷媒回路（220）には、冷却用流体としての過冷却用冷媒が充填されている。この過冷却用冷媒としては、Ｒ４０７Ｃ等のいわゆるフロン冷媒だけでなく、二酸化炭素（ＣＯ2）やアンモニア等の各種の冷媒を用いることができる。この過冷却用冷媒回路（220）では、充填された過冷却用冷媒を循環させることによって冷凍サイクルが行われる。
【００９４】
過冷却用圧縮機（221）は、全密閉型で高圧ドーム型のスクロール圧縮機である。過冷却用圧縮機（221）には、インバータを介して電力が供給される。この過冷却用圧縮機（221）は、インバータの出力周波数を変化させて圧縮機モータの回転速度を変更することによって、その容量が変更可能となっている。過冷却用室外熱交換器（222）は、クロスフィン式のフィン・アンド・チューブ型熱交換器である。この過冷却用室外熱交換器（222）では、過冷却用冷媒と室外空気の間で熱交換が行われる。過冷却用膨張弁（223）は、電子膨張弁によって構成されている。
【００９５】
過冷却用熱交換器（210）は、いわゆるプレート式熱交換器によって構成されている。過冷却用熱交換器（210）には、第１流路（211）と第２流路（212）とが複数ずつ形成されている。第１流路（211）には過冷却用冷媒回路（220）が、第２流路（212）には冷媒通路（205）がそれぞれ接続されている。そして、この過冷却用熱交換器（210）は、第１流路（211）を流れる過冷却用冷媒と、第２流路（212）を流れる冷凍装置（10）の冷媒とを熱交換させる。
【００９６】
過冷却ユニット（200）には、各種のセンサや圧力スイッチも設けられている。具体的に、過冷却用冷媒回路（220）では、過冷却用圧縮機（221）の吸入側に吸入温度センサ（235）と吸入圧力センサ（234）とが設けられ、過冷却用圧縮機（221）の吐出側に吐出温度センサ（233）と高圧圧力スイッチ（232）とが設けられている。冷媒通路（205）では、過冷却用熱交換器（210）よりも他端寄りの部分、即ち第２液側連絡配管（22）に接続する端部寄りの部分に冷媒温度センサ（236）が設けられている。この冷媒温度センサ（236）は、冷媒温度検出手段を構成している。
【００９７】
また、過冷却ユニット（200）には、外気温センサ（231）と室外ファン（230）とが設けられている。過冷却用室外熱交換器（222）へは、この室外ファン（230）によって室外空気が送られる。
【００９８】
コントローラ（240）は、制御手段を構成している。コントローラ（240）には、冷媒温度センサ（236）の検出値と、吸入圧力センサ（234）の検出値と、外気温センサ（231）の検出値とが入力されている。そして、このコントローラ（240）は、入力されたセンサの検出値に基づき、過冷却用圧縮機（221）の起動と停止とを制御するように構成されている。このコントローラ（240）には、室外ユニット（11）や空調ユニット（12）などで構成された冷凍装置（10）からの信号は一切入力されていない。つまり、コントローラ（240）は、過冷却ユニット（200）に設けられたセンサの検出値など、過冷却ユニット（200）の内部で得られた情報だけに基づいて過冷却用圧縮機（221）の運転制御を行う。
【００９９】
−冷凍システムの運転動作−
上記冷凍システムが行う運転動作のうち、主要なものについて説明する。
【０１００】
〈冷房運転〉
冷房運転は、冷蔵ショーケース（13）及び冷凍ショーケース（14）において庫内空気の冷却を行い、空調ユニット（12）で室内空気の冷却を行って店内を冷房する運転である。
【０１０１】
図２に示すように、冷房運転中は、第１四路切換弁（51）、第２四路切換弁（52）、及び第３四路切換弁（53）がそれぞれ第１状態に設定される。また、室外膨張弁（46）が全閉される一方、空調膨張弁（102）、冷蔵膨張弁（112）、及び冷凍膨張弁（132）の開度がそれぞれ適宜調節される。この状態において、可変容量圧縮機（41）、第１固定容量圧縮機（42）、第２固定容量圧縮機（43）、及びブースタ圧縮機（141）が運転される。この冷房運転中には、過冷却ユニット（200）が運転状態となる。過冷却ユニット（200）の運転動作については後述する。
【０１０２】
可変容量圧縮機（41）、第１固定容量圧縮機（42）、及び第２固定容量圧縮機（43）から吐出された冷媒は、第１四路切換弁（51）を通過して室外熱交換器（44）へ送られる。室外熱交換器（44）では、冷媒が室外空気へ放熱して凝縮する。室外熱交換器（44）で凝縮した冷媒は、第１液管（81）とレシーバ（45）と第２液管（82）とを順に通過して第１液側連絡配管（21）へ流入する。
【０１０３】
第１液側連絡配管（21）へ流入した冷媒は、過冷却ユニット（200）の冷媒通路（205）へ流入する。冷媒通路（205）へ流入した冷媒は、過冷却用熱交換器（210）の第２流路（212）を通過する間に冷却される。過冷却用熱交換器（210）で冷却された過冷却状態の液冷媒は、第２液側連絡配管（22）を通って空調回路（100）と冷蔵回路（110）と冷凍回路（130）とに分配される。
【０１０４】
空調回路（100）へ流入した冷媒は、空調膨張弁（102）を通過する際に減圧されてから空調熱交換器（101）へ導入される。空調熱交換器（101）では、冷媒が室内空気から吸熱して蒸発する。その際、空調熱交換器（101）では、冷媒の蒸発温度が例えば５℃程度に設定される。空調ユニット（12）では、空調熱交換器（101）で冷却された室内空気が店内へ供給される。
【０１０５】
空調熱交換器（101）で蒸発した冷媒は、第２ガス側連絡配管（24）を通って室外回路（40）へ流入し、その後、第１四路切換弁（51）と第２四路切換弁（52）を順に通過して第３吸入管（63）へ流入する。第３吸入管（63）へ流入した冷媒は、その一部が第１分岐管（63a）を通って第２固定容量圧縮機（43）に吸入され、残りが第２分岐管（63b）と第３四路切換弁（53）と第２吸入管（62）とを順に通過して第１固定容量圧縮機（42）に吸入される。
【０１０６】
冷蔵回路（110）へ流入した冷媒は、冷蔵膨張弁（112）を通過する際に減圧されてから冷蔵熱交換器（111）へ導入される。冷蔵熱交換器（111）では、冷媒が庫内空気から吸熱して蒸発する。その際、冷蔵熱交換器（111）では、冷媒の蒸発温度が例えば−５℃程度に設定される。冷蔵熱交換器（111）で蒸発した冷媒は、第１ガス側連絡配管（23）へ流入する。冷蔵ショーケース（13）では、冷蔵熱交換器（111）で冷却された庫内空気が庫内へ供給され、庫内温度が例えば５℃程度に保たれる。
【０１０７】
冷凍回路（130）へ流入した冷媒は、冷凍膨張弁（132）を通過する際に減圧されてから冷凍熱交換器（131）へ導入される。冷凍熱交換器（131）では、冷媒が庫内空気から吸熱して蒸発する。その際、冷凍熱交換器（131）では、冷媒の蒸発温度が例えば−３０℃程度に設定される。冷凍ショーケース（14）では、冷凍熱交換器（131）で冷却された庫内空気が庫内へ供給され、庫内温度が例えば−２０℃程度に保たれる。
【０１０８】
冷凍熱交換器（131）で蒸発した冷媒は、ブースタ回路（140）へ流入してブースタ圧縮機（141）へ吸入される。ブースタ圧縮機（141）で圧縮された冷媒は、吐出管（144）を通って第１ガス側連絡配管（23）へ流入する。
【０１０９】
第１ガス側連絡配管（23）では、冷蔵回路（110）から送り込まれた冷媒と、ブースタ回路（140）から送り込まれた冷媒とが合流する。そして、これらの冷媒は、第１ガス側連絡配管（23）を通過して室外回路（40）の第１吸入管（61）へ流入する。第１吸入管（61）へ流入した冷媒は、その第１分岐管（61a）を通って可変容量圧縮機（41）に吸入される。
【０１１０】
〈第１暖房運転〉
第１暖房運転は、冷蔵ショーケース（13）及び冷凍ショーケース（14）において庫内空気の冷却を行い、空調ユニット（12）で室内空気の加熱を行って店内を暖房する運転である。
【０１１１】
図３に示すように、室外回路（40）では、第１四路切換弁（51）が第２状態に、第２四路切換弁（52）が第１状態に、第３四路切換弁（53）が第１状態にそれぞれ設定される。また、室外膨張弁（46）が全閉される一方、空調膨張弁（102）、冷蔵膨張弁（112）、及び冷凍膨張弁（132）の開度が適宜調節される。この状態において、可変容量圧縮機（41）及びブースタ圧縮機（141）が運転され、第１固定容量圧縮機（42）及び第２固定容量圧縮機（43）が休止する。また、室外熱交換器（44）は、冷媒が送り込まれずに休止状態となる。この第１暖房運転中には、過冷却ユニット（200）が停止状態となる。
【０１１２】
可変容量圧縮機（41）から吐出された冷媒は、第１四路切換弁（51）と第２ガス側連絡配管（24）と順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）を通って冷蔵回路（110）と冷凍回路（130）とに分配される。
【０１１３】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。第１ガス側連絡配管（23）へ流入した冷媒は、第１吸入管（61）を通過後に可変容量圧縮機（41）に吸入されて圧縮される。
【０１１４】
このように、第１暖房運転では、冷蔵熱交換器（111）及び冷凍熱交換器（131）において冷媒が吸熱し、空調熱交換器（101）において冷媒が放熱する。そして、冷蔵熱交換器（111）及び冷凍熱交換器（131）で冷媒が庫内空気から吸熱した熱を利用して、店内の暖房が行われる。
【０１１５】
尚、第１暖房運転中には、図４に示すように、第１固定容量圧縮機（42）を運転してもよい。第１固定容量圧縮機（42）を運転するか否かは、冷蔵ショーケース（13）及び冷凍ショーケース（14）における冷却負荷に応じて決定される。この場合には、第３四路切換弁（53）が第２状態に設定される。そして、第１吸入管（61）へ流入した冷媒は、その一部が第１分岐管（61a）を通って可変容量圧縮機（41）に吸入され、残りが第２分岐管（61b）と第３四路切換弁（53）と第２吸入管（62）とを順に通って第１固定容量圧縮機（42）へ吸入される。
【０１１６】
〈第２暖房運転〉
第２暖房運転は、上記第１暖房運転と同様に店内の暖房を行う運転である。この第２暖房運転は、上記第１暖房運転では暖房能力が不足する場合に行われる。
【０１１７】
図５に示すように、室外回路（40）では、第１四路切換弁（51）が第２状態に、第２四路切換弁（52）が第１状態に、第３四路切換弁（53）が第１状態にそれぞれ設定される。また、室外膨張弁（46）、空調膨張弁（102）、冷蔵膨張弁（112）、及び冷凍膨張弁（132）の開度が適宜調節される。この状態において、可変容量圧縮機（41）、第２固定容量圧縮機（43）、及びブースタ圧縮機（141）が運転され、第１固定容量圧縮機（42）が休止する。この第１暖房運転中には、過冷却ユニット（200）が停止状態となる。
【０１１８】
可変容量圧縮機（41）及び第２固定容量圧縮機（43）から吐出された冷媒は、第１四路切換弁と第２ガス側連絡配管（24）とを順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）へ流入する。第２液側連絡配管（22）へ流入した冷媒は、その一部が冷蔵回路（110）と冷凍回路（130）とに分配され、残りが過冷却ユニット（200）の冷媒通路（205）へ導入される。
【０１１９】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。そして、第１ガス側連絡配管（23）へ流入した冷媒は、第１吸入管（61）を通過後に可変容量圧縮機（41）に吸入されて圧縮される。
【０１２０】
過冷却ユニット（200）の冷媒通路（205）へ流入した冷媒は、第１液側連絡配管（21）と第３液管（83）とを順に通過してレシーバ（45）へ流入し、その後に第２液管（82）を通って第４液管（84）へ流入する。第４液管（84）へ流入した冷媒は、室外膨張弁（46）を通過する際に減圧されてから室外熱交換器（44）へ導入され、室外空気から吸熱して蒸発する。室外熱交換器（44）で蒸発した冷媒は、第１四路切換弁（51）と第２四路切換弁（52）とを順に通過して第２吸入管（62）へ流入し、第２固定容量圧縮機（43）へ吸入されて圧縮される。
【０１２１】
このように、第２暖房運転では、冷蔵熱交換器（111）、冷凍熱交換器（131）、及び室外熱交換器（44）において冷媒が吸熱し、空調熱交換器（101）において冷媒が放熱する。そして、冷蔵熱交換器（111）及び冷凍熱交換器（131）で冷媒が庫内空気から吸熱した熱と、室外熱交換器（44）で冷媒が室外空気から吸熱した熱とを利用して、店内の暖房が行われる。
【０１２２】
−過冷却ユニットの運転動作−
過冷却ユニット（200）の運転動作について説明する。過冷却ユニット（200）の運転状態では、過冷却用圧縮機（221）が運転されると共に、過冷却用膨張弁（223）の開度が適宜調節される。
【０１２３】
図１に示すように、過冷却用圧縮機（221）から吐出された過冷却用冷媒は、過冷却用室外熱交換器（222）で室外空気へ放熱して凝縮する。過冷却用室外熱交換器（222）で凝縮した過冷却用冷媒は、過冷却用膨張弁（223）を通過する際に減圧されてから過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、過冷却用圧縮機（221）へ吸入されて圧縮される。
【０１２４】
上述したように、コントローラ（240）は、入力されたセンサの検出値に基づき、過冷却用圧縮機（221）の起動と停止とを制御する。ここでは、コントローラ（240）の制御動作について、図６を参照しながら説明する。このコントローラ（240）の制御動作は、一定の時間間隔（例えば１０秒間隔）で繰り返し行われる。
【０１２５】
最初に、ステップST10では、過冷却用圧縮機（221）が運転中か停止中かの判断が行われる。
【０１２６】
ステップST10で過冷却用圧縮機（221）が運転中であると判断されると、ステップST11へ移る。ステップST11では、過冷却用圧縮機（221）が起動した時点から所定時間（例えば２分間）が経過しているか否かが判断される。そして、過冷却用圧縮機（221）の起動時点から所定時間が経過していればステップST12へ移る。一方、所定時間が経過していなければステップST14へ移って制御動作を一旦終了し、過冷却用圧縮機（221）の運転を継続させる。
【０１２７】
ステップST12では、過冷却用圧縮機（221）を停止させるかどうかの判断が行われる。このステップST12では、以下に示す４つの条件が満たされるか否かの判断が行われる。そして、これら４つの条件の何れか１つでも満たされていれば、ステップST13へ移って過冷却用圧縮機（221）を停止させる。一方、これら４つの条件が全て満たされていなければ、ステップST14へ移って制御動作を一旦終了し、過冷却用圧縮機（221）の運転を継続させる。
【０１２８】
ステップST12の第１条件について説明する。この第１条件は、過冷却用圧縮機（221）の起動後に冷媒温度センサ（236）の検出値が順調に低下してゆくかどうかを判断するための条件である。
【０１２９】
ステップST12の第１条件を満たすためには、次の６つの要件を充足する必要がある。第１の要件は、外気温センサ（231）の検出値Ｔaが２０℃未満である（Ｔa＜２０）というものである。第２の要件は、過冷却用圧縮機（221）の起動時点における冷媒温度センサ（236）の検出値Ｔout_0と過冷却用圧縮機（221）の起動から１分経過後における冷媒温度センサ（236）の検出値Ｔout_1との差が３℃以下である（Ｔout_0−Ｔout_1≦３）というものである。第３の要件は、過冷却用圧縮機（221）の起動時点における冷媒温度センサ（236）の検出値Ｔout_0と過冷却用圧縮機（221）の起動から２分経過後における冷媒温度センサ（236）の検出値Ｔout_2との差が５℃以下である（Ｔout_0−Ｔout_2≦５）いうものである。第４の要件は、過冷却用圧縮機（221）の起動時点における冷媒温度センサ（236）の検出値Ｔout_0と過冷却用圧縮機（221）の起動から３分経過後における冷媒温度センサ（236）の検出値Ｔout_3との差が７℃以下である（Ｔout_0−Ｔout_3≦７）というものである。第５の要件は、過冷却用圧縮機（221）の起動時点から既に３分経過しているというものである。第６の要件は、冷媒温度センサ（236）が正常に作動しているというものである。
【０１３０】
これら第１〜第６の要件が全て満たされる場合には、室外空気の温度がさほど高くなくて過冷却用熱交換器（210）での冷却能力が充分に得られているにも拘わらず、冷媒温度センサ（236）の検出値Ｔoutがさほど低下してゆかない状態となっている。このため、ステップST12の第１条件が満たされた場合には、第１暖房運転中のように冷媒通路（205）内を冷媒が流れていない状態か、第２暖房運転中のように冷媒通路（205）内を室外ユニット（11）へ向けて冷媒が流れる状態であると判断できる。そこで、この第１条件が満たされると、コントローラ（240）は、冷凍装置（10）が過冷却ユニット（200）の運転を必要としない運転状態にあると判断し、過冷却用圧縮機（221）を停止させる。
【０１３１】
ステップST12の第２条件について説明する。この第２条件は、過冷却用圧縮機（221）の運転中に冷媒温度センサ（236）の検出値が過冷却用冷媒の蒸発温度に対応した妥当な値になっているかどうかを判断するための条件である。
【０１３２】
ステップST12の第２条件を満たすためには、次の４つの要件を充足する必要がある。第１の要件は、過冷却用圧縮機（221）の起動時点から既に５分経過しているというものである。第２の要件は、冷媒温度センサ（236）の検出値Ｔoutが過冷却用熱交換器（210）における過冷却用冷媒の蒸発温度Ｔgに１５を加えた値よりも大きい（Ｔout＞Ｔg＋１５）というものである。第３の要件は、冷媒温度センサ（236）が正常に作動しているというものである。第４の要件は、吸入圧力センサ（234）が正常に作動しているというものである。
【０１３３】
尚、このコントローラ（240）では、吸入圧力センサ（234）の検出値ＬＰにおける過冷却用冷媒の飽和温度を、過冷却用冷媒の蒸発温度Ｔgとみなしている。つまり、本実施形態では、過冷却用冷媒の蒸発温度を検出する蒸発温度検出手段が、吸入圧力センサ（234）によって構成されている。
【０１３４】
これら第１〜第４の要件が全て満たされる場合には、過冷却用冷媒回路（220）で冷凍サイクルが行われているにも拘わらず、冷媒温度センサ（236）の検出値Ｔoutと過冷却用冷媒の蒸発温度Ｔgとの差が１５℃よりも大きい状態となっている。このため、ステップST12の第２条件が満たされた場合も、第１暖房運転中のように冷媒通路（205）内を冷媒が流れていない状態か、第２暖房運転中のように冷媒通路（205）内を室外ユニット（11）へ向けて冷媒が流れる状態であると判断できる。そこで、この第２条件が満たされると、コントローラ（240）は、冷凍装置（10）が過冷却ユニット（200）の運転を必要としない運転状態にあると判断し、過冷却用圧縮機（221）を停止させる。
【０１３５】
ステップST12の第３条件について説明する。この第３条件が満たされるのは、吸入圧力センサ（234）の検出値ＬＰが０.２MPa未満であり、且つ吸入圧力センサ（234）が異常となっている場合である。この場合には、吸入圧力センサ（234）の検出値が正常ではないため、それに基づいて過冷却用圧縮機（221）の運転を適切に制御することができない。そこで、第３条件が満たされると、コントローラ（240）は、過冷却用圧縮機（221）を停止させる。
【０１３６】
ステップST12の第４条件について説明する。この第４条件が満たされるのは、吸入圧力センサ（234）の検出値ＬＰが０.１５MPa未満となっている場合である。この場合には、吸入圧力センサ（234）の検出値が通常の運転状態では有り得ない程の低い値となっている。そこで、第４条件が満たされると、コントローラ（240）は、何らかのトラブルが発生していると判断し、過冷却用圧縮機（221）を停止させる。
【０１３７】
ステップST10で過冷却用圧縮機（221）が停止中であると判断されると、ステップST15へ移る。ステップST15では、過冷却用圧縮機（221）の停止時点から所定時間が経過したか否かが判断される。過冷却用圧縮機（221）の起動と停止が短時間の間に繰り返されるのを回避するため、過冷却用圧縮機（221）が一旦停止すると、その停止時点からある程度の時間が経過するまでは過冷却用圧縮機（221）の再起動を制限する。ステップST15において、過冷却用圧縮機（221）の停止時点から所定時間が経過していなければ、ステップST14へ移って制御動作を一旦終了し、過冷却用圧縮機（221）を停止状態に保持する。一方、過冷却用圧縮機（221）の停止時点から所定時間が経過していれば、ステップST16へ移る。
【０１３８】
ステップST16では、過冷却用圧縮機（221）を起動するかどうかの判断が行われる。このステップST16では、以下に示す３つの条件が満たされるか否かの判断が行われる。そして、これら３つの条件の何れか１つでも満たされていれば、ステップST17へ移って過冷却用圧縮機（221）を起動する。一方、これら３つの条件が全て満たされていなければ、ステップST14へ移って制御動作を一旦終了し、過冷却用圧縮機（221）を停止状態に保持する。
【０１３９】
ステップST16の第１条件について説明する。この第１条件が満たされるのは、外気温センサ（231）の検出値Ｔaが２５℃以上であり、且つ過冷却用圧縮機（221）の停止時点から既に１分経過している場合である。この場合には、室外空気がかなり高温であるにも拘わらず、１分以上に亘って過冷却用圧縮機（221）が停止した状態となっている。そこで、第１条件が満たされると、コントローラ（240）は、冷媒通路（205）内の冷媒を冷却するために過冷却用圧縮機（221）を起動する。
【０１４０】
ステップST16の第２条件について説明する。この第２条件が満たされるのは、外気温センサ（231）の検出値Ｔaが２０℃以上であり、且つ過冷却用圧縮機（221）の停止時点から既に３分経過している場合である。この場合には、室外空気が比較的高温であるにも拘わらず、３分以上に亘って過冷却用圧縮機（221）が停止した状態となっている。そこで、第２条件が満たされると、コントローラ（240）は、冷媒通路（205）内の冷媒を冷却するために過冷却用圧縮機（221）を起動する。
【０１４１】
ステップST16の第３条件について説明する。この第３条件が満たされるのは、過冷却用圧縮機（221）の停止時点から既に１０分経過している場合である。この場合には、比較的長時間に亘って過冷却用圧縮機（221）が停止した状態となっている。そこで、第３条件が満たされると、コントローラ（240）は、冷媒通路（205）内の冷媒を冷却するために過冷却用圧縮機（221）を起動する。このように、コントローラ（240）は、過冷却用圧縮機（221）の停止時間が１０分間以上に達すると、必ず過冷却用圧縮機（221）の起動を行う。
【０１４２】
−実施形態の効果−
上記過冷却ユニット（200）において、コントローラ（240）は、過冷却ユニット（200）に設けられたセンサの検出値など、過冷却ユニット（200）内で得られる情報だけに基づいて過冷却用圧縮機（221）の運転を制御している。つまり、この過冷却ユニット（200）では、冷凍装置（10）との間で信号の授受などを行わなくても、冷凍装置（10）の運転状態に応じて過冷却用圧縮機（221）の運転を制御することが可能となる。このため、上記過冷却ユニット（200）を冷凍装置（10）に取り付ける際には、冷凍装置（10）の第１，第２液側連絡配管（21,22）に過冷却ユニット（200）の冷媒通路（205）を接続するだけでよく、冷凍装置（10）と過冷却ユニット（200）の間で信号を授受するための通信用配線を敷設する必要が無くなる。
【０１４３】
従って、本実施形態によれば、過冷却ユニット（200）を冷凍装置（10）に取り付ける際の作業工数を削減することができ、更には誤配線等の設置作業時の人的ミスに起因するトラブルを未然に防止することができる。
【０１４４】
ここで、過冷却ユニット（200）と冷凍装置（10）の間で信号を授受するためには、過冷却ユニット（200）だけでなく冷凍装置（10）にも通信インターフェースが必要となる。このため、運転制御に冷凍装置（10）からの信号入力が必要な過冷却ユニット（200）については、適用可能な冷凍装置（10）の機種が制限されることとなり、過冷却ユニット（200）の使い勝手が良くないという問題もあった。
【０１４５】
これに対し、本実施形態の過冷却ユニット（200）は、冷凍装置（10）との間における信号の授受を全く必要とせず、取り付け対象となる冷凍装置（10）について制約を受けない。従って、本実施形態によれば、過冷却ユニット（200）の取り付け対象となる冷凍装置（10）の機種の制約をなくすことができ、過冷却ユニット（200）の使い勝手を大幅に向上させることができる。
【０１４６】
−実施形態の変形例１−
本実施形態の過冷却ユニット（200）では、冷媒通路（205）における過冷却用熱交換器（210）の両側に温度センサ（237,238）を設け、これら温度センサ（237,238）の検出値に基づいて過冷却用圧縮機（221）を運転制御するようにしてもよい。
【０１４７】
図７に示すように、冷媒通路（205）では、過冷却用熱交換器（210）よりも他端寄りの部分、即ち第２液側連絡配管（22）に接続する端部寄りの部分に第１冷媒温度センサ（237）が設けられる。また、この冷媒通路（205）では、過冷却用熱交換器（210）よりも一端寄りの部分、即ち第１液側連絡配管（21）に接続する端部寄りの部分に第２冷媒温度センサ（238）が設けられる。この過冷却ユニット（200）では、第１冷媒温度センサ（237）が第１冷媒温度検出手段を、第２冷媒温度センサ（238）が第２冷媒温度検出手段をそれぞれ構成している。
【０１４８】
本変形例のコントローラ（240）には、第１冷媒温度センサ（237）の検出値と第２冷媒温度センサ（238）の検出値とが入力される。このコントローラ（240）は、過冷却用圧縮機（221）の運転中における２つの冷媒温度センサ（237,238）の検出値を対比し、その結果に応じて過冷却用圧縮機（221）の運転を継続させるか停止させるかを決定するように構成されている。
【０１４９】
このコントローラ（240）の制御動作について説明する。
【０１５０】
先ず、過冷却用圧縮機（221）の運転中に第１冷媒温度センサ（237）の検出値が第２冷媒温度センサ（238）の検出値よりも低くなっていれば、過冷却用熱交換器（210）で冷却された冷媒の温度が第１冷媒温度センサ（237）によって検出されていることとなる。従って、この場合には、例えば冷房運転中のように冷媒通路（205）内を第１液側連絡配管（21）側から第２液側連絡配管（22）側へ向かって冷媒が流れていると判断でき、コントローラ（240）は過冷却用圧縮機（221）の運転を継続させる。
【０１５１】
一方、過冷却用圧縮機（221）の運転中に第２冷媒温度センサ（238）の検出値が第１冷媒温度センサ（237）の検出値よりも低くなっていれば、過冷却用熱交換器（210）で冷却された冷媒の温度が第２冷媒温度センサ（238）によって検出されていることとなる。従って、この場合には、例えば第２暖房運転中のように冷媒通路（205）内を第２液側連絡配管（22）側から第１液側連絡配管（21）側へ向かって冷媒が流れていると判断でき、コントローラ（240）は過冷却用圧縮機（221）の運転を停止させる。
【０１５２】
また、過冷却用圧縮機（221）の運転中に第１冷媒温度センサ（237）の検出値と第２冷媒温度センサ（238）の検出値とが殆ど同じになっていれば、例えば第１暖房運転中のように冷媒通路（205）内で冷媒が流通していないと判断でき、コントローラ（240）は過冷却用圧縮機（221）の運転を停止させる。
【０１５３】
なお、本変形例のコントローラ（240）では、第１冷媒温度センサ（237）の検出値と第２冷媒温度センサ（238）の検出値との差を、冷媒通路（205）における冷媒の流通状態を示す流通状態表示値として用いてもよい。つまり、第１冷媒温度センサ（237）の検出値から第２冷媒温度センサ（238）の検出値を差し引いた値が負であれば、第１冷媒温度センサ（237）の検出値が第２冷媒温度センサ（238）の検出値よりも低い状態であると判断できるため、コントローラ（240）は過冷却用圧縮機（221）の運転を継続させる。また、第１冷媒温度センサ（237）の検出値から第２冷媒温度センサ（238）の検出値を差し引いた値がゼロ以上であれば、第１冷媒温度センサ（237）の検出値が第２冷媒温度センサ（238）の検出値よりも高いか或いは両者が同じ状態であると判断できるため、コントローラ（240）は過冷却用圧縮機（221）を停止させる。
【０１５４】
−実施形態の変形例２−
本実施形態の過冷却ユニット（200）では、図８に示すように、冷媒通路（205）に流量計（251）を設け、この流量計（251）の検出値に基づいて過冷却用圧縮機（221）を運転制御するようにしてもよい。
【０１５５】
この過冷却ユニット（200）では、流量計（251）の検出値がコントローラ（240）に入力される。コントローラ（240）は、冷媒通路（205）内における冷媒の流通方向と、冷媒通路（205）内で冷媒が流通しているか否かとを、流量計（251）の検出値に基づいて判断する。つまり、このコントローラ（240）は、流量計（251）の検出値を、冷媒通路（205）における冷媒の流通状態を示す流通状態表示値として用いている。
【０１５６】
過冷却用圧縮機（221）の運転中に冷媒通路（205）内を第１液側連絡配管（21）側から第２液側連絡配管（22）側へ向かって冷媒が流れていると判断した場合、コントローラ（240）は、過冷却用圧縮機（221）の運転を継続させる。また、過冷却用圧縮機（221）の運転中に冷媒通路（205）内を第２液側連絡配管（22）側から第１液側連絡配管（21）側へ向かって冷媒が流れていると判断した場合、あるいは過冷却用圧縮機（221）の運転中に冷媒通路（205）内を冷媒が流通していないと判断した場合、コントローラ（240）は、過冷却用圧縮機（221）の運転を停止させる。
【０１５７】
−実施形態の変形例３−
本実施形態のコントローラ（240）では、外気温センサ（231）の検出値だけに基づいて、過冷却用圧縮機（221）の運転を制御してもよい。
【０１５８】
コントローラ（240）の動作を説明する。外気温センサ（231）の検出値が所定の上限値（例えば３０℃）を上回ると、冷蔵ショーケース（13）や冷凍ショーケース（14）での冷却負荷、あるいは空調ユニット（12）での冷房負荷が高くなっていると推測できる。そこで、このような場合、コントローラ（240）は、過冷却用圧縮機（221）が停止中であれば過冷却用圧縮機（221）を起動させ、過冷却用圧縮機（221）が運転中であれば過冷却用圧縮機（221）の運転を継続させる。冷媒通路（205）内を第１液側連絡配管（21）側から第２液側連絡配管（22）側へ向かって流れる冷媒は、過冷却用熱交換器（210）で冷却されてから冷蔵ショーケース（13）等へ供給される。
【０１５９】
一方、外気温センサ（231）の検出値が所定の下限値（例えば２０℃）を下回ると、冷蔵ショーケース（13）や冷凍ショーケース（14）での冷却負荷、あるいは空調ユニット（12）での冷房負荷が低くなっていると推測でき、過冷却用圧縮機（221）の運転が必要ないと判断できる。そこで、このような場合、コントローラ（240）は、過冷却用圧縮機（221）が停止中であれば過冷却用圧縮機（221）を停止したままとし、過冷却用圧縮機（221）が運転中であれば過冷却用圧縮機（221）を停止させる。
【０１６０】
−実施形態の変形例４−
本実施形態のコントローラ（240）では、冷媒温度検出手段（236）の検出値の変化だけに基づいて、過冷却用圧縮機（221）の運転を制御してもよい。本変形例のコントローラ（240）は、冷媒温度検出手段（236）の検出値の変化を、冷媒通路（205）における冷媒の流通状態を示す流通状態表示値として用いる。
【０１６１】
コントローラ（240）の動作を説明する。過冷却用圧縮機（221）を起動させた時点から冷媒温度検出手段（236）の検出値が次第に低下してくる場合は、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１６２】
一方、過冷却用圧縮機（221）の起動させても冷媒温度検出手段（236）の検出値が低下してこない場合は、冷媒通路（205）内を第２液側連絡配管（22）側から第１液側連絡配管（21）側へ向かって冷媒が流れている、あるいは冷媒通路（205）内を冷媒が流れていないと判断できる。そこで、このような場合、コントローラ（240）は、過冷却用圧縮機（221）を停止させる。
【０１６３】
また、過冷却用圧縮機（221）を停止させた時点から冷媒温度検出手段（236）の検出値が次第に上昇してくる場合は、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）を再起動させる。
【０１６４】
一方、過冷却用圧縮機（221）の停止中でも冷媒温度検出手段（236）の検出値が上昇してこない場合は、冷媒通路（205）内を第２液側連絡配管（22）側から第１液側連絡配管（21）側へ向かって冷媒が流れている、あるいは冷媒通路（205）内を冷媒が流れていないと判断できる。そこで、このような場合、コントローラ（240）は、過冷却用圧縮機（221）を停止させたままとする。
【０１６５】
−実施形態の変形例５−
本実施形態のコントローラ（240）では、過冷却用熱交換器（210）の第１流路（211）の入口と出口における過冷却用冷媒の温度差に基づいて、過冷却用圧縮機（221）の運転を制御してもよい。
【０１６６】
図９に示すように、本変形例の過冷却ユニット（200）には、第１過冷却用冷媒温度センサ（252）と第２過冷却用冷媒温度センサ（253）とが設けられる。過冷却用冷媒回路（220）において、第１過冷却用冷媒温度センサ（252）は、過冷却用熱交換器（210）の第１流路（211）の直前に設けられ、この第１流路（211）へ流入しようとする過冷却用冷媒の温度を検出する。一方、第２過冷却用冷媒温度センサ（253）は、過冷却用熱交換器（210）の第１流路（211）の直後に設けられ、この第１流路（211）から流出した直後の過冷却用冷媒の温度を検出する。そして、本変形例のコントローラ（240）は、第１過冷却用冷媒温度センサ（252）の検出値と第２過冷却用冷媒温度センサ（253）の検出値との差を、冷媒通路（205）における冷媒の流通状態を示す流通状態表示値として用いる。
【０１６７】
コントローラ（240）の動作を説明する。過冷却用圧縮機（221）の運転中において、第２過冷却用冷媒温度センサ（253）の検出値が第１過冷却用冷媒温度センサ（252）の検出値よりも高い場合（即ち、第２過冷却用冷媒温度センサ（253）の検出値から第１過冷却用冷媒温度センサ（252）の検出値を差し引いた値が正(＋)の場合）には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１６８】
一方、過冷却用圧縮機（221）の運転中において、第２過冷却用冷媒温度センサ（253）の検出値が第１過冷却用冷媒温度センサ（252）の検出値よりも低い場合あるいは両者に差がない場合（即ち、第２過冷却用冷媒温度センサ（253）の検出値から第１過冷却用冷媒温度センサ（252）の検出値を差し引いた値がゼロ以下の場合）には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止させる。
【０１６９】
−実施形態の変形例６−
本実施形態のコントローラ（240）では、吸入圧力センサ（234）の検出値だけに基づいて、過冷却用圧縮機（221）の運転を制御してもよい。吸入圧力センサ（234）の検出値は、過冷却用熱交換器（210）の第１流路（211）における冷媒圧力、即ち過冷却用冷媒の蒸発圧力とほぼ等しくなる。このため、本変形例では、吸入圧力センサ（234）が蒸発圧力検出手段を構成している。そして、本変形例のコントローラ（240）は、吸入圧力センサ（234）の検出値を、冷媒通路（205）における冷媒の流通状態を示す流通状態表示値として用いる。
【０１７０】
コントローラ（240）の動作を説明する。過冷却用圧縮機（221）の運転中に吸入圧力センサ（234）の検出値が所定の基準値（例えば０.２ＭＰａ）を上回っていれば、過冷却用熱交換器（210）の第１流路（211）で過冷却用冷媒が蒸発していることになり、冷媒通路（205）内を冷媒が流れていると判断できる。そこで、このような場合、コントローラ（240）は、過冷却用圧縮機（221）の運転を継続させる。
【０１７１】
一方、過冷却用圧縮機（221）の運転中に吸入圧力センサ（234）の検出値が上記基準値以下になっていれば、過冷却用熱交換器（210）の第１流路（211）で過冷却用冷媒が殆ど蒸発していないことになり、冷媒通路（205）内を冷媒が流れていないと判断できる。そこで、このような場合、コントローラ（240）は、過冷却用圧縮機（221）を停止させる。
【０１７２】
−実施形態の変形例７−
本実施形態のコントローラ（240）では、冷媒温度センサ（236）の検出値Ｔoutと過冷却用冷媒の蒸発温度Ｔgとの差だけに基づいて、過冷却用圧縮機（221）の運転を制御してもよい。本変形例のコントローラ（240）は、冷媒温度センサ（236）の検出値Ｔoutと過冷却用冷媒の蒸発温度Ｔgとの差を、冷媒通路（205）における冷媒の流通状態を示す流通状態表示値として用いる。
【０１７３】
コントローラ（240）の動作を説明する。過冷却用圧縮機（221）の運転中において、冷媒温度センサ（236）の検出値Ｔoutから過冷却用冷媒の蒸発温度Ｔgを差し引いた値が所定の基準値（例えば１５℃）以下となっている場合には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）の運転を継続させる。
【０１７４】
一方、過冷却用圧縮機（221）の運転中において、冷媒温度センサ（236）の検出値Ｔoutから過冷却用冷媒の蒸発温度Ｔgを差し引いた値が上記基準値以下となっている場合には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止させる。
【０１７５】
−実施形態の変形例８−
本実施形態のコントローラ（240）では、冷媒温度検出手段（236）の検出値だけに基づいて、過冷却用圧縮機（221）の運転を制御してもよい。本変形例のコントローラ（240）は、冷媒温度検出手段（236）の検出値を、冷媒通路（205）における冷媒の流通状態を示す流通状態表示値として用いる。
【０１７６】
コントローラ（240）の動作を説明する。過冷却用圧縮機（221）の停止中に冷媒温度検出手段（236）の検出値が所定の基準値を上回っている場合は、室外ユニット（11）から冷蔵ショーケース（13）等の利用側へ送られる冷媒の温度が高くなっていて、冷蔵ショーケース（13）等での冷却能力が不足気味になっていると推測できる。そこで、このような場合、コントローラ（240）は、過冷却用圧縮機（221）を起動させる。
【０１７７】
一方、過冷却用圧縮機（221）の停止中に冷媒温度検出手段（236）の検出値が所定の基準値以下となっている場合は、室外ユニット（11）から冷蔵ショーケース（13）等の利用側へ送られる冷媒の温度がさほど高くなく、冷蔵ショーケース（13）等での冷却能力を充分に確保できていると推測できる。そこで、このような場合、コントローラ（240）は、過冷却用圧縮機（221）を停止させたままとする。
【０１７８】
−実施形態の変形例９−
本実施形態のコントローラ（240）では、冷媒温度検出手段（236）の検出値と外気温センサ（231）の検出値との差に基づいて、過冷却用圧縮機（221）の運転を制御してもよい。本変形例のコントローラ（240）は、冷媒温度検出手段（236）の検出値と外気温センサ（231）の検出値との差を、冷媒通路（205）における冷媒の流通状態を示す流通状態表示値として用いる。
【０１７９】
コントローラ（240）の動作を説明する。冷媒通路（205）内を第１液側連絡配管（21）側から第２液側連絡配管（22）側へ向かって冷媒が流れているときは、室外熱交換器（44）で室外空気へ放熱して凝縮した冷媒が冷媒通路（205）へ流入することになるが、この冷媒の温度が室外空気の温度を下回ることは有り得ない。このため、過冷却用圧縮機（221）の停止中において、冷媒温度検出手段（236）の検出値から外気温センサ（231）の検出値を差し引いた値が所定の基準値を上回っている場合には、冷媒通路（205）内を第１液側連絡配管（21）側から第２液側連絡配管（22）側へ向かって冷媒が流れていると判断できる。そこで、このような場合、コントローラ（240）は、過冷却用圧縮機（221）を起動させる。
【０１８０】
一方、過冷却用圧縮機（221）の停止中において、冷媒温度検出手段（236）の検出値から外気温センサ（231）の検出値を差し引いた値が所定の基準値以下となっている場合には、冷媒通路（205）内を第２液側連絡配管（22）側から第１液側連絡配管（21）側へ向かって冷媒が流れているか、あるいは冷媒通路（205）内を冷媒が流れていないと判断できる。そこで、このような場合、コントローラ（240）は、過冷却用圧縮機（221）を停止したままにする。
【０１８１】
−実施形態の変形例１０−
本実施形態の過冷却ユニット（200）において、過冷却用冷媒回路（220）は、冷媒を自然循環させることができるように構成されていてもよい。
【０１８２】
図１０に示すように、本変形例の過冷却用冷媒回路（220）では、過冷却用室外熱交換器（222）が過冷却用熱交換器（210）よりも上方に配置されている。また、この過冷却用冷媒回路（220）には、バイパス配管（224）が設けられている。このバイパス配管（224）は、その一端が過冷却用圧縮機（221）の吸入側に、他端が過冷却用圧縮機（221）の吐出側にそれぞれ接続されている。また、バイパス配管（224）には、その一端から他端へ向かう冷媒の流通だけを許容する逆止弁（225）が設けられている。
【０１８３】
この過冷却用冷媒回路（220）では、過冷却用圧縮機（221）の停止中であっても、室外ファン（230）を運転することで過冷却用冷媒が循環する。具体的に、室外ファン（230）を運転すると、過冷却用室外熱交換器（222）では、冷媒が室外空気へ放熱して凝縮する。過冷却用室外熱交換器（222）で凝縮した過冷却用冷媒は、重力によって流れ落ち、全開状態に設定された過冷却用膨張弁（223）を通過して過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、バイパス配管（224）を通って過冷却用室外熱交換器（222）へ戻り、室外空気と熱交換して再び凝縮する。
【０１８４】
過冷却ユニット（200）の起動時において、本変形例のコントローラ（240）は、先ず室外ファン（230）を起動させ、室外ファン（230）を運転した状態で過冷却用圧縮機（221）を起動させるか否かを判断する。つまり、コントローラ（240）は、冷媒通路（205）内を流れる冷媒の冷却が必要な状態であると判断すると、過冷却用圧縮機（221）を停止させたままで室外ファン（230）だけを起動する。室外ファン（230）を起動すると、冷媒通路（205）では過冷却用冷媒が自然循環し、過冷却用熱交換器（210）では過冷却用冷媒によって第２流路（212）の冷媒が冷却される。コントローラ（240）は、この室外ファン（230）だけを運転する状態を所定の時間（例えば５分間）に亘って継続させ、その後に冷媒通路（205）内を流れる冷媒の冷却が不足しているか否かを判定する。そして、冷媒通路（205）内を流れる冷媒の冷却が不足していれば、コントローラ（240）が過冷却用圧縮機（221）を起動させる。
過冷却用圧縮機（221）が起動すると、過冷却用冷媒回路（220）において冷凍サイクルが行われる。一方、この冷媒の冷却が不足していなければ、コントローラ（240）は、過冷却用圧縮機（221）を停止させたままで室外ファン（230）の運転だけを継続させる。
【０１８５】
本変形例では、室外ファン（230）の運転により過冷却用冷媒を自然循環させただけでは熱源側冷媒の冷却が不足する場合にだけ、過冷却用圧縮機（221）を起動するようにしている。このため、過冷却用圧縮機（221）の起動が不要であるにも拘わらず過冷却用圧縮機（221）を起動させてしまう事態を回避でき、過冷却用圧縮機（221）の起動回数を削減することができる。その結果、過冷却用圧縮機（221）が不安定な過渡状態で運転される時間を短縮でき、過冷却用圧縮機（221）の信頼性を向上させることができる。
【０１８６】
−実施形態の変形例１１−
本実施形態の過冷却ユニット（200）は、過冷却用冷媒回路（220）の代えて、冷水が流通する冷水回路を冷却用流体回路として設けてもよい。この冷水回路では、例えば５℃程度の比較的低温の水が流通している。本変形例の過冷却用熱交換器（210）では、その第１流路（211）に冷水回路が接続され、第１流路（211）内を流れる冷水が第２流路（212）内を流れる冷媒と熱交換する。
【０１８７】
なお、以上の実施形態は、本質的に好ましい例示であって、本発明、その適用物、あるいはその用途の範囲を制限することを意図するものではない。
【産業上の利用可能性】
【０１８８】
以上説明したように、本発明は、冷凍装置の熱源ユニットから利用ユニットへ送られる冷媒を冷却する過冷却装置について有用である。
【図面の簡単な説明】
【０１８９】
【図１】過冷却ユニットを備えた冷凍システムの構成を示す配管系統図である。
【図２】冷凍システムの冷房運転時の動作を示す配管系統図である。
【図３】冷凍システムの第１暖房運転時の動作を示す配管系統図である。
【図４】冷凍システムの第１暖房運転時の動作を示す配管系統図である。
【図５】冷凍システムの第２暖房運転時の動作を示す配管系統図である。
【図６】過冷却ユニットにおけるコントローラの制御動作を示すフロー図である。
【図７】実施形態の変形例１における冷凍システムの構成を示す配管系統図である。
【図８】実施形態の変形例２における冷凍システムの構成を示す配管系統図である。
【図９】実施形態の変形例５における冷凍システムの構成を示す配管系統図である。
【図１０】実施形態の変形例１０における過冷却ユニットの構成を示す配管系統図である。
【符号の説明】
【０１９０】
10    冷凍装置
11    室外ユニット（熱源ユニット）
12    空調ユニット（利用ユニット）
13    冷蔵ショーケース（利用ユニット）
14    冷凍ショーケース（利用ユニット）
21    第１液側連絡配管（液側の連絡配管）
22    第２液側連絡配管（液側の連絡配管）
205   冷媒通路
210   過冷却用熱交換器
220   過冷却用冷媒回路（冷却用流体回路）
221   過冷却用圧縮機
200   過冷却ユニット（過冷却装置）
230   室外ファン
234   吸入圧力センサ（蒸発温度検出手段、蒸発圧力検出手段）
236   冷媒温度センサ（冷媒温度検出手段）
237   第１冷媒温度センサ（第１冷媒温度検出手段）
238   第２冷媒温度センサ（第２冷媒温度検出手段）
240   コントローラ（制御手段）
251   流量計
252   第１過冷却用冷媒温度センサ（入口側流体温度検出手段）
253   第２過冷却用冷媒温度センサ（出口側流体温度検出手段）